(57)【要約】  いくつかの例では、システムは、作業者に割り当てられた聴力保護の物品、及び作業者に割り当てられたポータブルコンピューティングデバイスと、ポータブルコンピューティングデバイスに通信によって接続されたリモートコンピューティングデバイスとを含み、このリモートコンピューティングデバイスは、作業環境の種々異なる各位置での種々異なる騒音レベルを示す騒音レベルデータを受信することと、このポータブルコンピューティングデバイスから受信された位置データに基づいて、所定期間にわたって作業者によって受け取られた騒音量を決定することと、聴力保護の物品、騒音量、及び種々異なる各位置での種々異なる騒音レベルを示す騒音レベルデータに少なくとも部分的に基づいて、現在の位置とは異なる騒音レベルを有する作業環境内の更新された位置を識別することと、作業者に対して現在の位置から更新された位置へ移動するよう指示する通知を生成することと、を実行するように構成されている。
2019516152.tif 000002
【特許請求の範囲】
【請求項１】
作業者に割り当てられた聴力保護の物品、及び前記作業者に割り当てられたポータブルコンピューティングデバイスと、
前記ポータブルコンピューティングデバイスに通信によって接続されたリモートコンピューティングデバイスと、
を備えているシステムであって、
前記リモートコンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
作業環境の種々異なる各位置での種々異なる騒音レベルを示す騒音レベルデータを受信することと、
前記ポータブルコンピューティングデバイスから受信された位置データに基づいて、所定期間にわたって前記作業者によって受け取られた騒音量を決定することと、
前記聴力保護の物品、前記騒音量、及び種々異なる各位置での種々異なる騒音レベルを示す前記騒音レベルデータに少なくとも部分的に基づいて、前記作業者の現在の位置とは異なる騒音レベルを有する前記作業環境内の更新された位置を識別することと、
前記作業者に対して前記現在の位置から前記更新された位置へ移動するよう指示する、前記ポータブルコンピューティングデバイスへの通知を生成することと、
を実行させる、システム。
【請求項２】
前記作業者の前記現在の位置とは異なる前記騒音レベルを有する前記作業環境内の前記更新された位置を識別するために、前記メモリが命令を含んでおり、前記命令は、前記１つ以上のコンピュータプロセッサによって実行される場合に、前記１つ以上のコンピュータプロセッサに対して、
前記現在の位置とは異なる前記作業環境内の１つ以上の位置を識別することであって、前記更新された位置が前記１つ以上の位置に含まれている、ことと、
前記１つ以上の位置の各位置ごとに、前記作業者の合計騒音暴露が、定められた期間に対する最大合計騒音暴露量しきい値を超えるかどうかを判定することであって、前記作業者の前記合計騒音暴露は、（ｉ）前記期間にわたって前記作業者によって受け取られた前記騒音量、及び（ｉｉ）前記作業者が、前記期間を除く前記定められた期間の残りの部分の間に前記各位置で受け取ることになる騒音量に基づく、ことと、
前記更新された位置を、前記作業者の前記合計騒音暴露が最大合計騒音暴露量しきい値を満たさない前記１つ以上の位置のうちの１つとして識別することと、
を実行させる、請求項１に記載のシステム。
【請求項３】
前記リモートコンピューティングデバイスは、作業環境の種々異なる各位置での種々異なる騒音レベルを示す前記騒音レベルデータを、前記作業環境内の１人以上の作業者によって着用されている１つ以上のポータブル騒音レベルモニターから受信する、請求項１に記載のシステム。
【請求項４】
前記メモリが命令を含んでおり、前記命令は、前記１つ以上のコンピュータプロセッサによって実行されるときに、前記１つ以上のコンピュータプロセッサに対して、前記作業環境の種々異なる各位置での種々異なる騒音レベルを示す騒音マップを、表示のために生成させる、請求項１に記載のシステム。
【請求項５】
前記メモリが命令を含んでおり、前記命令は、前記１つ以上のコンピュータプロセッサによって実行されるときに、前記１つ以上のコンピュータプロセッサに対して、前記作業者に対して前記現在の位置から前記更新された位置へ移動するよう指示する前記通知を前記ポータブルコンピューティングデバイスに送信させる、請求項１に記載のシステム。
【請求項６】
前記ポータブルコンピューティングデバイスから受信された前記位置データに基づいて、前記期間にわたって前記作業者によって受け取られた前記騒音量を決定するために、前記メモリが命令を含んでおり、前記命令は、前記１つ以上のコンピュータプロセッサによって実行されるときに、前記１つ以上のコンピュータプロセッサに対して、前記作業者の識別子に基づいて、前記期間の間の前記作業者に関連付けられた騒音暴露データを選択させる、請求項１に記載のシステム。
【請求項７】
前記リモートコンピューティングデバイスは、種々異なる各作業者と、前記各作業者に割り当てられた種々異なる種類の個人用保護具（ＰＰＥ）との間の関連付けを定めるデータを更に格納し、前記種々異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項１に記載のシステム。
【請求項８】
前記作業者の前記現在の位置とは異なる前記騒音レベルを有する前記作業環境内の前記更新された位置を識別するために、前記メモリが命令を含んでおり、前記命令は、前記１つ以上のコンピュータプロセッサによって実行されるときに、前記１つ以上のコンピュータプロセッサに対して、
前記作業環境内での前記作業者による少なくとも１つのＰＰＥの物品の使用に少なくとも部分的に基づいて、リスクスコアを生成させる、請求項１に記載のシステム。
【請求項９】
リモートコンピューティングデバイスによって、作業者に関連付けられた作業環境の種々異なる各位置での種々異なる騒音レベルを示す騒音レベルデータを受信することであって、聴力保護の物品が前記作業者に割り当てられており、ポータブルコンピューティングデバイスが前記作業者に割り当てられている、ことと、
前記ポータブルコンピューティングデバイスから受信された位置データに基づいて、所定期間にわたって前記作業者によって受け取られた騒音量を決定することと、
前記聴力保護の物品、前記騒音量、及び種々異なる各位置での種々異なる騒音レベルを示す前記騒音レベルデータに少なくとも部分的に基づいて、前記作業者の現在の位置とは異なる騒音レベルを有する前記作業環境内の更新された位置を識別することと、
前記作業者に対して前記現在の位置から前記更新された位置へ移動するよう指示する、前記ポータブルコンピューティングデバイスへの通知を生成することと、
を含む、方法。
【請求項１０】
前記現在の位置とは異なる前記作業環境内の１つ以上の位置を識別することであって、前記更新された位置が前記１つ以上の位置に含まれている、ことと、
前記１つ以上の位置の各位置ごとに、前記作業者の合計騒音暴露が、定められた期間に対する最大合計騒音暴露量しきい値を超えるかどうかを判定することであって、前記作業者の前記合計騒音暴露が、（ｉ）前記期間にわたって前記作業者によって受け取られた前記騒音量、及び（ｉｉ）前記作業者が、前記期間を除く前記定められた期間の残りの部分の間に前記各位置で受け取ることになる騒音量に基づく、ことと、
前記更新された位置を、前記作業者の前記合計騒音暴露が最大合計騒音暴露量しきい値を満たさない前記１つ以上の位置のうちの１つとして識別することと、
を更に含む、請求項９に記載の方法。
【請求項１１】
前記騒音レベルデータを受信することは、前記作業環境内の１人以上の作業者によって着用されている１つ以上のポータブル騒音レベルモニターから、作業環境の異なる各位置での異なる騒音レベルを示す前記騒音レベルデータを受信することを更に含む、請求項９に記載の方法。
【請求項１２】
前記作業環境の種々異なる各位置での種々異なる騒音レベルを示す騒音マップを表示のために生成することを更に含む、請求項９に記載の方法。
【請求項１３】
前記作業者に対して前記現在の位置から前記更新された位置へ移動するよう指示する前記通知を前記ポータブルコンピューティングデバイスへ送信することを更に含む、請求項９に記載の方法。
【請求項１４】
前記ポータブルコンピューティングデバイスから受信された前記位置データに基づいて、前記期間にわたって前記作業者によって受け取られた前記騒音量を決定することは、前記作業者の識別子に基づいて、前記期間の間の前記作業者に関連付けられた騒音暴露データを選択することを更に含む、請求項９に記載の方法。
【請求項１５】
前記リモートコンピューティングデバイスによって、種々異なる各作業者と、前記各作業者に割り当てられた種々異なる種類の個人用保護具（ＰＰＥ）との間の関連付けを定めるデータを格納することを更に含んでおり、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項９に記載の方法。
【請求項１６】
１つ以上のコンピュータプロセッサと、
前記１つ以上のコンピュータプロセッサによって実行されるときに、前記１つ以上のコンピュータプロセッサに対して、請求項９〜１５のいずれか一項に記載の方法を実行させる命令を含んでいるメモリと、
を備えている、コンピューティングデバイス。
【請求項１７】
命令がエンコードされた非一時的コンピュータ可読記憶媒体であって、前記命令は、実行されるときに、コンピューティングデバイスの少なくとも１つのプロセッサに対して、請求項９〜１５のいずれか一項に記載の方法を実行させる、非一時的コンピュータ可読記憶媒体。
【請求項１８】
請求項９〜１５のいずれか一項に記載の方法を実行するための手段を備える装置。
【請求項１９】
作業者に割り当てられた聴力保護の物品、及び前記作業者に割り当てられたポータブルコンピューティングデバイスと、
前記ポータブルコンピューティングデバイスに通信によって接続されたリモートコンピューティングデバイスと、
を備えているシステムであって、
前記リモートコンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
作業環境の第１の領域内で特定の日の第１の期間にわたって前記作業者が曝された第１の騒音量を示す第１の騒音暴露データを受信することと、
前記作業者が前記特定の日に作業環境の第２の領域に移動した後に、前記第２領域内で前記特定の日の第２の期間にわたって前記作業者が曝された第２の騒音量を示す第２の騒音暴露データを受信することと、
前記第１及び第２の騒音暴露データに基づいて、前記第１及び第２の期間にわたって前記作業者が曝された累積騒音量が前記特定の日のしきい値を超えていることを決定することと、
前記第１及び第２の期間にわたって前記作業者が曝された前記累積騒音量が前記特定の日のしきい値を超えたことに基づいて、前記ポータブルコンピューティングデバイスへの通知を生成することと、
を実行させる、システム。
【請求項２０】
前記特定の日の前記しきい値は、前記特定の日の最大許容騒音暴露量よりも小さい、請求項１９に記載のシステム。
【請求項２１】
前記リモートコンピューティングデバイスは、少なくとも第１又は第２の騒音暴露データを、前記作業環境内の１人以上の作業者によって着用されている１つ以上のポータブル騒音レベルモニターから受信する、請求項１９に記載のシステム。
【請求項２２】
前記第１及び第２の騒音暴露データに基づいて、前記第１及び第２の期間にわたって前記作業者が曝された前記累積騒音量が前記特定の日のしきい値を超えていることを決定するために、前記メモリが命令を含んでおり、前記命令は、前記１つ以上のコンピュータプロセッサによって実行されるときに、前記１つ以上のコンピュータプロセッサに対して、作業者に割り当てられた前記聴力保護の物品によって提供される減衰音量に少なくとも部分的に基づいて、前記累積騒音量が前記しきい値を超えていることを更に決定させる、請求項１９に記載のシステム。
【請求項２３】
前記第１の領域内の第１の騒音レベルは前記第２の領域内の第２の騒音レベルとは異なる、請求項１９に記載のシステム。
【請求項２４】
前記特定の日は、前記コンピューティングデバイスに格納された既定の期間であり、前記第１及び第２の期間に基づく累積時間は、前記既定の期間よりも長い、請求項１９に記載のシステム。
【請求項２５】
前記聴力保護の物品が第１の聴力保護の物品であり、前記メモリが命令を含んでおり、前記命令は、前記１つ以上のコンピュータプロセッサによって実行されるときに、前記１つ以上のコンピュータプロセッサに対して、
前記作業者が前記特定の日に前記作業環境の前記第２の領域に移動したことを決定することに応答して、前記第２の領域内の騒音レベルが前記第１の領域内の騒音レベルよりも大きいことを決定することと、
前記第２の領域内の前記騒音レベルが前記第１の領域内の前記騒音レベルよりも大きいとの前記決定に少なくとも部分的に基づいて、前記第１の聴力保護の物品よりも音を減衰させる第２の聴力保護の物品を識別することと、
前記第２の聴力保護の物品の指示を出力のために生成することと、
を実行させる、請求項１９に記載のシステム。
【請求項２６】
前記リモートコンピューティングデバイスは、種々異なる各作業者と、前記各作業者に割り当てられた種々異なる種類の個人用保護具（ＰＰＥ）との間の関連付けを定めるデータを更に格納し、前記種々異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項１９に記載のシステム。
【請求項２７】
前記第１及び第２の期間にわたって前記作業者が曝された前記累積騒音量に基づいて、前記ポータブルコンピューティングデバイスへの前記通知を生成するために、前記メモリが命令を含んでおり、前記命令は、前記１つ以上のコンピュータプロセッサによって実行されるときに、前記１つ以上のコンピュータプロセッサに対して、
前記作業環境内での前記作業者による少なくとも１つのＰＰＥの物品の使用に少なくとも部分的に基づいて、リスクスコアを生成させる、請求項１に記載のシステム。
【請求項２８】
リモートコンピューティングデバイスによって、作業環境の第１の領域内で特定の日に第１の期間にわたって作業者が曝された第１の騒音量を示す第１の騒音暴露データ受信することであって、聴力保護の物品が前記作業者に割り当てられており、ポータブルコンピューティングデバイスが前記作業者に割り当てられている、ことと、
前記作業者が前記特定の日に作業環境の第２の領域に移動した後に、前記第２領域内で前記特定の日の第２の期間にわたって前記作業者が曝された第２の騒音量を示す第２の騒音暴露データを受信することと、
前記第１及び第２の騒音暴露データに基づいて、前記第１及び第２の期間にわたって前記作業者が曝された累積騒音量が前記特定の日のしきい値を超えていることを決定することと、
前記第１及び第２の期間にわたって前記作業者が曝された前記累積騒音量が前記特定の日のしきい値を超えたことに基づいて、前記ポータブルコンピューティングデバイスへの通知を生成することと、
を含む、方法。
【請求項２９】
前記特定の日の前記しきい値は、前記特定の日の最大許容騒音暴露量よりも小さい、請求項２８に記載の方法。
【請求項３０】
前記第１又は第２の騒音暴露データを受信することは、少なくとも前記第１又は第２の騒音暴露データを、前記作業環境内の１人以上の作業者によって着用されている１つ以上のポータブル騒音レベルモニターから受信することを含む、請求項２８に記載の方法。
【請求項３１】
前記第１及び第２の期間にわたって前記作業者が曝された前記累積騒音量が前記特定の日のしきい値を超えていることを決定することは、作業者に割り当てられた前記聴力保護の物品によって提供される減衰音量に少なくとも部分的に基づいて、前記累積騒音量が前記しきい値を超えていることを決定することを更に含む、請求項２８に記載の方法。
【請求項３２】
前記第１の領域内の第１の騒音レベルは前記第２の領域内の第２の騒音レベルとは異なる、請求項２８に記載の方法。
【請求項３３】
前記特定の日が、前記コンピューティングデバイスに格納された既定の期間であり、前記第１及び第２の期間に基づく累積時間が、前記既定の期間よりも長い、請求項２８に記載の方法。
【請求項３４】
前記聴力保護の物品は第１の聴力保護の物品であり、前記方法は、
前記作業者が前記特定の日に前記作業環境の前記第２の領域に移動したことを決定することに応答して、前記第２の領域内の騒音レベルが前記第１の領域内の騒音レベルよりも大きいことを決定することと、
前記第２の領域内の前記騒音レベルが前記第１の領域内の前記騒音レベルよりも大きいとの前記決定に少なくとも部分的に基づいて、前記第１の聴力保護の物品よりも音を減衰させる第２の聴力保護の物品を識別することと、
前記第２の聴力保護の物品の指示を出力のために生成することと、
を更に含む、請求項２８に記載の方法。
【請求項３５】
前記リモートコンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項２８に記載の方法。
【請求項３６】
１つ以上のコンピュータプロセッサと、
前記１つ以上のコンピュータプロセッサによって実行されるときに、前記１つ以上のコンピュータプロセッサに対して、請求項２８〜３５のいずれか一項に記載の方法を実行させる命令を含んでいるメモリと、
を備えている、コンピューティングデバイス。
【請求項３７】
命令がエンコードされた非一時的コンピュータ可読記憶媒体であって、前記命令は、実行されるときに、コンピューティングデバイスの少なくとも１つのプロセッサに対して、請求項２８〜３５のいずれか一項に記載の方法を実行させる、非一時的コンピュータ可読記憶媒体。
【請求項３８】
請求項２８〜３５のいずれか一項に記載の方法を実行するための手段を備える装置。
【請求項３９】
聴力保護の物品のセットであって、前記聴力保護の物品のセット内の聴力保護の各物品はそれぞれ種々異なる種類の聴力保護の物品である、聴力保護の物品のセットと、
前記ポータブルコンピューティングデバイスに通信によって接続されたコンピューティングデバイスと、
を備えているシステムであって、前記コンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
作業者の適合試験データを受信することであって、前記適合試験データは、前記作業者によって着用されている第１の種類の聴力保護の物品に関して、前記作業者に対する騒音レベルの減衰を示す値を含んでいる、ことと、
前記適合試験データ及び作業環境の騒音レベルデータに少なくとも部分的に基づいて、前記第１の種類の聴力保護の物品によって提供される音量減衰が前記作業環境のしきい値を満たすかどうかを判定することと、
前記第１の種類の聴力保護の物品によって提供される前記音量減衰が前記しきい値を満たすかどうかの前記判定に応答して、前記作業環境に関して第２の異なる種類の聴力保護の物品を示す推奨を表示のために生成することと、
を実行させる、システム。
【請求項４０】
前記メモリが命令を含んでおり、前記命令は、前記１つ以上のコンピュータプロセッサによって実行されるときに、前記１つ以上のコンピュータプロセッサに対して、
前記しきい値が満たされていないことの決定に応答して、前記第２の種類の聴力保護の物品が前記作業環境の前記しきい値を満たす音量減衰を提供することに少なくとも部分的に基づいて、前記第２の種類の聴力保護の物品を選択させる、請求項３９に記載のシステム。
【請求項４１】
前記メモリが命令を含んでおり、前記命令は、前記１つ以上のコンピュータプロセッサによって実行されるときに、前記１つ以上のコンピュータプロセッサに対して、
前記しきい値が満たされていることの決定に応答して、前記第１の種類の聴力保護の物品及び前記第２の種類の聴力保護の物品を同時に示すグラフィカルユーザインターフェイスを、表示のために生成させる、請求項３９に記載のシステム。
【請求項４２】
前記メモリが命令を含んでおり、前記命令は、前記１つ以上のコンピュータプロセッサによって実行されるときに、前記１つ以上のコンピュータプロセッサに対して、
前記作業環境の前記騒音レベルデータを、複数の異なる種類の聴力保護の物品の前記音量減衰レベルと比較することと、
前記しきい値を満たす音量減衰を提供する前記複数の聴力保護の物品のセットを選択することであって、前記第２の異なる種類の聴力保護が、前記複数の聴力保護の物品のセットに含まれている、ことと、
を実行させる、請求項３９に記載のシステム。
【請求項４３】
前記メモリが命令を含んでおり、前記命令は、前記１つ以上のコンピュータプロセッサによって実行されるときに、前記１つ以上のコンピュータプロセッサに対して、
前記作業者に割り当てられた少なくとも１つの他の種類の個人用保護具（ＰＰＥ）を決定することと、
前記第２の種類の聴力保護が前記少なくとも１つの他の種類のＰＰＥと両立できるかどうかを判定することと、
前記第２の種類の聴力保護が前記少なくとも１つの他の種類のＰＰＥと両立できるとの前記決定に基づいて、前記第２の種類の聴力保護を選択することと、
を実行させる、請求項３９に記載のシステム。
【請求項４４】
前記ＰＰＥの種類は、動力付き空気浄化人工呼吸装置から前記作業者へ清浄空気を供給するヘッドトップ物品、保護眼鏡、又は前記作業者の頭部を保護する保護用ヘルメットのうちの少なくとも１つである、請求項４３に記載のシステム。
【請求項４５】
前記作業環境の騒音レベルデータは、前記作業環境内の１人以上の作業者によって着用されている１つ以上の騒音レベルモニターからの測定値に基づく、請求項３９に記載のシステム。
【請求項４６】
前記コンピューティングデバイスは、種々異なる各作業者と、前記各作業者に割り当てられた種々異なる種類の個人用保護具（ＰＰＥ）との間の関連付けを定めるデータを更に格納し、前記種々異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項３９に記載のシステム。
【請求項４７】
前記第１の種類の聴力保護の物品によって提供される音量減衰が前記作業環境の前記しきい値を満たすかどうかを決定するために、前記メモリが命令を含んでおり、前記命令は、前記１つ以上のコンピュータプロセッサによって実行されるときに、前記１つ以上のコンピュータプロセッサに対して、
前記作業環境内での前記作業者による少なくとも１つのＰＰＥの物品の使用に少なくとも部分的に基づいて、リスクスコアを生成することと、
前記リスクスコアが前記しきい値を満たしていることを決定することと、
を実行させる、請求項３９に記載のシステム。
【請求項４８】
コンピューティングデバイスによって作業者の適合試験データを受信することであって、前記適合試験データは、前記作業者によって着用された第１の種類の聴力保護の物品に関して前記作業者に対する騒音レベルの減衰を示す値を含んでいる、ことと、
前記適合試験データ及び作業環境の騒音レベルデータに少なくとも部分的に基づいて、前記第１の種類の聴力保護の物品によって提供される音量減衰が前記作業環境のしきい値を満たすかどうかを判定することと、
前記第１の種類の聴力保護の物品によって提供される前記音量減衰が前記しきい値を満たすかどうかの判定に応答して、前記作業環境に関して第２の異なる種類の聴力保護の物品を示す推奨を表示のために生成することであって、前記第１及び第２の種類の聴力保護の物品それぞれが、それぞれ異なる種類の聴力保護の物品である、ことと、
を含む方法。
【請求項４９】
前記しきい値が満たされていないことの決定に応答して、前記第２の種類の聴力保護の物品が前記作業環境の前記しきい値を満たす音量減衰を提供することに少なくとも部分的に基づいて、前記第２の種類の聴力保護の物品を選択することを更に含む、請求項４８に記載の方法。
【請求項５０】
前記しきい値が満たされていることの決定に応答して、前記第１の種類の聴力保護の物品及び前記第２の種類の聴力保護の物品を同時に示すグラフィカルユーザインターフェイスを、表示のために生成することを更に含む、請求項４８に記載の方法。
【請求項５１】
前記作業環境の前記騒音レベルデータを、複数の種々異なる種類の聴力保護の物品の前記音量減衰レベルと比較することと、
前記しきい値を満たす音量減衰を提供する前記複数の聴力保護の物品のセットを選択することであって、前記第２の異なる種類の聴力保護が、前記複数の聴力保護の物品のセットに含まれている、ことと、
を更に含む、請求項４８に記載の方法。
【請求項５２】
前記作業者に割り当てられた少なくとも１つの他の種類の個人用保護具（ＰＰＥ）を決定することと、
前記第２の種類の聴力保護が前記少なくとも１つの他の種類のＰＰＥと両立できるかどうかを判定することと、
前記第２の種類の聴力保護が前記少なくとも１つの他の種類のＰＰＥと両立できるとの前記決定に基づいて、前記第２の種類の聴力保護を選択することと、
を更に含む、請求項４８に記載の方法。
【請求項５３】
前記ＰＰＥの種類は、動力付き空気浄化人工呼吸装置から前記作業者へ清浄空気を供給するヘッドトップ物品、保護眼鏡、又は前記作業者の頭部を保護する保護用ヘルメットのうちの少なくとも１つである、請求項５２に記載の方法。
【請求項５４】
前記作業環境の騒音レベルデータは、前記作業環境内の１人以上の作業者によって着用されている１つ以上の騒音レベルモニターからの測定値に基づく、請求項４８に記載の方法。
【請求項５５】
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項４８に記載の方法。
【請求項５６】
１つ以上のコンピュータプロセッサと、
前記１つ以上のコンピュータプロセッサによって実行されるときに、前記１つ以上のコンピュータプロセッサに対して、請求項４８〜５５のいずれか一項に記載の方法を実行させる命令を含んでいるメモリと、
を備えている、コンピューティングデバイス。
【請求項５７】
命令がエンコードされた非一時的コンピュータ可読記憶媒体であって、前記命令は、実行されるときに、コンピューティングデバイスの少なくとも１つのプロセッサに対して、請求項４８〜５５のいずれか一項に記載の方法を実行させる、非一時的コンピュータ可読記憶媒体。
【請求項５８】
請求項４８〜５５のいずれか一項に記載の方法を実行するための手段を備える装置。
【請求項５９】
作業環境内の機械の物品と、
作業者に割り当てられた騒音レベルモニターと、
１つ以上のコンピュータプロセッサ及び命令を含んでいるメモリを備えているコンピューティングデバイスと、を備えているシステムであって、前記命令は、前記１つ以上のコンピュータプロセッサによって実行されるときに、前記１つ以上のコンピュータプロセッサに対して、
動作中に前記機械の物品によって生成される基準騒音レベルを示す基準騒音データを格納することと、
前記作業者に割り当てられた前記騒音レベルモニターから、前記機械の物品の位置に対応する騒音データを受信することと、
基準騒音データが前記機械の物品の位置に対応する前記騒音データによって超過されていることを決定することと、
前記機械の物品の位置に対応する前記騒音データが前記基準騒音データをしきい値量だけ超えているという通知を生成することと、
を実行させる、システム。
【請求項６０】
前記通知は、前記機械の物品には検査又はメンテナンスのうちの少なくとも１つが必要であることを示す、請求項５９に記載のシステム。
【請求項６１】
前記メモリが命令を含んでおり、前記命令は、前記１つ以上のコンピュータプロセッサによって実行されるときに、前記１つ以上のコンピュータプロセッサに対して、前記基準騒音データが前記機械の物品の前記位置に対応する前記騒音データによって超過されていることの決定に応答して、前記機械の前記動作を変更させるメッセージを前記機械の物品に送信させる、請求項５９に記載のシステム。
【請求項６２】
前記基準騒音データは、（ｉ）１人以上の作業者に割り当てられた１つ以上の騒音レベルモニターからの騒音データ、又は（ｉｉ）種々異なる作業環境内の１つ以上の他の機械の物品のセットからの騒音データのうちの少なくとも１つに基づいており、前記１つ以上の他の機械の物品は前記機械の物品と同じ種類である、請求項５９に記載のシステム。
【請求項６３】
前記基準騒音データは第１の騒音レベルを示し、前記機械の物品の前記位置に対応する前記騒音データは第２の騒音レベルを表す、請求項５９に記載のシステム。
【請求項６４】
前記しきい値量はゼロより大きい、請求項５９に記載のシステム。
【請求項６５】
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項５９に記載のシステム。
【請求項６６】
コンピューティングデバイスによって、動作中に機械の物品によって生成される基準騒音レベルを示す基準騒音データを格納することであって、前記機械の物品が作業環境内に存在し、騒音レベルモニターが作業者に割り当てられている、ことと、
前記作業者に割り当てられた前記騒音レベルモニターから、前記機械の物品の位置に対応する騒音データを受信することと、
基準騒音データが、前記機械の物品の位置に対応する前記騒音データによって超過されていることを決定することと、
前記機械の物品の位置に対応する前記騒音データが前記基準騒音データをしきい値量だけ超えているという通知を生成することと、
を含む、方法。
【請求項６７】
前記通知は、前記機械の物品に検査又はメンテナンスのうちの少なくとも１つが必要であることを示す、請求項６６に記載の方法。
【請求項６８】
前記基準騒音データが前記機械の物品の前記位置に対応する前記騒音データによって超過されていることの決定に応答して、前記機械の前記動作を変更させるメッセージを前記機械の物品に送信することを更に含む、請求項６６に記載の方法。
【請求項６９】
前記基準騒音データは、（ｉ）１人以上の作業者に割り当てられた１つ以上の騒音レベルモニターからの騒音データ、又は（ｉｉ）異なる作業環境内の１つ以上の他の機械の物品のセットからの騒音データのうちの少なくとも１つに基づいており、前記１つ以上の他の機械の物品は前記機械の物品と同じ種類である、請求項６６に記載の方法。
【請求項７０】
前記基準騒音データは第１の騒音レベルを示し、前記機械の物品の前記位置に対応する前記騒音データは第２の騒音レベルを表す、請求項６６に記載の方法。
【請求項７１】
前記しきい値量はゼロより大きい、請求項６６に記載の方法。
【請求項７２】
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項６６に記載の方法。
【請求項７３】
１つ以上のコンピュータプロセッサと、
前記１つ以上のコンピュータプロセッサによって実行されるときに、前記１つ以上のコンピュータプロセッサに対して、請求項６６〜７２のいずれか一項に記載の方法を実行させる命令を含んでいるメモリと、
を備えている、コンピューティングデバイス。
【請求項７４】
命令がエンコードされた非一時的コンピュータ可読記憶媒体であって、前記命令は、実行されるときに、コンピューティングデバイスの少なくとも１つのプロセッサに対して、請求項６６〜７３のいずれか一項に記載の方法を実行させる、非一時的コンピュータ可読記憶媒体。
【請求項７５】
請求項６６〜７３のいずれか一項に記載の方法を実行するための手段を備える装置。
【請求項７６】
個人用保護具（ＰＰＥ）の物品のセットであって、前記ＰＰＥの物品のセットの各物品は異なる種類である、個人用保護具（ＰＰＥ）の物品のセットと、
コンピューティングデバイスと、
を備えているシステムであって、前記コンピューティングデバイスは、１つ以上のコンピュータプロセッサと、命令を含んでいるメモリとを備えており、前記命令は、前記１つ以上のコンピュータプロセッサによって実行されるときに、前記１つ以上のコンピュータプロセッサに対して、
リモートコンピューティングデバイスから、前記リモートコンピューティングデバイスにおいて前記コンピューティングデバイスによって表示のために生成された少なくとも１つのユーザインターフェイスに含まれている入力制御部のセットに提供されたユーザ入力の指示に基づいて、ＰＰＥデータ及び作業者データを受信することであって、前記入力制御部は、少なくとも、前記ＰＰＥの物品の各セットを表すＰＰＥデータ及び前記作業者を表す作業者データを受け取る、ことと、
前記作業者の作業環境及び前記ＰＰＥの物品のセットによって課される１つ以上の制約を満たす前記ＰＰＥの物品の所定のセットを選択することに応答して、前記ＰＰＥの物品の前記所定のセットの各グラフィック表現を含んでいる少なくとも１つのグラフィカルユーザインターフェイスを、表示のために生成することと、
前記作業者の前記ＰＰＥの物品の前記所定のセットのうちの１つ以上を選択するユーザ入力の少なくとも１つの指示を受信することに応答して、前記ＰＰＥデータ及び前記作業者データに基づいて、前記作業者と、前記選択された１つ以上の所定のＰＰＥの物品との間の関連付けを定める関連付けデータを格納することと、
前記作業者が前記選択された１つ以上の所定のＰＰＥの物品を使用して前記作業環境内で作業を開始した後に、前記作業環境内での作業者の作業中の前記作業環境を表す作業環境データ、及び前記作業者と前記選択された１つ以上の所定のＰＰＥの物品との間の前記関連付けデータのそれぞれに少なくとも部分的に基づく、前記作業者に関する作業者の健康の指示を出力のために生成することと、
を実行させる、システム。
【請求項７７】
前記作業者の健康の指示は、前記作業環境内での作業者によるＰＰＥの使用に少なくとも部分的に基づくリスクスコアを含む、請求項７６に記載のシステム。
【請求項７８】
前記指示の出力を生成するために、前記メモリが命令を含んでおり、前記命令は、前記１つ以上のコンピュータプロセッサによって実行されるときに、前記１つ以上のコンピュータプロセッサに対して、作業者の集団の全体的健康の一部としてレポート及び前記作業者の健康の指示を出力させる、請求項７６に記載のシステム。
【請求項７９】
前記レポートは、作業者の集団の全体的健康における傾向を示す、請求項７６に記載のシステム。
【請求項８０】
前記メモリが命令を含んでおり、前記命令は、前記１つ以上のコンピュータプロセッサによって実行されるときに、前記１つ以上のコンピュータプロセッサに対して、前記リスクスコアがしきい値を満たすことに応答して訓練の推奨を生成させる、請求項７５に記載のシステム。
【請求項８１】
前記メモリが命令を含んでおり、前記命令は、前記１つ以上のコンピュータプロセッサによって実行されるときに、前記１つ以上のコンピュータプロセッサに対して、タスク又は調査を生成させる、請求項７６に記載のシステム。
【請求項８２】
前記コンピューティングデバイスは、種々異なる各作業者と、前記各作業者に割り当てられた種々異なる種類の個人用保護具（ＰＰＥ）との間の関連付けを定めるデータを更に格納し、前記異なる種類のＰＰＥは、落下保護用のＰＰＥ、呼吸用のＰＰＥ、頭部／目／顔面用のＰＰＥ、溶接用のＰＰＥ、又は聴力保護用のＰＰＥのうちの１つ以上を含む、請求項７６に記載のシステム。
【発明の詳細な説明】
【技術分野】
【０００１】
本出願は、概して、安全管理の分野に関連する。より具体的には、本出願は、インテリジェントな安全システムに関連する。
【背景技術】
【０００２】
作業者の安全と健康を維持することは、多くの業界にわたる関心事である。この関心に取り組むことを助けるために、様々な規則や規定が策定されている。かかる規則は、作業者の健康及び安全手順の適切な管理を確保するための一連の要件を規定している。作業者の安全と健康を維持するのを助けるために、個人が危険な状態又は潜在的に危険な状態にある作業環境に入るか、又はその環境に留まるとき、個人用保護具（protective equipment、ＰＰＥ）物品を装着、着用、携帯するか、その他の形で使用することが必要な場合がある。
【０００３】
知られているＰＰＥ物品の種類は、例えば正常状態の使用又は緊急応答のための呼吸用保護具（respiratory protection equipment、ＲＰＥ）、保護眼鏡（バイザ、ゴーグル、フィルタ又はシールドなど）、保護帽子（例えばハード帽子、フード又はヘルメットなど）、聴力保護具、保護靴、保護手袋、他の保護服（カバーオール及びエプロンなど）、保護物品（センサ、安全工具、検出器、全地球測位デバイス、採鉱キャップランプ及び任意の他の好適な用具など）を含むが、これらに限定されない。
【０００４】
作業者がＰＰＥに関して行うことのある１つの決定は、ＰＰＥが被った使用量を鑑みて、そのＰＰＥがまだ機能及び有効性を保っているかどうかである。使用量は、ＰＰＥが着用された期間、その期間の間、ＰＰＥが適切に着用されたかどうか、ＰＰＥに電力が供給された期間又はその他の方法でＰＰＥが積極的に使用された期間、及びＰＰＥが曝される環境内での暴露のレベルを含むことができる。
【発明の概要】
【０００５】
本開示は、リアルタイムデータ及び履歴データに基づいて、作業環境に関する作業者及び個人用保護具データに対するインテリジェントな監視及び分析を提供する技術及びシステムを対象にする。具体的には、本開示の技術及びシステムは、作業環境における作業者及び個人用保護具のエンドツーエンドの推奨、通知、トレンド分析、異常分析、及び制御を提供することができる。本開示の技術及びシステムは、例えば、音の危険性などの、作業環境における様々な危険性を検出することによって、作業者の安全性を改善又は維持する個人用保護具を推奨することができる。いくつかの例では、本技術及びシステムは、危険性に関して、作業者のリアルタイム位置検出及び／又は履歴位置検出に基づいて、位置ごとに作業者及び／又は他のユーザに通知又は警告することができる。本技術は、作業環境における危険性に応答して、作業者の健康が変化しているかどうかを更に判定することができ、同様の位置又は異なる位置にいる作業者集団全体で、そのような変化を決定することができる。場合によっては、本技術及びシステムは、作業者が曝される危険性に関して作業者の安全を最適化及び／又は改善するために、作業者が終日にわたって作業環境内の別の位置に移動することを推奨することができる。本開示のシステム及び技術は、機械の物品の異常な音、温度、又はその他の検出された特性に基づいて、メンテナンスを必要とする機械の物品を更に識別することができる。本開示のこれら及びその他の技術及びシステムは、作業環境内の作業者の健康に対する危険性の影響を検出するための精度及び応答時間を改善することができ、場合によっては、作業者に割り当てられた個人用保護具に関する精度及び応答時間を改善することができる。
【０００６】
１つ以上の例の詳細を、添付の図面及び以下の説明で明らかにする。本開示の他の特徴、目的、及び利点は、説明及び図面、並びに特許請求の範囲から明らかとなるであろう。
【図面の簡単な説明】
【０００７】
【図１Ａ】本開示の技術による、インテリジェントな安全システムの例を示すブロック図である。
【０００８】
【図１Ｂ】本開示の技術による、図１Ａに示されたデータハブを示す。
【０００９】
【図２】本開示の１つ以上の態様による、コンピューティングデバイスの例を示すブロック図である。
【００１０】
【図３Ａ】本開示の１つ以上の技術による、アプリケーションによって表示のために生成及び出力されてよいユーザインターフェイスを示す。
【図３Ｂ】本開示の１つ以上の技術による、アプリケーションによって表示のために生成及び出力されてよいユーザインターフェイスを示す。
【００１１】
【図４】本開示の１つ以上の技術による、アプリケーションによって表示のために生成及び出力されてよいユーザインターフェイスを示す。
【００１２】
【図５Ａ】本開示の１つ以上の技術による、アプリケーションによって表示のために生成及び出力されてよい、騒音情報に関連する設定オプションを含んでいるユーザインターフェイスを示す。
【図５Ｂ】本開示の１つ以上の技術による、アプリケーションによって表示のために生成及び出力されてよい、騒音情報に関連する設定オプションを含んでいるユーザインターフェイスを示す。
【００１３】
【図６】本開示の１つ以上の技術による、アプリケーションによって表示のために生成及び出力されてよい、ある領域に関連する騒音測定情報を含んでいるユーザインターフェイスを示す。
【００１４】
【図７】本開示の１つ以上の技術による、アプリケーションによって表示のために生成及び出力されてよい、ある領域に関する測定騒音マップを含んでいるユーザインターフェイスを示す。
【００１５】
【図８Ａ】本開示の１つ以上の技術による、アプリケーションによって表示のために生成及び出力されてよい、様々な領域に関する騒音制御及び管理制御を含んでいるユーザインターフェイスを示す。
【図８Ｂ】本開示の１つ以上の技術による、アプリケーションによって表示のために生成及び出力されてよい、様々な領域に関する騒音制御及び管理制御を含んでいるユーザインターフェイスを示す。
【００１６】
【図９Ａ】本開示の１つ以上の技術による、アプリケーションによって表示のために生成及び出力されてよい、作業者管理制御、訓練資料、及び機器の履歴を含んでいるユーザインターフェイスを示す。
【図９Ｂ】本開示の１つ以上の技術による、アプリケーションによって表示のために生成及び出力されてよい、作業者管理制御、訓練資料、及び機器の履歴を含んでいるユーザインターフェイスを示す。
【００１７】
【図１０】本開示の１つ以上の技術による、アプリケーションによって表示のために生成及び出力されてよい、メンテナンス記録を含んでいるユーザインターフェイスを示す。
【００１８】
【図１１Ａ】本開示の１つ以上の技術による、アプリケーションによって表示のために生成及び出力されてよい、聴力検査に関連する情報を含んでいるユーザインターフェイスを示す。
【図１１Ｂ】本開示の１つ以上の技術による、アプリケーションによって表示のために生成及び出力されてよい、聴力検査に関連する情報を含んでいるユーザインターフェイスを示す。
【００１９】
【図１２】本開示の１つ以上の技術による、アプリケーションによって表示のために生成及び出力されてよい、特定の作業者に関するオージオグラム結果を含んでいるユーザインターフェイスを示す。
【００２０】
【図１３Ａ】本開示の１つ以上の技術による、アプリケーションによって表示のために生成及び出力されてよい、聴力保護製品及び聴力保護を使用している作業者に関連する情報を含んでいるユーザインターフェイスを示す。
【図１３Ｂ】本開示の１つ以上の技術による、アプリケーションによって表示のために生成及び出力されてよい、聴力保護製品及び聴力保護を使用している作業者に関連する情報を含んでいるユーザインターフェイスを示す。
【００２１】
【図１４】本開示の１つ以上の技術による、アプリケーションによって表示のために生成及び出力されてよい、訓練スケジュール及び訓練履歴に関連する情報を含んでいるユーザインターフェイスを示す。
【００２２】
【図１５Ａ】本開示の１つ以上の技術による、アプリケーションによって表示のために生成及び出力されてよい、訓練ビデオ及び訓練文書に関連する情報を含んでいるユーザインターフェイスを示す。
【図１５Ｂ】本開示の１つ以上の技術による、アプリケーションによって表示のために生成及び出力されてよい、訓練ビデオ及び訓練文書に関連する情報を含んでいるユーザインターフェイスを示す。
【００２３】
【図１６】本開示の１つ以上の技術による、アプリケーションによって表示のために生成及び出力されてよい、訓練結果を含んでいるユーザインターフェイスを示す図である。
【００２４】
【図１７Ａ】本開示の１つ以上の技術による、アプリケーションによって表示のために生成及び出力されてよい、デフォルトレポート、聴力の傾向、及び測定比較などの評価情報を含んでいるユーザインターフェイスを示す。
【図１７Ｂ】本開示の１つ以上の技術による、アプリケーションによって表示のために生成及び出力されてよい、デフォルトレポート、聴力の傾向、及び測定比較などの評価情報を含んでいるユーザインターフェイスを示す。
【００２５】
【図１８】本開示の１つ以上の技術による、アプリケーションによって表示のために生成及び出力されてよい、積極的調査及び調査履歴などの評価情報を含んでいるユーザインターフェイスを示す。
【００２６】
【図１９Ａ】本開示の１つ以上の技術による、アプリケーションによって表示のために生成及び出力されてよい、調査結果を含んでいるユーザインターフェイスを示す。
【図１９Ｂ】本開示の１つ以上の技術による、アプリケーションによって表示のために生成及び出力されてよい、調査結果を含んでいるユーザインターフェイスを示す。
【００２７】
【図２０Ａ】本開示の１つ以上の技術による、アプリケーションによって表示のために生成及び出力されてよい、タスクマネージャ情報を含んでいるユーザインターフェイスを示す。
【図２０Ｂ】本開示の１つ以上の技術による、アプリケーションによって表示のために生成及び出力されてよい、タスクマネージャ情報を含んでいるユーザインターフェイスを示す。
【００２８】
【図２１】本開示の１つ以上の技術による、プログラム設定を実行するように構成されたコンピューティングデバイスの動作の例を含んでいるフロー図を示す。
【００２９】
【図２２】本開示の１つ以上の技術による、測定プロセスを実行するように構成されたコンピューティングデバイスの動作の例を含んでいるフロー図を示す。
【００３０】
【図２３】本開示の１つ以上の技術による、聴力保護システムなどの、安全システムにおける制御を設定するように構成されたコンピューティングデバイスの動作の例を含んでいるフロー図を示す。
【００３１】
【図２４】本開示の１つ以上の技術による、作業者の聴力データを分析するように構成されたコンピューティングデバイスの動作の例を含んでいるフロー図を示す。
【００３２】
【図２５】本開示の１つ以上の技術による、既知のデータに基づいて聴力保護の種類を推奨するように構成されたコンピューティングデバイスの動作の例を含んでいるフロー図を示す。
【００３３】
【図２６】本開示の１つ以上の技術による、標準しきい値シフト（standard threshold shift、ＳＴＳ）を示している作業者の発生を分析するように構成されたコンピューティングデバイスの動作の例を含んでいるフロー図を示す。
【００３４】
【図２７】本開示の１つ以上の技術による、作業者又は他のユーザに警告するために機械学習を実行するように構成されたコンピューティングデバイスの動作の例を含んでいるフロー図を示す。
【００３５】
【図２８】本開示の１つ以上の技術による、コンピューティングデバイスの動作の例を含んでいるフロー図を示す。
【００３６】
【図２９】本開示の１つ以上の技術による、コンピューティングデバイスの動作の例を含んでいるフロー図を示す。
【００３７】
【図３０】本開示の１つ以上の技術による、コンピューティングデバイスの動作の例を含んでいるフロー図を示す。
【００３８】
【図３１】本開示の１つ以上の技術による、コンピューティングデバイスの動作の例を含んでいるフロー図を示す。
【００３９】
【図３２】本開示の１つ以上の技術による、コンピューティングデバイスの動作の例を含んでいるフロー図を示す。
【発明を実施するための形態】
【００４０】
図１Ａは、本開示の技術による、インテリジェントな安全システム１００の例を示すブロック図である。図１Ａに示されているように、システム１００は、ネットワーク１０２、作業現場のコンピューティングデバイス１０４、データセンターのコンピューティングデバイス１０６Ａ〜１０６Ｃ、及びユーザのコンピューティングデバイス１０８を含んでいる。図１Ａは、作業者１１２Ａ及び１１２Ｂが様々なタスクを実行し得る作業現場１１０を更に示している。作業現場１１０の例として、いくつかの例のみを挙げると、鉱山、工場、製造現場、工事現場、災害現場、飛行場、鉄道、船積み場、又は製薬研究室などがある。これらのような作業現場は、作業者を、聴力に対する危険性を作業者１１２にもたらす場合のある高い騒音レベルを含む、様々な種類の危険に曝すことがある。本開示のいくつかの例では、「騒音」及び「音」は交換可能に使用される場合がある。本開示のいくつかの例では、「作業現場」及び「作業環境」は交換可能に使用される場合がある。
【００４１】
安全システム１１０は、人間の聴力の損傷又は損失、耳鳴り、及び関連する障害を引き起こす可能性のある作業場に関する聴力保護プログラムなどの、安全プログラムを実施することがある。具体的には、安全システム１１０は、いくつかの例のみを挙げると、安全プログラムに基づいて、騒音又は聴力に対する危険性を様々な位置にマッピングし、聴力保護（例えば、聴力保護デバイス）への露出を制御し、聴力保護を有効にし、監視及び警告を実行する。本開示において更に説明されるように、安全システム１００は、作業現場のデバイスからデータセンターのコンピューティングデバイス１０６までの情報のエンドツーエンドの統合を提供してよく、データセンターのコンピューティングデバイス１０６は、人間の聴力損失の事象の可能性を検出して自動的に応答するために、分析技術を実装する。本開示のシステム及び技術は、聴覚損失を防止及び管理するための聴力保護プログラムに関して説明されるが、このようなシステム及び技術は、その他の種類の作業者の安全性に適用されてもよい。例えば、本開示のシステム及び技術は、落下保護用のＰＰＥ、頭部、目、若しくは顔面用のＰＰＥ、溶接用のＰＰＥ、呼吸用のＰＰＥ、又は任意のその他の適切な種類のＰＰＥに適応されてよい。このようにして、安全システム１１０は、本開示の例において聴力保護及び安全に関して説明されるのと同じ又は類似する方法で、任意の数の種々異なる種類のＰＰＥをサポートするように拡張されてよい。
【００４２】
図１Ａの例では、作業者１１２Ａ〜１１２Ｂ（「作業者１１２」）は、作業現場１１０に入る前に、聴力保護を使用して個別に「適合試験」を受けてよい。聴力保護は、内耳（「挿入」）聴力保護及び外耳（又は「サーカムオーラル」）保護を含んでよい。内耳保護は、外耳道に少なくとも部分的に挿入される耳栓又は任意のその他の保護を含んでよい。外耳保護は、作業者の耳を覆うか、又は囲む、イヤーマフ又は任意のその他の保護を含んでよい。適合試験は、作業者に聴力保護を装備させ、作業者が聴力保護から受ける騒音低減のレベル又は量を試験することを含んでよい。例えば、適合試験システム（図示されていない）は、聴力保護が着用されている間に、様々な可聴出力を作業者に提供してよく、適合試験システムによって、マイクロホンアレイを使用して騒音レベルが測定されてよい。いくつかの例において、マイクロホンが、作業者の外耳道の内部と、作業者によって着用された聴力保護の外部の両方の騒音レベルを測定してよい。適合試験システムは、聴力保護デバイスが作業者によって着用されたときに、作業者が聴力保護デバイスから受ける騒音低減のレベルを、作業者ごと又は耳ごとに決定してよい。
【００４３】
図１Ａの例では、適合試験システムは、作業者１１２Ａ及び１１２Ｂの耳に着用された聴力保護に関する適合試験を実行してよい。いくつかの例では、適合試験システムは、適合試験システムによって測定された騒音レベル及び／又は騒音レベルに基づいて生成された任意の値がデータセンターのコンピューティングデバイス１０６のうちの１つ以上に格納されるように、データセンターのコンピューティングデバイス１０６に（有線通信及び／又は無線通信を介して）通信によって接続されるか、又はその他の方法で統合されてよい。いくつかの例では、適合試験のために着用される聴力保護の種類、適合試験に関与する作業者の識別情報、及び適合試験に関連付けられた任意のその他の情報が、格納のために、適合試験システムによってデータセンターのコンピューティングデバイス１０６に送信されてよい。このようにして、アプリケーション２２８は、本開示の技術を実行するときに、そのような適合試験情報にアクセスしてよい。いくつかの例では、適合試験装置のオペレータは、アプリケーション２２８によって提供されたユーザインターフェイスにアクセスして、そのような適合試験情報をデータセンターのコンピューティングデバイス１０６に送信してよい。
【００４４】
作業者が適合試験を受けた後に、作業者は、適合試験を受けた聴力保護を着用して、作業現場１１０に入ってよい。作業現場１１０で騒音レベルを測定するために、作業者１１２Ｂなどの１人以上の作業者は、作業者１１２Ｂに近接しているか又は取り付けられている騒音レベルモニター１１６を装備するか、又はその他の方法で取り付けてよい。図１Ａの例では騒音レベルモニターが参照されているが、「騒音レベルモニター」という用語は、本開示の技術に従って、「騒音暴露量計」と交換可能に使用されるか、又は「騒音暴露量計」と呼ばれてもよい。他の例では、騒音レベルモニターは、特定の時点で音の強度を測定するデバイスであってよい。いくつかの例では、音の強度は、音圧、又は代替として、騒音暴露若しくは騒音暴露量のことを指す場合がある。いくつかの例では、騒音レベルモニターは、暴露量計の機能を含む。騒音暴露量計は、ほんのいくつかの例を挙げれば、暴露量、ピーク、上限（upper limit）（ＵＬ）、実行時間、しきい値、暴露、Ｌａｖｇ／Ｌｅｑ（Ｌはレベル）、最大騒音レベル、予測暴露量、最小騒音レベルなどの、騒音レベル値を測定してよい。騒音レベルモニター１１６は、そのような騒音レベル値を、リアルタイム、定期的、又は非同期的に、作業現場のコンピューティングデバイス１０４に（又は、データセンターのコンピューティングデバイス１０６に直接）送信してよい。作業現場のコンピューティングデバイス１０４（又は、騒音レベルモニター１１６）は、騒音レベル値をネットワーク１０２を介してデータセンターのコンピューティングデバイス１０６に送信してよい。
【００４５】
いくつかの例では、各作業者１１２Ａ及び１１２Ｂはそれぞれ、ポータブルコンピューティングデバイス１１４Ａ及び１１４Ｂ（図１Ｂで更に説明される）を、代わりに、又は追加として、装備するか、又はその他の方法で取り付けてよい。ポータブルコンピューティングデバイス１１４Ａは、ポータブルコンピューティングデバイス１１４Ｂ、作業現場のコンピューティングデバイス１０４、及び／又はデータセンターのコンピューティングデバイス１０６のうちの任意の１つ以上と通信してよい。ポータブルコンピューティングデバイス１１４Ａは、作業者１１２Ａの地理的位置情報（又は、作業環境内の相対位置若しくは絶対位置）、コンピューティングデバイス１１４Ｂに近接している他のポータブルコンピューティングデバイス、作業現場の識別情報、又は作業現場１１０若しくはポータブルコンピューティングデバイスを着用している他の作業者（作業者１１２Ｂなど）に関連する任意のその他の情報を決定してよい。アプリケーション２２８は、ポータブルコンピューティングデバイス１１４によって作業現場１１０において捕捉されたか、又は生成された情報をデータセンターのコンピューティングデバイス１０６に提供することによって、地理的位置、近接情報、及び／又は作業現場識別情報のうちの１つ以上に基づいて、作業者１１４Ａが作業者１１４Ｂと同じ騒音レベル又は同様の騒音レベルに曝されているが、作業者１１４Ａが暴露量計を装備していないということを決定してよい。
【００４６】
ポータブルコンピューティングデバイス１１４Ａ及び１１４Ｂは、計算コンポーネント又はメモリコンポーネント及びＢｌｕｅｔｏｏｔｈ通信機能を含んでいるＢｌｕｅｔｏｏｔｈビーコンデバイスなどの、他の電子デバイス又は通信デバイスと通信してもよい。ポータブルコンピューティングデバイス１１４Ａ及び１１４Ｂは、参照によって本明細書に包含されているＷＯ２００９／０５１８９６（Ｉｎｓｌｅｙ他）に記載されているようなアクティブＲＦＩＤタグ又はパッシブＲＦＩＤタグを含む、スマートタグと通信してもよい。スマートタグは、視覚媒体又は音声媒体を介してデータを提供する光タグ又は音波タグを含んでもよい。そのようなスマートタグ、又はその他の電子デバイス若しくは通信デバイスは、個人用保護具（ＰＰＥ）（例えば、アクティブイヤーマフ若しくはパッシブイヤーマフ、又は挿入型聴力保護具を含む、聴力保護）に取り付けられるか、関連付けられるか、又は個人用保護具（ＰＰＥ）の一部であってよい。スマートタグは、タグが関連付けられているか、又は取り付けられているＰＰＥの物品を一意に識別する識別子、ＰＰＥの物品の動作を記述するデータ、ＰＰＥの物品のユーザの一意の識別子、又は任意のその他の適切なデータなどのデータを含んでよいが、これらに限定されない。
【００４７】
場合によっては、スマートタグ、又はその他の電子デバイス若しくは通信デバイスは、呼吸用保護具、保護眼鏡（バイザ、ゴーグル、フィルタ、又はシールドなど）、保護帽子（ハード帽子、フード、又はヘルメットなど）、保護靴、保護手袋、その他の保護服（カバーオール及びエプロンなど）、保護物品（センサ、安全工具、検出器、全地球測位デバイス、採鉱キャップランプ、及び任意のその他の適切な用具など）を含むが、これらに限定されない、その他の種類のＰＰＥに取り付けられてよい。安全システム１００は、このような種類のＰＰＥを含んでよく、ＰＰＥに関連する情報を追跡してよい。
【００４８】
場合によっては、ポータブルコンピューティングデバイスは、環境センサ１１８Ａ及び１１８Ｂと通信してよい。環境センサは、作業者１１２Ａ及び１１２Ｂが存在する領域又は作業環境に関する情報を検出してよい。例えば、環境センサ１１８Ａ及び１１８Ｂは暴露量計であってよく、本明細書に記載された騒音情報を検出してよい。場合によっては、環境センサは、電磁放射線、電離放射線、核放射線、化学薬品、生物学的分析者、微粒子、熱、運動を含む危険情報などの、環境に関するその他の種類の情報、並びに参照によって本明細書に包含されているＷＯ  ２００９／０３２４１７（Ｈｏｌｌｅｒ他）に記載されているようなその他の情報を検出してよい。いくつかの例では、環境センサ１１８Ａ及び１１８Ｂは、作業現場のコンピューティングデバイス１０４に通信によって接続された、ＲＦＩＤリーダ又はその他のリーダであることができる。作業者１１２が作業現場１１０に入るとき、及び出るときに、環境センサ１１８は、ポータブルコンピューティングデバイス１１４又はその他の装置との通信に基づいて、作業者が入ること、及び出ることを検出してよい。環境センサ１１８は、位置情報を提供してもよい。例えば、環境センサ１１８は、ポータブルコンピューティングデバイス１１４などのコンピューティングデバイスによって検出されてよい位置を提供する、ビーコン又はその他のデバイスであってよい。環境センサによって生成された任意のデータは、本開示の技術に従って、ポータブルコンピューティングデバイス１１４、作業現場のコンピューティングデバイス１０４、及び／又はデータセンターのコンピューティングデバイス１０６によって受信され、アプリケーション２２８によって使用されてよい。
【００４９】
図１Ａの例では、作業者１１２Ａ及び１１２Ｂは、チームとして作業現場１１０でタスクを実行してよく、したがって、互いにかなり近接して（例えば、互いにしきい値距離の範囲内で）作業してよい。例えば、しきい値距離は、５メートル、１０メートル、２０メートル、又は５０メートルを含んでよい。例えば、しきい値距離は、５〜１０メートル、５〜１０メートル、又は５〜５０メートルの範囲内に含まれてよい。作業者１１２Ａ及び１１２Ｂが作業現場１１０に入るときに、作業現場１１０に入ったことは、バッジ、ポータブルコンピューティングデバイス１１４、又は任意のその他の識別デバイスを使用して示されてよい。例えば、作業現場１１０は、１つ以上のリーダ、ビーコン、又は作業者のバッジ、ポータブルコンピューティングデバイス１１４Ａ、若しくは任意のその他の識別デバイスを検出してよいその他のコンピューティングデバイスを含んでよい。代替として、ポータブルコンピューティングデバイス１１４Ａは、リーダ、ビーコン、又はその他のコンピューティングデバイスを検出してよい。いずれの場合においても、ポータブルコンピューティングデバイス１１４Ａ、又はリーダ、ビーコン、若しくはその他の識別デバイスは、データのセットを作業現場のコンピューティングデバイス１０４又はデータセンターのコンピューティングデバイス１０６に送信してよい。作業現場のコンピューティングデバイス１０４は、データのセットをデータセンターのコンピューティングデバイス１０６に送信してよい。データのセットは、作業現場識別子、タイムスタンプ、及び一意の作業者識別子を含んでよいが、これらに限定されない。アプリケーション２２８は、本開示の技術に従って、このようなデータのセットを後で使用してよい。
【００５０】
作業者１１２Ａ及び１１２Ｂが作業現場１１０内で作業している間、騒音レベルモニター１１６は、騒音レベルを検出し、その騒音レベルを表す情報を格納してよい。騒音レベルモニター１１６は、騒音レベルを表す情報を作業現場のコンピューティングデバイス１０４に送信してよく、作業現場のコンピューティングデバイス１０４は、この情報をデータセンターのコンピューティングデバイス１０６に送信する。代替として、騒音レベルモニター１１６は、騒音レベルを表す情報をデータセンターのコンピューティングデバイス１０６に直接送信してよい。いくつかの例では、騒音レベルモニター１１６は、騒音レベルを表す情報をポータブルコンピューティングデバイス１１４Ｂに送信してよく、デバイス１１４Ｂは、この情報をコンピューティングデバイス１０４及び／又は１０６のうちの１つ以上に送信してよい。いくつかの例では、ポータブルコンピューティングデバイス１１４及び／又は騒音レベルモニター１１６は、騒音レベルを表す情報が位置情報を伴うように、作業現場内の位置情報を検出してよい。
【００５１】
作業者１１２Ｂなどの作業者が作業現場１１０を出るときに、ポータブルコンピューティングデバイス１１４Ｂ、又はリーダ、ビーコン、若しくはその他の識別デバイスは、作業者１１２Ａが作業現場１１０を出ようとしていることを示すデータのセットを、作業現場のコンピューティングデバイス１０４又はデータセンターのコンピューティングデバイス１０６に送信してよい。データのセットは、作業現場識別子、タイムスタンプ、一意の作業者識別子、騒音レベルを表す情報、及び騒音レベルに対応する位置情報を含んでよいがこれらに限定されない。このようにして、アプリケーション２２８は、本開示の技術を実行するときに、そのような情報にアクセスしてよい。
【００５２】
図１Ａに示されているように、アプリケーション２２８は、本開示の１つ以上の技術を実行してよい。例えば、アプリケーション２２８は、作業現場の騒音データ、個人又は作業者のグループに関する結果若しくは個人減衰評価、及び／又は様々な種類の聴力保護に関する騒音低減評価のうちの少なくとも１つ以上に基づいて、１つ以上の種類の聴力保護デバイスを推奨してよい。一例として、ユーザは、コンピューティングデバイス１０８を操作して、アプリケーション２２８によって提供されるユーザインターフェイスにアクセスしてよい。ユーザは、作業現場を指定するユーザ入力をユーザインターフェイスに入力してよい。ユーザは、作業者の識別情報を指定するユーザ入力をユーザインターフェイスに入力してもよい。アプリケーション２２８は、指定された作業現場の騒音レベル情報、及び特定のユーザに関する様々な種類の聴力保護デバイスに対して適合試験システムによって測定された騒音レベルを決定してよい。アプリケーション２２８は、各種の聴力保護デバイスのうちの１つ以上に関して、指定された作業現場の騒音レベル情報が、作業者によって着用された特定のモデルの聴力保護に対して適合試験システムによって測定された保護の上限、個人減衰評価、又は特定の種類の聴力保護デバイスに対して適合試験システムによって測定された騒音低減データを超えているかどうかを判定してよい。いくつかの例では、アプリケーション２２８は、このような判定に基づいて、聴力保護デバイスの種類の１つ以上のオプションを推奨してよく、それらの聴力保護デバイスの種類に関しては、指定された作業現場の騒音レベルは、指定された聴力保護デバイスの種類の減衰能力を超えず、作業者によって着用された聴力保護の特定の種類に対して適合試験システムによって測定された保護の上限も超えない。いくつかの例では、聴力保護の種々異なる種類は、種々異なるモデル、音量減衰評価、又は２つの異なる種類の聴力保護を区別する任意のその他の特性であってよい。
【００５３】
いくつかの例では、ポータブルコンピューティングデバイス１１４及び／又は騒音レベルモニター１１６は、ポータブルコンピューティングデバイス１１４及び／又は騒音レベルモニター１１６とのユーザ対話に関する情報を検出し、格納してよい。そのような対話は、作業者によって選択されるか若しくは選択されないポータブルコンピューティングデバイス１１４及び／又は若しくは騒音レベルモニター１１６の特徴、それらの特徴が作業者によって選択されるか若しくは選択されない頻度、それらの特徴が作業者によって選択されるか若しくは選択されない回数若しくは環境、又はポータブルコンピューティングデバイス１１４及び／若しくは騒音レベルモニター１１６の機能に関して作業者によって実行されるか若しくは実行されない任意のその他対話を決定することを含んでよい。ポータブルコンピューティングデバイス１１４及び／又は騒音レベルモニター１１６は、そのような対話を示すデータを、作業現場のコンピューティングデバイス１０４に送信する（コンピューティングデバイス１０４は、このデータをデータセンターのコンピューティングデバイス１０６に送信する）か、又はデータセンターのコンピューティングデバイス１０６に直接送信してよい。
【００５４】
アプリケーション２２８は、作業者によって選択されるか若しくは選択されないポータブルコンピューティングデバイス１１４及び／若しくは騒音レベルモニター１１６の特徴、それらの特徴が作業者によって選択されるか若しくは選択されない頻度、それらの特徴が作業者によって選択されるか若しくは選択されない回数若しくは環境、又はポータブルコンピューティングデバイス１１４及び／若しくは騒音レベルモニター１１６の機能に関して作業者によって実行されるか若しくは実行されない任意のその他対話の統計情報を生成してよい。これらの統計情報に基づいて、アプリケーション２２８は、作業者によって使用される、ポータブルコンピューティングデバイス１１４及び／又は騒音レベルモニター１１６の特徴及び／又は機能の１つ以上の順序付けられたリスト、セット、又は選択を生成してよい。一例として、アプリケーション２２８は、１人以上の作業者のセットが特定の機能を選択するか、又はその他の方法で使用する頻度によって順序付けられた、騒音レベルモニター１１６によって提供される機能のリストを作成してよい。アプリケーション２２８は、作業者によって騒音レベルモニター１１６の機能が使用される頻度をユーザが識別できるように、表示のための順序付けられたリストを、コンピューティングデバイス１０８のユーザインターフェイスに出力してよい。いくつかの例では、アプリケーション２２８は、生成された統計情報のうちの１つ以上がしきい値を満たす（例えば、しきい値以上であるか、又はしきい値以下である）場合に、アプリケーション２２８に登録された１人以上のユーザに、１つ以上の警告を自動的に送信してよい。そのようなユーザは、作業現場の監督者、作業現場の安全管理者、又は作業現場に対して責任のある管理者を含んでよい。警告は、テキストメッセージ、電子メール、電話、又は任意のその他の適切な通知であってよい。そのような特徴の追跡によって、機器の様々な特徴及び／又は機能が正しく動作していないか、又は作業者にとって役に立たないか、若しくは望ましくない場合に、そのような特徴及び／又は機能が、作業者によって使用されているのか使用されていないのかを、そのようなユーザが決定できるようにしてよい。
【００５５】
いくつかの例では、アプリケーション２２８は、基準オージオグラムに対する個人の聴力しきい値における変化であってよい標準しきい値シフト（ＳＴＳ）を識別してよい。そのため、アプリケーション２２８は、特定の作業者でのＳＴＳを、その作業者が特定の騒音レベルを有する特定の領域内で作業したということに関連付けてよい。そのような例では、この騒音レベルがＳＴＳを引き起こした可能性があるということが推測されてよい。いくつかの例では、アプリケーション２２８は、過去のタイムフレームにわたる騒音レベルの変化の可視化１２２を含むユーザインターフェイス１２０を、表示のために出力してよい。いくつかの例では、可視化１２２は、１つ以上のインジケータ及び／又は色、サイズ、位置、若しくは任意のその他の視覚特性における形式の変更を使用して、しきい値を満たす騒音レベルを強調表示するか、又はその他の方法で示してよい。例えば、グラフィックインジケータ１２４は、視覚化１２２において示されている、しきい値を超える騒音レベルにおける変化を示す。アプリケーション２２８が、しきい値を満たす個人に関する騒音レベルにおける変化（例えば、しきい値以上になるか、又はしきい値以下になる）を識別した場合、アプリケーション２２８は、アプリケーション２２８の１人以上の登録されたユーザに警告を送信してよい。いくつかの例では、この警告は、作業者識別子、作業現場識別子、騒音レベル情報、しきい値を満たす騒音レベルにおける変化の日付及び／若しくは時刻、しきい値を満たす騒音レベルにおける変化の日付及び／若しくは時刻に対応する作業現場内の位置、聴力保護デバイス識別子、又は騒音レベルにおける変化に関連する任意のその他の情報のうちの１つ以上を指定してよい。いくつかの例では、アプリケーション２２８は、しきい値を満たす騒音レベルにおける変化の日付及び／又は時刻に対応する作業現場内の位置を示すデータに基づいて、騒音源（例えば、機械、積み込み／荷下ろし領域、又は騒音を生成する任意のその他の発生源）を識別してよい。例えば、アプリケーション２２８は、作業現場内の騒音源の位置を示す、データセンターのコンピューティングデバイス１０６内の位置データにアクセスしてよい。
【００５６】
アプリケーション２２８は、特定の作業者に関する騒音レベルにおける変化を検出することに応答して、特定の作業者の位置からしきい値距離の範囲内にある騒音源を識別してよい。例えば、アプリケーション２２８は、騒音レベルにおける変化が検出されたときの特定の作業者の位置を決定してよく、特定の作業者の位置からしきい値距離の範囲内にある騒音源の位置を識別してよい。アプリケーション２２８は、１つ以上の騒音源を検出したときに、１つ以上の警告を１人以上の登録されたユーザに送信してよい。１つ以上の警告は、騒音レベルにおける変化が検出されたときの特定の作業者の位置、特定の作業者の位置からしきい値距離の範囲内にある騒音源の位置、騒音のレベル、騒音のレベルにおける変化、及び／又は騒音源の識別情報（例えば、機械、積み込み領域などの名前又は識別子）を示してよいが、これらに限定されない。
【００５７】
いくつかの例では、騒音源の種類が、データセンターのコンピューティングデバイス１０６内の騒音源の位置及び／又は名前に関連付けられてもよい。アプリケーション２２８は、騒音源の種類に基づいて、警告の中で推奨を提供してよい。この推奨は、アプリケーション２２８によって格納されたルールに基づいてよく、このルールは、条件及びアクションを含む。アプリケーション２２８は、条件が満たされたときにアクションを実行してよい。例えば、アプリケーション２２８は、騒音源の種類の条件が「機械」である場合、騒音源（すなわち、機械）に対してメンテナンスを実行することの推奨を含んでいる警告を送信することをアクションが含んでよいということを決定してよい。メンテナンスを必要としているか又は予期しない問題が発生した機械は、通常動作よりも大きいレベルで騒音を発することがあるため、アプリケーション２２８は、そのようなルールを含んでよい。別の例では、推奨はルールに基づいてよく、このルールの条件は、騒音レベルにおける変化を経験している作業者に対して、聴力保護デバイスのレベルによって提供される騒音低減の現在の量が、しきい値を満たしているかどうかを判定する。このルールのアクションは、より大きい騒音低減を提供する聴力保護デバイスの１つ以上の種類を決定することと、１つ以上の種類の聴力保護デバイスを使用することの推奨を作業者及び／又は１人以上の登録されたユーザに送信することとを含んでよい。このようにして、アプリケーション２２８は、騒音によって引き起こされる作業者の聴力損失を低減又は防止するように、作業者及び／又は１人以上の登録されたユーザに積極的に通知してよい。アプリケーション２２８が、（例えば、作業現場で作業者を検出し、ユーザが以前に適合試験を受けていないか、若しくは聴力保護を割り当てられておらず、かつ／又はユーザに取り付けられているか、若しくは近接しているポータブルコンピューティングデバイスが、ユーザが聴力保護を着用していないことを示していることを検出することに基づいて）作業者が聴力保護を現在着用していないということを決定した場合、アプリケーション２２８は、騒音レベルに関して十分な騒音低減を提供する聴力保護をユーザが着用するという推奨を含む警告を、作業者及び／又は１人以上の他のユーザに送信してよい。いくつかの例では、アプリケーション２２８は、作業者が複数の異なる種類のＰＰＥを着用していることを決定してよい。第１の種類のＰＰＥで警告が発生した場合（例えば、作業者が聴力保護を着用していない場合）、アプリケーション２２８は、警告が発生したＰＰＥも着用している作業者によって着用されている第２の異なる種類のＰＰＥの物品（例えば、動力付き空気浄化人工呼吸装置のヘッドトップ）に、通知を送信してよい。
【００５８】
いくつかの例では、アプリケーション２２８は、騒音を出す領域を含んでいる作業現場内の作業者の位置及び継続パターンを識別して、作業者が聴力保護を必要とするかどうかを決定してよい。作業者がすでに保護を着用している場合、アプリケーション２２８は、その継続期間の間、聴力保護が十分であるかどうかを判定してよい。例えば、アプリケーション２２８は、作業者が特定の騒音レベルに曝されてよい最大期間を指定する所定の継続期間データにアクセスしてよい。作業者が、使用される特定の聴力保護デバイスの、特定の騒音レベルでの最大期間を超えた場合、その作業者は、聴力の損傷又は損失の危険に曝される恐れがある。アプリケーション２２８は、作業現場のコンピューティングデバイス１０４及び／又は作業者自身のデバイスから送信された作業現場のデータに基づいて、作業者が様々な騒音レベルに曝されていた期間を決定してよい。作業者が作業現場で耳栓を着用して、特定の騒音レベルで、特定の期間作業する場合、アプリケーション２２８は、継続期間、騒音レベル、及びユーザによって着用された聴力保護の種類を監視し、その継続期間全体での騒音の量がしきい値を超えるかどうかを判定してよく、超える場合は、警告を提供してよい。１つのシナリオの例として、作業者は、１日当たり８時間の作業現場の騒音レベルに対して定格が定められた特定の種類の聴力保護デバイスを着用して、８時間の間、第１の作業現場で作業する場合がある。この作業者が後で同じ日に、騒音レベルが類似しているか、又は更に高い第２の作業現場で作業を開始した場合、アプリケーション２２８は、この作業者が、１日の聴力保護デバイスの騒音のしきい値量を超えたことを決定してよい。したがって、アプリケーション２２８は、異なる形態又は補助的形態の聴力保護を指定する警告を、作業者及び／又は１人以上の他のユーザに送信してよい。
【００５９】
いくつかの例では、アプリケーション２２８は、異常パターン分析を介して外れ値又は異常を識別してよい。作業の役割及び領域が類似しているグループのうちの１人の作業者が、グループの他の作業者と比較した場合に異常であるＳＴＳを持っていることがあり、したがって、このＳＴＳの原因が、作業／仕事以外に関連している場合がある。例えば、アプリケーション２２８は、ある期間にわたって互いにしきい値距離の範囲内で一緒に作業した作業者のセットを決定してよい。前述したように、アプリケーション２２８は、特定の聴力保護を着用している特定の作業者に対して測定された騒音低減又は保護された暴露を示す、適合試験データを含んでもよい。アプリケーション２２８は、適合試験データに基づいて、互いにしきい値距離の範囲内で作業している作業者のセット全体のうちの１人以上の作業者のサブセットで、他の作業者の適合試験データと比較した場合に異常であるＳＴＳが発生しているということを決定してよい。ＳＴＳは、しきい値を満たしている（例えば、しきい値以上であるか、又はしきい値以下である）ことがある。アプリケーション２２８は、ＳＴＳの検出に応答して、作業者のセット全体に含まれる各作業者及び／又はアプリケーション２２８の１人以上の他のユーザに警告を送信してよい。このようにして、警告された作業者及び／又は他のユーザは、互いにしきい値距離の範囲内で作業した作業者のセット全体のサブセットのみにおいて、ＳＴＳの原因を更に調査してよい。
【００６０】
いくつかの例では、聴力保護の１つ以上の種類は、作業者が聴力保護を着用しているかどうかの検出を可能にする、１つ以上のセンサ及び／又はコンピューティングデバイスを含んでよい。例えば、聴力保護は、聴力保護が作業者によって現在着用されているかどうかを示すタッチセンサ又は張力センサを含んでよい。いくつかの例では、聴力保護は、リモートリーダのセットが、聴力保護が作業者の頭部で使用中であるかどうかを判定できるように、位置の三角測量を提供するために、１つ以上のスマートタグ又はＲＦＩＤセンサを含んでよい。聴力保護が作業者の頭部上で使用中であるかどうかを判定するために、その他の技術も可能である。いずれの場合も、聴力保護が作業者の頭部で使用中であるかどうかを示すデータは、データセンターのコンピューティングデバイス１０６に直接送信されるか、又は作業現場のコンピューティングデバイス１０４、個人のコンピューティングデバイス１１４、若しくは聴力保護具自体を介してデータセンターのコンピューティングデバイス１０６に送信されてよい。アプリケーション２２８は、聴力保護が作業者の頭部で使用中であるかどうかを判定することに基づいて、作業者が特定の聴力保護デバイスをいつ着用したか、及び／又はどのくらいの間着用しているかに関して、着用期間を決定してよい。アプリケーション２２８は、着用時間データをＳＴＳに関連付け、ＳＴＳが、騒音レベルが聴力保護を必要とする指定された領域内で作業者が聴力保護を正しく使用しなかったことの結果であるかどうかを識別してよい。
【００６１】
図１Ｂは、本開示の技術に従って、図１Ａに示されたデータハブを示している。図１Ｂは、プロセッサ１３０、通信ユニット１３２、ストレージデバイス１３４、ユーザインターフェイスデバイス１３６、ＰＰＥコンポーネント１３８、通知コンポーネント１４０、及びＰＰＥデータ１４２を含んでいるデータハブ１１４Ａのコンポーネントを示している。図１Ｂは、データハブ１１４Ａの特定の１つの例のみを示している。データハブ１１４Ａの多くの他の例が、その他の事例において使用されてよく、データハブ１１４Ａの例に含まれるコンポーネントのサブセットを含んでよく、又は図１Ｂのデータハブ１１４Ａの例に示されていない追加のコンポーネントを含んでよい。いくつかの例では、データハブ１１４Ａは、データハブ１１４Ａに示されている機能又はコンポーネントのセット、サブセット、又はスーパーセットを含んでよい、本質的に安全なコンピューティングデバイス、スマートフォン、手首若しくは頭部装着型コンピューティングデバイス、又は任意のその他のコンピューティングデバイスであってよい。通信チャネルは、コンポーネント間通信のために、データハブ１１４Ａ内の各コンポーネントを（物理的に、通信によって、及び／又は動作可能なように）相互連結してよい。いくつかの例では、通信チャネルは、ハードウェアバス、ネットワーク接続、１つ以上のプロセス間通信データ構造、又はハードウェア及び／若しくはソフトウェア間でデータを通信するための任意のその他のコンポーネントを含んでよい。
【００６２】
１つ以上のプロセッサ１３０は、データハブ１１４Ａ内の機能を実装すること及び／又は命令を実行することができる。例えば、プロセッサ１３０は、ストレージデバイス４０４によって格納された命令を受信し、実行してよい。プロセッサ１３０によって実行されるこれらの命令は、データハブ１１４Ａに、プログラム実行中にストレージデバイス１３４内の情報を格納及び／又は変更させてよい。プロセッサ１３０は、ＰＰＥコンポーネント１３８及び通知コンポーネント１４０などのコンポーネントの命令を実行して、本開示の技術に従って１つ以上の動作を実行してよい。すなわち、ＰＰＥコンポーネント１３８及び通知コンポーネント１４０は、本明細書に記載された様々な機能を実行するように、プロセッサ１３０によって動作可能であってよい。
【００６３】
データハブ１１４Ａは、ユーザ入力を受信すること及び／又は情報をユーザに出力することを実行するために、１つ以上のユーザインターフェイスデバイス１３６を含んでよい。ユーザインターフェイスデバイス１３６の１つ以上の入力コンポーネントは、入力を受信してよい。入力の例としては、ほんのいくつかの例を挙げれば、触知入力、オーディオ入力、運動入力、及び光入力がある。１つの例では、データハブ１１４Ａのユーザインターフェイスデバイス１３６は、音声応答システム、ビデオカメラ、ボタン、制御パッド、マイクロホン、又は人間若しくは機械からの入力を検出するための任意のその他の種類のデバイスを含む。いくつかの例では、ＵＩデバイス１３６は、存在感知スクリーン、タッチ感知スクリーンなどを含んでよい、存在感知入力コンポーネントであってよい。
【００６４】
ユーザインターフェイスデバイス１３６の１つ以上の出力コンポーネントは、出力を生成してよい。出力の例としては、触知出力、オーディオ出力、及びビデオ出力がある。いくつかの例では、ユーザインターフェイスデバイス４０８の出力コンポーネントは、存在感知スクリーン、サウンドカード、ビデオグラフィックアダプタカード、スピーカ、陰極線管（cathode ray tube、ＣＲＴ）モニター、液晶ディスプレイ（liquid crystal display、ＬＣＤ）、又は人間若しくは機械への出力を生成するための任意のその他の種類のデバイスを含む。出力コンポーネントとしては、陰極管（ＣＲＴ）モニター、液晶ディスプレイ（ＬＣＤ）、発光ダイオード（Light−Emitting Diode、ＬＥＤ）、又は触知出力、オーディオ出力、及び／若しくは視覚出力を生成するための任意のその他の種類のデバイスなどの、ディスプレイコンポーネントを挙げることができる。出力コンポーネントは、いくつかの例では、データハブ１１４Ａと一体化してよい。
【００６５】
ＵＩデバイス１３６は、ディスプレイ、ライト、ボタン、キー（矢印又はその他のインジケータキーなど）を含んでよく、警報を発すること又は振動することなどによって、様々な方法でユーザに警告を提供することができてよい。ユーザインターフェイスは、様々な機能に使用され得る。例えば、ユーザはユーザインターフェイスを介して警告に対して確認応答又はスヌーズすることができてよい。ユーザインターフェイスは、ユーザのすぐ手の届く範囲内にないヘッドトップ及び／又は動力付き空気浄化人工呼吸装置の周辺機器の設定を制御するために使用されてもよい。例えば、動力付き空気浄化人工呼吸装置は、着用者が著しい困難なしに制御器にアクセスすることができない背下部で着用されることがある。
【００６６】
データハブ１１４Ａの１つ以上の通信ユニット１３２は、データを送信及び／又は受信することにより、外部デバイスと通信してよい。例えば、データハブ１１４Ａは、通信ユニット１３２を使用して、セルラー無線ネットワークなどの無線ネットワーク上で無線信号を送信及び／又は受信してよい。いくつかの実施例では、通信ユニット１３２は、全地球測位システム（Global Positioning System、ＧＰＳ）ネットワークなどの衛星ネットワーク上で衛星信号を送信及び／又は受信してよい。通信ユニット１３２の例としては、ネットワークインターフェイスカード（例えば、イーサネットカードなどの）、光送受信機、無線周波数送受信機、ＧＰＳ受信機、又は情報を送信及び／若しくは受信することができる任意の他の種類のデバイスが挙げられる。通信ユニット１３２の他の例としては、モバイルデバイスに見られるＢｌｕｅｔｏｏｔｈ（登録商標）、ＧＰＳ、３Ｇ、４Ｇ、及びＷｉ−Ｆｉ（登録商標）無線通信、並びにユニバーサルシリアルバス（Universal Serial Bus、ＵＳＢ）コントローラなどを挙げることができる。
【００６７】
データハブ１１４Ａ内の１つ以上のストレージデバイス１３４は、データハブ１１４Ａの動作中に処理するための情報を格納してよい。いくつかの例では、ストレージデバイス１３４は、一時メモリであり、これはストレージデバイス１３４の主要目的が長期の格納ではないことを意味する。ストレージデバイス１３４は、情報の短期格納用に揮発性メモリとして構成されてよく、したがって、動作を停止された場合に格納された内容を保持しない。揮発性メモリの例としては、ランダムアクセスメモリ（random access memories、ＲＡＭ）、ダイナミックランダムアクセスメモリ（dynamic random access memories、ＤＲＡＭ）、スタティックランダムアクセスメモリ（static random access memories、ＳＲＡＭ）、及び当該技術分野で既知の他の形態の揮発性メモリが挙げられる。
【００６８】
いくつかの例では、ストレージデバイス１３４は、１つ以上のコンピュータ可読記憶媒体も含む。ストレージデバイス１３４は、揮発性メモリよりも多くの情報を格納するように構成されてよい。ストレージデバイス１３４は、不揮発性メモリ空間として、情報の長期格納用に更に構成され、アクティブ化／オフサイクルの後で情報を保持してよい。不揮発性メモリの例としては、磁気ハードディスク、光ディスク、フロッピィディスク、フラッシュメモリ、又は電気的プログラマブルメモリ（electrically programmable memories、ＥＰＲＯＭ）若しくは電気的消去可能及びプログラマブルメモリ（electrically erasable and programmable memories、ＥＥＰＲＯＭ）の形態が挙げられる。ストレージデバイス１３４は、ＰＰＥコンポーネント１３８及び通知コンポーネント１４０などのコンポーネントに関連付けられたプログラム命令及び／又はデータを格納してよい。
【００６９】
データハブ１１４Ａは、データハブ１１４Ａに示されたコンポーネントに電力を供給するために、バッテリなどの電源を含んでもよい。リチウムイオンバッテリなどの充電式バッテリは、コンパクトで長寿命の電力源を提供することができる。データハブ１１４Ａは、データハブ１１４Ａを充電できるようにするために、露出されているか、又はハブの外部からアクセス可能な電気接点を有するように適応されてよい。
【００７０】
図１Ｂは、データハブ１１４Ａに含まれたＰＰＥデータ１４２を示している。ＰＰＥデータ１４２は、データハブ１１４Ａに通信によって接続されたＰＰＥの各物品を識別するリスト、セット、又はその他の構造のデータを含んでよい。いくつかの例では、ＰＰＥデータは、各ＰＰＥデータ１４２の一意のデバイス識別子であってよい。いくつかの例では、ＰＰＥデータ１４２は、ＰＰＥデータ１４２と通信するか、若しくはＰＰＥデータ１４２に近接しているか、又はその両方であるＰＰＥの１つ以上の物品に関する動作データ、又はそれらの物品から受信された動作データを含んでもよい。例えば、ＰＰＥデータは、動力付き空気浄化人工呼吸装置、落下保護具、聴力保護具、防護服、頭部／目／顔面保護、又は任意のその他のＰＰＥのうちの１つ以上の動作又は使用を表す１つ以上の指標を示してよい。
【００７１】
いくつかの例では、ＰＰＥコンポーネント１３８は、ＰＰＥの１つ以上の物品、ビーコン、作業現場のコンピューティングデバイス、データセンター、又は任意のその他のコンピューティングデバイスの間でデータを送信及び受信してよい。いくつかの例では、ＰＰＥコンポーネント１３８は、ビーコン、作業現場のコンピューティングデバイス、及びＰＰＥの１つ以上の物品から受信されたデータを記録してよい。ＰＰＥコンポーネント１３８は、構成データをＰＰＥの物品に送信してよく、このデータは、ビーコン、作業現場のコンピューティングデバイス、データセンター、又はその他のリモートコンピューティングデバイスから受信されている。このようにして、ＰＰＥの物品の動作は、ＰＰＥコンポーネント１３８によって受信されたデータに基づいて変更されてよい。
【００７２】
いくつかの例では、ＰＰＥコンポーネント１３８は、ＵＩデバイス１３６に、表示のためにグラフィカルユーザインターフェイスを出力させてよい。グラフィカルユーザインターフェイスは、１つ以上の入力制御部、グラフィックス、又は本開示で説明された任意のデータ若しくは情報を表示する任意のその他の視覚コンポーネントを含んでよい。例えば、グラフィカルユーザインターフェイスは、作業者が曝される騒音レベル及び／又は騒音レベルがしきい値を超えているかどうかを示してよい。いくつかの例では、騒音レベルは、作業環境内の特定の位置及び／又は作業環境内で騒音レベルが検出された特定の時間に関するものであってよい。他の例では、グラフィカルユーザインターフェイスは、警告、作業環境の危険性、個人用保護具の動作データ、又は作業者、ＰＰＥ、若しくは作業環境に関連する任意のその他のデータを示す視覚コンポーネントを含んでよい。
【００７３】
通知コンポーネント１４０は、データハブ１１４Ａ及び／又はＰＰＥの１つ以上の物品で、１つ以上の通知又は警告を生成してよい。通知の例は、視覚、音声、又は触覚による警告を含んでよい。一例として、通知コンポーネント１４０は、データハブ１１４Ａに、ビーコン、作業現場のコンピューティングデバイス、データセンター、又はその他のリモートコンピューティングデバイスからの通知データの受信に応答して通知を生成させてよい。
【００７４】
本開示では、様々な動作が、データハブ１１４Ａ及びアプリケーション２２８（及び、作業現場のコンピューティングデバイスなどのその他のコンピューティングデバイス）などの特定のコンピューティングデバイスで実行されるとして説明されているが、本開示において説明された動作のいずれかは、コンピューティングデバイスのいずれかで実行されてよい。例えば、アプリケーション２２８によって実行されるとして説明された機能の１つ以上のセットは、データハブ１１４Ａで実行されてよい。同様に、データハブ１１４Ａで実行されるとして説明された機能の１つ以上のセットは、アプリケーション２２８で実行されてよい。個人用保護具自体を含む任意の数のコンピューティングデバイスにわたる、機能のそのような分散、分割、又は割り当てが可能である。
【００７５】
図２は、本開示の１つ以上の態様による、例示的なコンピューティングデバイスを示すブロック図である。図２は、コンピューティングデバイス２００の特定の一例のみを示している。コンピューティングデバイス２００の多くの他の例は、その他の事例において使用されてよく、コンピューティングデバイス２００の例に含まれたコンポーネントのサブセットを含んでよく、又は図２のコンピューティングデバイス２００の例に示されていない追加のコンポーネントを含んでよい。いくつかの例では、コンピューティングデバイス２００は、図１Ａのコンピューティングデバイス１０６Ａ〜１０６Ｃのうちの１つであってよい。いくつかの実施例では、コンピューティングデバイス２００は、アプリケーション２２８に含まれた機能のセット、サブセット、又はスーパーセットを実行してよい、タブレットコンピューティングデバイス、スマートフォン、手首若しくは頭部装着型コンピューティングデバイス、ラップトップ、デスクトップコンピューティングデバイス、又は任意のその他のコンピューティングデバイスであってよい。
【００７６】
図２の例に示すように、コンピューティングデバイス２００は、ユーザスペース２０２、カーネルスペース２０４、及びハードウェア２０６に論理的に分割されてよい。ハードウェア２０６は、ユーザスペース２０２及びカーネルスペース２０４内で稼働するコンポーネント用の動作環境を提供する、１つ以上のハードウェアコンポーネントを含んでよい。ユーザスペース２０２及びカーネルスペース２０４は、メモリの異なる区域又は区分を表してよく、カーネルスペース２０４は、ユーザスペース２０２より、処理及びスレッドに対して高い権限を提供する。例えば、カーネルスペース２０４は、ユーザスペース２０２内で稼働するコンポーネントより高い権限を有して動作するオペレーティングシステム２２０を含んでよい。
【００７７】
図２に示すように、ハードウェア２０６は、１つ以上のプロセッサ２０８、入力コンポーネント２１０、ストレージデバイス２１２、通信ユニット２１４、及び出力コンポーネント２１６を含む。プロセッサ２０８、入力コンポーネント２１０、ストレージデバイス２１２、通信ユニット２１４、及び出力コンポーネント２１６はそれぞれ、１つ以上の通信チャネル２１８によって相互連結されてよい。通信チャネル２１８は、コンポーネント間通信のために、コンポーネント２０８、２１０、２１２、２１４、及び２１６のそれぞれを（物理的に、通信によって、及び／又は動作可能なように）相互連結してよい。いくつかの実施例では、通信チャネル２１８は、システムバス、ネットワーク接続、１つ以上のプロセス間通信データ構造、又はハードウェア及び／若しくはソフトウェア間でデータを通信するための任意のその他のコンポーネントを含んでよい。
【００７８】
１つ以上のプロセッサ２０８は、コンピューティングデバイス２００内の機能を実装すること及び／又は命令を実行することができる。例えば、コンピューティングデバイス２００上のプロセッサ２０８は、カーネルスペース２０４及びユーザスペース２０２に含まれているコンポーネントの機能を提供する、ストレージデバイス２１２によって格納された命令を受信して実行してよい。プロセッサ２０８によって実行されるこれらの命令は、コンピューティングデバイス２００に、プログラム実行中にストレージデバイス２１２内の情報を格納及び／又は変更させてよい。プロセッサ２０８は、カーネルスペース２０４及びユーザスペース２０２内のコンポーネントの命令を実行して、本開示の技術に従って１つ以上の動作を実行してよい。すなわち、ユーザスペース２０２及びカーネルスペース２０４に含まれているコンポーネントは、本明細書に記載された様々な機能を実行するように、プロセッサ２０８によって動作可能であってよい。
【００７９】
コンピューティングデバイス２００の１つ以上の入力コンポーネント２４２は、入力を受信してよい。入力の例としては、ほんのいくつかの例を挙げれば、触知入力、オーディオ入力、運動入力、及び光入力がある。１つの例では、コンピューティングデバイス２００の入力コンポーネント２４２は、マウス、キーボード、音声応答システム、ビデオカメラ、ボタン、制御パッド、マイクロホン、又は人間若しくは機械からの入力を検出するための任意のその他の種類のデバイスを含む。いくつかの例では、入力コンポーネント２４２は、存在感知スクリーン、タッチ感知スクリーンなどを含んでよい、存在感知入力コンポーネントであってよい。
【００８０】
コンピューティングデバイス２００の１つ以上の出力コンポーネント２１６は、出力を生成してよい。出力の例としては、触知出力、オーディオ出力、及び視覚出力がある。いくつかの例では、コンピューティングデバイス２００の出力コンポーネント２１６は、存在感知スクリーン、サウンドカード、ビデオグラフィックアダプタカード、スピーカ、陰極線管（ＣＲＴ）モニター、液晶ディスプレイ（ＬＣＤ）、又は人間若しくは機械への出力を生成するための任意のその他の種類のデバイスを含む。出力コンポーネントとしては、陰極管（ＣＲＴ）モニター、液晶ディスプレイ（ＬＣＤ）、発光ダイオード（ＬＥＤ）、又は触知出力、オーディオ出力、及び／若しくは視覚出力を生成するための任意のその他の種類のデバイスなどの、ディスプレイコンポーネントを挙げることができる。出力コンポーネント２１６は、いくつかの例では、コンピューティングデバイス２００と一体化してよい。他の例では、出力コンポーネント２１６は、コンピューティングデバイス２００に対して物理的に外部にあり、かつ別個であってよいが、有線又は無線通信を介してコンピューティングデバイス２００に操作可能なように連結されてよい。出力コンポーネントは、コンピューティングデバイス２００の外側パッケージング内に配置されてそれに物理的に接続された、コンピューティングデバイス２００の組込コンポーネント（例えば、携帯電話上のスクリーン）であってよい。別の例では、存在感知ディスプレイ２０２は、コンピューティングデバイス２００のパッケージングの外側に配置されて物理的に分離したコンピューティングデバイス２００の外部コンポーネント（例えば、タブレットコンピュータと有線及び／又は無線データ経路を共有するモニター、プロジェクタなど）であってよい。
【００８１】
コンピューティングデバイス２００の１つ以上の通信ユニット２１４は、データを送信及び／又は受信することにより、外部デバイスと通信してよい。例えば、コンピューティングデバイス２００は、通信ユニット２１４を使用して、セルラー無線ネットワークなどの無線ネットワーク上で無線信号を送信及び／又は受信してよい。いくつかの例では、通信ユニット２１４は、全地球測位システム（ＧＰＳ）ネットワークなどの衛星ネットワーク上で衛星信号を送信及び／又は受信してよい。通信ユニット２１４の例としては、ネットワークインターフェイスカード（例えば、イーサネットカードなどの）、光送受信機、無線周波数送受信機、ＧＰＳ受信機、又は情報を送信及び／若しくは受信することができる任意の他の種類のデバイスが挙げられる。通信ユニット２１４の他の例としては、モバイルデバイスに見られるＢｌｕｅｔｏｏｔｈ（登録商標）、ＧＰＳ、３Ｇ、４Ｇ、及びＷｉ−Ｆｉ（登録商標）無線通信、並びにユニバーサルシリアルバス（ＵＳＢ）コントローラなどを挙げることができる。
【００８２】
コンピューティングデバイス２００内の１つ以上のストレージデバイス２１２は、コンピューティングデバイス２００の動作中に処理するための情報を格納してよい。いくつかの例では、ストレージデバイス２１２は、一時メモリであり、これはストレージデバイス２１２の主要目的が長期の格納ではないことを意味する。コンピューティングデバイス２００上のストレージデバイス２１２は、情報の短期格納用に揮発性メモリとして構成されてよく、したがって、動作を停止された場合に格納された内容を保持しない。揮発性メモリの例としては、ランダムアクセスメモリ（ＲＡＭ）、ダイナミックランダムアクセスメモリ（ＤＲＡＭ）、スタティックランダムアクセスメモリ（ＳＲＡＭ）、及び当該技術分野で既知の他の形態の揮発性メモリが挙げられる。
【００８３】
いくつかの例では、ストレージデバイス２１２は、１つ以上のコンピュータ可読記憶媒体も含む。ストレージデバイス２１２は、揮発性メモリよりも多くの情報を格納するように構成されてよい。ストレージデバイス２１２は、不揮発性メモリ空間として、情報の長期格納用に更に構成され、アクティブ化／オフサイクルの後で情報を保持してよい。不揮発性メモリの例としては、磁気ハードディスク、光ディスク、フロッピィディスク、フラッシュメモリ、又は電気的プログラマブルメモリ（ＥＰＲＯＭ）若しくは電気的消去可能及びプログラマブルメモリ（ＥＥＰＲＯＭ）の形態が挙げられる。ストレージデバイス２１２は、ユーザスペース２０２及び／又はカーネルスペース２０４に含まれたコンポーネントに関連付けられたプログラム命令及び／又はデータを格納してよい。
【００８４】
図２に示すように、アプリケーション２２８は、コンピューティングデバイス２００のユーザスペース２０２で稼働する。アプリケーション２２８は、プレゼンテーション層２２２、アプリケーション層２２４、及びデータ層２２６に論理的に分割されてよい。プレゼンテーション層２２２は、図３〜２０に示されているユーザインターフェイスなどの、アプリケーション２２８のユーザインターフェイスを生成して描画するユーザインターフェイス（user interface、ＵＩ）コンポーネント２２８を含んでよい。アプリケーション層２２４は、推奨コンポーネント２３０、監視コンポーネント２３２、警告コンポーネント２３４、及びロギングコンポーネント２３６を含んでよい。ロギングコンポーネント２３６は、作業現場のコンピューティングデバイス（例えば、図１Ａの作業現場のコンピューティングデバイス１０４）、ポータブルコンピューティングデバイス１１４、及び／又は任意のその他のコンピューティングデバイスから、様々なデータを受信してよい。ロギングコンポーネント２３６は、作業者データ２３８、機器データ２４０、作業現場データ２４２、活動データ２４４、及び／又は任意のその他のデータなどの、ただしこれらに限定されない、データを含んでいる、１つ以上のデータストアにデータを格納してよい。作業者データ２３８、機器データ２４０、作業現場データ２４２、活動データ２４４のデータストアは、リレーショナルデータベース管理システム、オンライン分析処理データベース、テーブル、又はデータを格納するための任意のその他の適切な構造のうちのいずれか１つ以上であってよい。ロギングコンポーネント２３６は、ロギングコンポーネント２３６によって受信されたデータを説明する、タイムスタンプ情報、送信元情報、優先度情報、又は任意のその他の情報などのメタデータを生成及び／又は格納してよい。
【００８５】
作業者データ２３８は、氏名、住所、年齢、作業者指定、企業、適合試験データ、又は作業者に関連する任意のその他のデータなどの、ただしこれらに限定されない、作業者識別情報を含んでよい。いくつかの例では、作業者データ２３８は、体温、心拍数、又は任意のその他の生体測定値を含むが、これらに限定されない、作業者に関する生体測定情報を含んでよい。機器データ２４０は、一意の機器識別子、機器の仕様、騒音評価、又は１つの機器に関連する任意のその他のデータなどの、ただしこれらに限定されない、機器識別情報を含んでよい。作業現場データ２４２は、一意の作業現場識別子、作業現場の位置、作業現場の作業条件（例えば、ほんのいくつかの例を挙げれば、危険性、騒音レベル、気候）などの、ただしこれらに限定されない、作業現場情報を含んでよい。活動データ２４４は、作業現場、作業者、及び機器データの特定の事例を示す活動情報を含んでよい。例えば、特定の作業現場において特定の１つの機器を使用している特定の作業者などである。ロギングコンポーネント２３６は、アプリケーション２２８が作業現場のコンピューティングデバイス（例えば、図１Ａの作業現場のコンピューティングデバイス１０４）、ポータブルコンピューティングデバイス１１４、及び／又は任意のその他のコンピューティングデバイスからデータを受信したときに、活動情報を格納してよい。
【００８６】
監視コンポーネント２３２は、本開示において説明されている様々な分析技術及び監視技術を実行してよい。例えば、監視コンポーネント２３２は、データ層２２６内の活動データ２４４又は任意のその他のデータにおける外れ値又はその他の異常パターンを監視してよい。いくつかの例では、監視コンポーネント２３２は、本開示において説明された技術のいずれかを実行するときに、しきい値が満たされたかどうかを判定してよい。図２の推奨コンポーネント２３０は、ほんのいくつかの例を挙げれば、警告、通知の中で、又はユーザインターフェイスを介して、推奨を提供してよい。推奨コンポーネント２３０によって生成される推奨は、アプリケーション２２８によって格納されたルールに基づいてよく、このルールは、条件及びアクションを含む。推奨コンポーネント２３０は、条件が満たされたときに、アクションを実行してよい。警告コンポーネント２３４は、警告を生成し、任意の数の通信モードを介して送信してよい。例えば、警告コンポーネント２３４は、１つ以上の電子メール、電話、テキストメッセージ、ユーザインターフェイスの通知、又は任意のその他の種類の警告を生成し、送信してよい。
【００８７】
図３〜２０は、アプリケーション２２８によって出力及び表示のために生成されてよい様々なユーザインターフェイスを示している。図３〜２０に示された各ユーザインターフェイスは、通信ユニット２１４を介して他のデバイス（ポータブルコンピューティングデバイス１１４Ａ及び１１４Ｂ、環境センサ１１８Ａ及び１１８Ｂ、並びにインテリジェントな安全システム１００と相互作用する、スマートタグ又はその他の電子デバイス若しくは通信デバイスなどの、その他のデバイスなど）から受信された情報を含む、データ層２２６からのデータに基づいて生成されてよい。このようなデータ及び情報は、本明細書において説明されるように、様々な方法で監視、分析、及び表示され得る。更に、図３〜２０に示されたユーザインターフェイスは、例えば、比較データ、履歴データ、トレーニング情報、グラフィック情報、及び安全システム１００のユーザ又は管理者に役立つことのあるその他の情報などの情報を含む、追加のコンテンツを、ユーザに提供してよい。図３〜２０は、特定の種類の情報、分析、データ、グラフなどを表示するが、これらは、本開示と一致する安全システムにおけるユーザインターフェイスの単なる例である。本開示と一致するユーザインターフェイスにおける表示のためのその他の種類の出力は、本開示を閲読することにより、当業者には明らかとなるであろう。
【００８８】
図１で説明したように、場合によっては、作業者は、標準的な既定の期間（例えば、１日に８時間）よりも長く作業することがあり、そのため、既定の期間及び／又は既定の期間にわたる特定の種類の聴力保護に関する最大暴露量を超える騒音量に曝されることがある。いくつかの例では、監視コンポーネント２３２は、作業環境の第１の領域内で特定の日の第１の期間にわたって作業者が曝された第１の騒音量を示す第１の騒音暴露データを受信して、作業者データ２３８に格納してよい。監視コンポーネント２３２は、そのようなデータを、作業環境内の、作業者に関連付けられたポータブルコンピューティングデバイス、騒音レベルモニター、暴露量計、又はその他のコンピューティングデバイスから受信してよい。
【００８９】
その後、作業者が特定の日に作業環境の第２の領域に移動した後に、監視コンポーネント２３２は、第２領域内で特定の日の第２の期間にわたって作業者が曝された第２の騒音量を示す第２の騒音暴露データを受信してよい。場合によっては、監視コンポーネント２３２は、作業環境の第１の領域内で特定の日の第１の期間にわたって作業者が曝された第１の騒音量を示すデータを、作業者データ２３８に格納してよい。監視コンポーネント２３２は、第１及び第２の騒音暴露データに基づいて、第１及び第２の期間にわたって作業者が曝された累積騒音量が特定の日のしきい値又は騒音暴露制限を超えていることを決定してよい。いくつかの例では、監視コンポーネント２３２は、警告コンポーネント２３４に、第１及び第２の期間にわたって作業者が曝された累積騒音量が特定の日のしきい値を超えたことを示す通知を、その作業者に割り当てられたポータブルコンピューティングデバイスに対して生成させてよい。前述の例では既定の期間として１日が使用されたが、分、時間、日、週、月などを含むが、これらに限定されない、任意の期間が使用されてよい。一般に、本開示において説明される既定の期間又は任意のその他の期間は、アプリケーション２２８の提供者によってハードコードされるか、ユーザによってアプリケーション２２８提供された入力によってユーザ定義されるか、又はアプリケーション２２８によって機械的に生成されてよい。
【００９０】
いくつかの例では、騒音暴露の最大許容量を超える前に作業者に対して作業環境を出るように警告するために、特定の日のしきい値は、既定の期間（例えば、日）の最大許容騒音暴露量よりも小さい。いくつかの例では、監視コンポーネント２３２は、作業環境の種々異なる各位置での種々異なる騒音レベルを示す騒音レベルデータを、作業環境内の作業者によって着用されている１つ以上のポータブル騒音レベルモニターから受信する。いくつかの例では、監視コンポーネント２３２は、作業者に割り当てられた聴力保護の物品によって提供される減衰音量に少なくとも部分的に基づいて、累積騒音量がしきい値を超えていることを決定してよい。いくつかの例では、作業環境内の第１の領域内の第１の騒音レベルは、第２の領域内の第２の騒音レベルとは異なる。いくつかの例では、特定の日は、コンピューティングデバイス２００に格納された既定の期間であり、第１及び第２の期間に基づく累積時間は、既定の期間（例えば、日）よりも長い。
【００９１】
いくつかの例では、監視コンポーネント２３２は、作業環境内の危険性への作業者の暴露、作業者の個人用保護具の使用、作業環境内で過ごす作業時間、又はユーザに対する危険を示す任意のその他のパラメータなどの、ただしこれらに限定されない、１つ以上のパラメータに基づいて、リスクスコアを生成してよい。例えば、アプリケーション２２８が、作業者が危険なものからしきい値距離の範囲内にいて、特定の個人用保護具を適切に使用／着用していないと決定した場合、アプリケーション２２８はリスクスコアを増やしてよい。反対に、作業者が、作業環境内にいる間、及び／又は作業環境内にある危険性に関して、個人用保護具の使用に従い続けているとき、アプリケーション２２８はリスクスコアを減らすか、又は一定に維持してよい。リスクスコアがしきい値を超えた場合、アプリケーション２２８は、作業者及び／又は他のユーザのうちの１人以上に警告を送信してよい。別の例として、アプリケーション２２８は、作業者又は作業グループが曝された騒音の危険性に基づいて、作業者又は作業グループのリスクスコアを、表示のために生成してよい（例えば、「作業者Ａが高い騒音の危険性に曝されており、７８％のリスクスコアが測定された」）。いくつかの例では、アプリケーション２２８は、作業環境、危険性、作業者の行動及び／又は作業者によって使用されるＰＰＥに基づいて、作業者に必要なトレーニング又は推奨されるトレーニングを示す警告を自動的に送信してよい。いくつかの例では、アプリケーション２２８は、作業者のスコアが、同じ作業環境内で作業している同じ集団内の他の作業者に対して異常又は外れ値であるかどうかを判定してよい。アプリケーション２２８は、このような異常の検出に応答して、作業者及び／又はアプリケーション２２８の１人以上の他のユーザに対する警告を生成してよい。
【００９２】
いくつかの例では、推奨コンポーネント２３０は、第２の領域内の騒音レベルが第１の領域とは異なる場合に、追加の又は異なる聴力保護を推奨してよい。例えば、推奨コンポーネント２３０は、作業者が特定の日に作業環境の第２の領域に移動したと決定することに応答して、第２の領域内の騒音レベルが第１の領域内の騒音レベルよりも大きいことを決定してよい。推奨コンポーネント２３０は、第２の領域内の騒音レベルが第１の領域内の騒音レベルよりも大きいとの決定に少なくとも部分的に基づいて、第１の聴力保護の物品よりも音を減衰させる第２の聴力保護の物品を識別してよい。第２の聴力保護の物品は、第１の聴力保護の物品とは別の種類であってよい。例えば、第２の聴力保護の物品が音を減衰又は低減させる程度は、第１の聴力保護の物品よりも大きくてよい。推奨コンポーネント２３０は、第２の聴力保護の物品の指示を出力のために生成してよい。例えば、推奨コンポーネント２３０は、警告コンポーネント２３４及び／又はＵＩコンポーネント２２８に、第２の環境内の第２の騒音レベルに対して第２の聴力保護の物品が推奨されることを示す１つ以上の視覚、音声、又は触覚による警告を、いくつかの例では、作業環境の第１の領域内の作業への以前の騒音暴露量に更に基づいて、出力させてよい。前述の技術は、２つの領域に関して説明されたが、作業者が既定の期間内に作業することがある任意の数の種々異なる領域に適用されてよい。
【００９３】
いくつかの例では、暴露量計は、一定のしきい値以上の衝撃音などの特定の種類の音を正確に測定しないことがある。いくつかの例では、しきい値は、１８０ｄＢＰ  ＳＰＬ、１６０ｄＢＰ  ＳＰＬ、１４０ｄＢＰ  ＳＰＬ、又は任意のその他の値であってよい。いずれの場合も、アプリケーション２２８は、そのような環境内の騒音レベルを示すように、ユーザ入力によって別々に構成されてよい。例えば、射撃場内では、暴露量計及び従来のレベル計は、騒音レベルデータを正確に捕捉しないことがある。そのため、アプリケーション２２８は、ユーザインターフェイスを表示のために生成してよく、このユーザインターフェイスにおいて、ユーザは、暴露量計及び従来のレベル計が騒音レベルデータを正確に捕捉しないことがある環境に関して、騒音レベル又はその他の騒音データを表す１つ以上の値を入力することができる。その後、アプリケーション２２８は、騒音レベル又はその他の騒音データを表すそれらの値を使用して、ユーザ又は作業者が環境内で曝された可能性のある暴露量のレベルを（例えば、ユーザ／作業者の決定された位置に基づいて）決定し、警告、記録、又は環境内での動作中のＰＰＥの動作に対する自動変更を行ってよい。例えば、いくつかの例では、アプリケーション２２８は、保護デバイスの減衰レベルを変化させるメッセージを可変音量減衰聴力保護具に送信してよい。例えば、環境の騒音レベルが増加した場合、アプリケーション２２８は、減衰レベルを増やす１つ以上のメッセージを可変音量減衰聴力保護具に送信してよく、反対に環境内の騒音レベルが減少した場合、可変音量減衰聴力保護具の減衰レベルは減少してよい。
【００９４】
いくつかの例では、アプリケーション２２８は、（例えば、作業者によって着用されたデータハブ、作業者を画像で捕捉するカメラ、又は作業者を検出するための任意のその他の適切な技術によって）ＰＰＥを着用していない作業者がアプリケーション２２８によって検出されることに基づいて、そのような作業者を監視してよい。例えば、作業者に与える騒音レベルに起因して、最初は聴力保護を必要としないが、一定の期間の暴露の後に、作業者が聴力保護を必要とする環境内で、ＰＰＥを着用せずに作業者が作業している場合、アプリケーション２２８は、聴力保護を必要とする作業者及び／又は１人以上の他の作業者及び／又はアプリケーション２２８のユーザに対して警告してよい。
【００９５】
図３Ａ〜３Ｂは、本開示の１つ以上の技術に従って、アプリケーション２２８によって表示のために生成及び出力されてよいユーザインターフェイス３００を示している。具体的には、ユーザインターフェイス３００は、安全プログラム（聴力保護プログラムなど）のプログラム目標に対応するユーザから、入力情報を受信する。図３Ａに示されているように、ユーザインターフェイス３００は、１つ以上の入力制御部（例えば、テキストボックス、ドロップダウンメニュー、送信ボタン、又は入力値を選択、提供、及び／若しくは送信するための任意のその他の制御）のセットを含む。例えば、ユーザインターフェイス３００は、ユーザが企業名、プログラム目標、国、規制機関、及び企業の聴力保護プログラムの暴露制限を入力できるようにする、入力制御部３０２を含む。暴露制限は、作業者が曝された可能性のある（例えば、特定の時間間隔での）騒音暴露又は時間加重平均（time−weighted average、ＴＷＡ）の最大しきい値を含んでよい。アプリケーション２２８は、構成されたしきい値を使用して騒音暴露が暴露制限を超えたかどうかを判定し、作業者及び／又は他のユーザに対して警告してよい。ユーザインターフェイス３００は、ユーザが個人を安全プログラムの様々な役割（プログラム管理者、専門的な監督者、聴力技術者、騒音調査技術者、及び現場作業員）に指定できるようにする、入力制御部３０４を含んでもよい。入力制御部３０４は、管理者が特定のユーザの役割（例えば、専門的な監督者）に関連付けられた権限付与レベル（例えば、セキュリティレベル）を含むユーザ入力を提供できるようにする。いくつかの例では、１人以上の個々のユーザが役割に割り当てられてよく、したがって、１人以上のユーザが、本開示の技術に従ってアプリケーション２２８を管理するための権限付与レベル又は許可を有してよい。図３Ｂは、種々異なる作業現場を特定の位置に関連付けるための入力制御部３０６を含む。例えば、ＣＮＣショップが位置データに関連付けられてよく、この位置データは、地理的位置データ、（例えば、ビーコンの位置に基づく）相対的位置データ、ビルドデータ、又は位置を示す任意のその他のデータであってよい。本開示において説明されているように、アプリケーション２２８は、種々異なる作業現場の位置情報を使用して、位置情報に関連付けられた危険性又はデータを考慮して、作業者／ユーザに積極的に通知するか、推奨を提供するか、又はその他の動作を実行してよい。
【００９６】
図１Ａ〜１Ｂに記載されているように、安全システム１００は、通常動作時の騒音の基準値又は正常レベルから逸脱する騒音レベルに基づいて、機械の特定の物品が検査又はメンテナンスを必要としているかどうかを判定してよい。例えば、機械の物品は、騒音を発する作業環境内の任意の機器であってよい。機械の例としては、ミキサー、包装機、ファン、コンベア、オーブン、工作機械、又は作業環境内で使用される任意のその他の適切な機器が挙げられる。作業現場データ２４２は、物品識別子、物品名、物品の動作パラメータ、物品の使用時間、物品の状態、及び物品の基準騒音データなどの、ただしこれらに限定されない、機械の物品を表すデータを含んでよい。機械の物品を表すこのようなデータは、ユーザによってグラフィカルユーザインターフェイスを介して入力されてよく、又は機械的に生成されてもよい。作業現場データ２４２は、動作中に機械の物品によって生成される基準騒音レベルを示す基準騒音データを含んでよい。基準騒音データは、通常動作時に機械によって生成される騒音レベル（例えば、エラーなし、例外、又は機械の動作に伴う問題）を示してよい。
【００９７】
監視コンポーネント２３２は、作業者に割り当てられた騒音レベルモニターから、機械の物品の位置に対応する騒音データを受信してよい。監視コンポーネント２３２は、作業現場データ２４２に含まれている機械の物品の基準騒音データが、機械の物品の位置に対応する騒音データによって超過されていることを決定してよい。すなわち、推奨コンポーネントは、騒音レベルモニターからの騒音データに関連付けられた位置（又は機械識別子）と、作業現場データ２４２に含まれている位置（又は機械識別子）とを比較してよい。このようにして、推奨コンポーネント２３０は、機械の物品に対応する基準騒音データを選択することができる。監視コンポーネント２３０は、警告コンポーネント２３４に、機械の物品の位置に対応する騒音データが基準騒音データをしきい値量だけ超えているという通知を生成させてよい。いくつかの例では、この通知は、ＵＩコンポーネント２２８によって表示のために出力されてよい。他の例では、この通知は、コンピューティングデバイス２２０によって、機械の物品からしきい値距離の範囲内の１人以上の作業者、あるいは作業環境内にいる、並びに／又は機械の物品及び／若しくは作業環境内の作業者の安全に対して責任を負う１人以上の他の人員に送信されてよい。
【００９８】
いくつかの例では、この通知は、機械の物品が検査又はメンテナンスのうちの少なくとも１つを必要とすることを示す。この通知は、機械の物品の識別子及び／又は機械の物品の位置を含んでよい。いくつかの例では、警報コンポーネント２３４は、基準騒音データが機械の物品の位置に対応する騒音データによって超過されているとの決定に応答して、機械の動作を変更させるメッセージを機械の物品に送信してよい。例えば、このメッセージは、機械の物品に、停止すること、動作の速度又は強度を下げること、又は１つ以上の警告若しくはその他の指示を機械の物品において出力することを、実行させてよい。
【００９９】
いくつかの例では、基準騒音データは、（ｉ）１人以上の作業者に割り当てられた１つ以上の騒音レベルモニターからの騒音データ、又は（ｉｉ）種々異なる作業環境内の１つ以上の他の機械の物品のセットからの騒音データのうちの少なくとも１つに基づいており、これらの１つ以上の他の機械の物品はこの機械の物品と同じ種類である。いくつかの例では、基準騒音データは第１の騒音レベルを示し、機械の物品の位置に対応する騒音データは第２の騒音レベルを表す。いくつかの例では、機械の物品の位置に対応する騒音データが基準騒音データを超えるしきい値量は、ゼロよりも大きくてよい。
【０１００】
図４は、本開示の１つ以上の技術に従って、アプリケーション２２８によって表示のために生成及び出力されてよいユーザインターフェイス４００を示している。ユーザインターフェイス４００は、本開示の１つ以上の技術に従って、追加オプションを設定するための１つ以上の入力制御部を含む。例えば、ユーザは、セクション４０２を使用して作業者のグループを作成し、管理することができる。作業者のグループを構成することによって、アプリケーション２２８は、共通の位置及び／又は期間に関連付けられた危険性又はデータの比較、警告、又はその他の処理を実行してよい。作業者は、シフト、作業者が作業している位置、又は任意のその他の有用なグループ化技術に基づいて、グループに構成されてよい。セクション４０４では、ユーザは特定の作業者を位置と作業者グループの両方に割り当てることができる。例えば、図に示されているように、作業者Ｂ（Ａｂｌｅ）は、ＣＮＣショップ領域に構成され、シフトＡ作業者グループに構成されている。セクション４０６は、ユーザが１つ以上の企業によって使用されるＰＰＥの種類を入力及び管理することができるようにする、入力制御部を表示する。ユーザ入力を介してセクション４０６に入力されたＰＰＥの種類は、具体的には、示されているように聴力に関連してよく、又は本開示全体を通じて説明されているか、若しくは業界において知られているような任意のその他の種類のＰＰＥであってよい。
【０１０１】
いくつかの例では、アプリケーション２２８においてそれぞれ作業グループ（例えば、「溶接工」）に割り当てられた作業者のサブセットが、騒音レベルモニター又は暴露量計を着用していることがあり、一方、やはりその作業グループに割り当てられた残りの作業者が、騒音レベルモニターも暴露量計も着用していないことがある。すべての作業者が特定の作業環境内で作業している場合、アプリケーション２２８は、騒音レベルモニター又は暴露量計を着用していない作業者が、近接している他の作業者、又は騒音レベルモニター若しくは暴露量計を着用していないそのような作業者からしきい値距離の範囲内にいる他の作業者と同じ危険性（例えば、騒音）に曝されているということを決定してよい。このようにして、アプリケーション２２８は、一部の作業者が騒音レベルモニター又は暴露量計を着用していなくても、様々な作業者の位置から、作業者ごとの騒音暴露のレベルを決定してよい。このようにして、アプリケーション２２８は、１人の作業者から騒音測定値を測定し、それらの騒音測定値を、別の作業者の代用の騒音測定値として適用してよい。例えば、アプリケーション２２８が「作業者の機能」を「溶接工」であると定めた場合、アプリケーション２２８は、すべての「溶接工」が類似する環境で、類似する機器を使用して作業しているため、１人の作業者からの騒音測定値が、「溶接工」グループ内の他の作業者にも適用されるということを決定してよい。
【０１０２】
図５Ａ〜５Ｂは、本開示の１つ以上の技術に従って、アプリケーション２２８によって表示のために生成及び出力されてよい、騒音情報に関連する設定オプションを含んでいるユーザインターフェイス５００を示している。ユーザは、アプリケーション２２８でセクション５０２を使用して、複数の機器（例えば、ＣＮＣ  Ｍｕｌｂｅｒｒｙ  ８２００及びコンベアシステム）などの特定の騒音源を構成することができ、作業環境（例えば、ＣＮＣショップ）内の機器の位置を指定することができる。この位置は、図に示されているように作業領域であるか、又は作業領域の小区分などのように、更に具体的であってよい。場合によっては、この位置は、座標、住所、又はその他の位置指定方法によって指定されてよい。ユーザは、セクション５０４を使用して、領域騒音評価に関連する情報を入力することができる。そのような情報は、領域又は位置、その領域で騒音が測定される頻度、測定結果に伴う騒音が最後に測定された日付、及び使用される測定ツールを含んでよい。いくつかの例では、アプリケーション２２８は、この情報（例えば、領域又は位置、その領域で騒音が測定される頻度、測定結果に伴う騒音が最後に測定された日付、及び使用される測定ツール）を、様々な作業者及び／又は作業現場に関連付けられた１つ以上のポータブルコンピューティングデバイス、作業現場のコンピューティングデバイスなどから受信してよい。そのような例では、セクション５０４に含まれる情報は、アプリケーション２２８によって自動的に収集されて、ユーザインターフェイス５００に入力されてよい。セクション５０４は、測定の目標、測定値、及び収集装置に対応する各危険性と共に、落下の危険性、熱の危険性、溶接の危険性、温度の危険性、呼吸の危険性、又は任意のその他の種類の危険性などの、その他の種類の領域評価を含んでもよい。
【０１０３】
ユーザは、図５Ｂのセクション５０６を使用して、騒音暴露評価を入力できる。それらの評価は、図に示されているように、個人又はグループに基づいてよい。評価情報は、個人又はグループの個人のセットでＳＴＳ聴力変化が発生したかどうかの指示、最後の騒音測定がいつ行われたか、騒音暴露量（例えば、生の値、又は許容暴露量に対する割合として）、騒音測定の結果、及び測定に使用されたツール又は機器を含んでよい。いくつかの例では、アプリケーション２２８は、この情報（例えば、個人又はグループでＳＴＳ聴力変化が発生したかどうか、最後の騒音測定がいつ行われたか、騒音暴露量（例えば、生の値、又は許容暴露量に対する割合として）、騒音測定の結果、及び測定に使用されたツール又は機器）を、様々な作業者及び／又は作業現場に関連付けられた１つ以上のポータブルコンピューティングデバイス、作業現場のコンピューティングデバイスなどから受信してよい。そのような例では、セクション５０６に含まれる情報は、アプリケーション２２８によって自動的に収集されて、ユーザインターフェイス５００に入力されてよい。セクション５０６は、測定の目標、測定値、及び収集装置に対応する各危険性と共に、落下の危険性、熱の危険性、溶接の危険性、温度の危険性、呼吸の危険性、又は任意のその他の種類の危険性などの、その他の種類の領域評価を含んでもよい。
【０１０４】
図６は、本開示の１つ以上の技術に従って、アプリケーション２２８によって表示のために生成及び出力されてよい、ある領域に関連する騒音測定情報を含んでいるユーザインターフェイス６００を示している。図６は、安全プログラム（聴力保護プログラムなど）の一部として追跡され得る様々な種類の領域測定履歴、及び関連する情報を含んでいる。ユーザインターフェイス６００は、ユーザによってすでに構成された「ＣＮＣショップ」などの、作業現場の具体的に定められた領域に関するデータを表してよい。例えば、セクション６０２は、８０ｄＢＡの基準騒音レベル測定値と比較して、様々な日付での騒音レベルの測定を含んでいる。セクション６０２は、騒音レベル又は騒音暴露量を捕捉したデバイス（例えば、Ｎｏｉｓｅ  Ｐｒｏ、スマートフォンなど）、騒音レベル又は騒音暴露量を捕捉したデバイスに関連付けられた人員、１つ以上の騒音測定値（例えば、Ｓｍｉｔｈ，Ｊ．、Ｍａｒｋ  Ｍｕｅｌｌｅｒなど）、及び騒音レベル又は騒音暴露量（例えば、７６ｄＢＡ、７９ｄＢＡなど）を示す情報を含んでよい。いくつかの例では、測定は、外れ値、異常、又はしきい値を超えている値（基準値６０８を超えている外れ値６０６など）を視覚的に区別してよい。いくつかの例では、基準値６０８は、アプリケーション２２８又は別のアプリケーションにおいて、ユーザによって構成されるか、又はコンピューティングデバイスによって生成されてよい。いくつかの例では、アプリケーション２２８が外れ値、異常、又はしきい値を超えている値を検出した場合、アプリケーション２２８は、警告を生成するか、ＰＰＥを再構成するか、又は１つ以上の追加動作を実行してよい。いくつかの例では、セクション６０２は、落下保護の危険性、呼吸の危険性、溶接の危険性などの、様々な種類のＰＰＥに関連する１つ以上のその他の指標についての領域測定を含んでもよい。セクション６０４は、騒音履歴測定が関連している領域内で発生したメンテナンス活動を含む。メンテナンス履歴は、行われた活動、アクション又は機器に関するより詳細な情報、アクションが実行された日付、及びアクションを実行した個人又は実体を含むことができる。
【０１０５】
図７は、本開示の１つ以上の技術に従って、アプリケーション２２８によって表示のために生成及び出力されてよい、ある領域に関する測定騒音マップを含んでいるユーザインターフェイス７００を示している。測定騒音マップ７００は、指定された測定領域７１４内の様々な領域での音のレベルを示している。図７の指定された測定領域７１４は、騒音レベル（例えば、騒音レベル７１０）及びサウンドバー（例えば、サウンドバー７１２）を含んでいる領域によって表されている。領域７０２では、測定された騒音レベルは９１ｄＢＡである。領域７０４では、測定された騒音レベルは９２ｄＢＡである。領域７０６では、測定された騒音レベルは９３ｄＢＡである。領域７０８では、測定された騒音レベルは９４ｄＢＡである。測定騒音マップ７００は、作業者によって着用されるか、又は指定された測定領域７１４内に配置されて、位置情報と組み合わせて使用される暴露量計又は騒音レベルモニター、領域全体に配置された環境センサ、評価を実行している監査員若しくはその他の個人によって取得された測定値、又はその他の騒音測定デバイスなどの、様々な発生源からのデータを使用して作成されてよい。測定騒音マップ７００は、特定の時点での領域内の騒音レベルを示してよく、又は利用可能な騒音レベルデータの発生源に応じてリアルタイムで更新してもよい。いくつかの例では、アプリケーション２２８は、特定の位置又は騒音領域と、その位置又は領域の騒音レベルとの関連付けを定めるデータを格納してよい。このようにして、作業者が特定の位置又は領域で作業している場合、アプリケーション２２８は、その作業者に対する騒音レベルを示すデータを（いくつかの例では、時間及び／又は位置に関連して）決定するか、又は格納してよい。
【０１０６】
いくつかの例では、コンピューティングデバイス２００の監視コンポーネント２３２は、騒音マップ７００によって表された、作業環境のそれぞれ異なる各位置での種々異なる騒音レベルを示す騒音レベルデータを受信してよい。監視コンポーネント２３２は、騒音レベルデータ（デシベル値が測定された位置及び、いくつかの例では時間に関連付けられたデシベル値であってよい）を作業現場データ２４２に格納してよい。監視コンポーネント２３２は、作業環境内の作業者の各位置を経時的に示す位置データを受信してもよい。そのようなデータは、騒音マップ７００の作成に使用されてよい。作業者に着用されるか、又はその他の方法で作業者に関連付けられたポータブルコンピューティングデバイスは、位置データをコンピューティングデバイス２００に送信してよく、それらの位置データは、監視コンポーネント２３２によって作業者データ２３８に格納される。位置データは、特定の位置又はその他の相対的位置でのビーコン識別子などの、ただしこれらに限定されない、作業環境内のＧＰＳ座標又は位置のその他の識別子であってよい。
【０１０７】
監視コンポーネント２３２は、ポータブルコンピューティングデバイスから受信された位置データに基づいて、一定の期間にわたって作業者によって受け取られた騒音量を決定してよい。例えば、監視コンポーネント２３２は、８時間（例えば、標準的な就業日又はその他の既定の期間）の一部の間に、作業者の活動が一連の特定の位置にあり、かつ各時間の間、それらの特定の位置で一連の特定の騒音レベルにあったということを決定してよい。いくつかの例では、監視コンポーネント２３２は、作業者の識別子に基づいて、この期間の間の、作業者に関連付けられた作業者データ２３８内の騒音暴露データを選択してよい。監視コンポーネント２３２は、８時間の一部にわたって作業者が曝された騒音レベルを、累積騒音量に加算してよい。監視コンポーネント２３２は、作業者が作業環境を出るまでの８時間にわたる作業環境内での作業の、作業者の残り時間の長さを決定してよい。
【０１０８】
監視コンポーネント２３２は、作業者の現在の位置とは異なる騒音レベルを有する、作業環境内の１つ以上の更新された位置を識別してよい。例えば、監視コンポーネント２３２は、種々異なる騒音レベルを有する作業環境の他の位置について、作業者がそれぞれの更新された位置に移動した場合、８時間の間に、作業者が最大許容騒音暴露量を超えているかどうかを判定してよい。監視コンポーネント２３２は、ユーザが８時間の残りの部分の間、それぞれの位置にとどまった場合のユーザに対する騒音暴露量を、１つ以上の位置について決定する。監視コンポーネント２３２は、更新され位置のうちの１つ以上について、作業者に割り当てられた聴力保護の物品によって提供される音量減衰に基づいて、合計騒音暴露が８時間の最大許容騒音暴露量しきい値を超えない更新された位置を選択してよい。例えば、作業者の合計騒音暴露は、（ｉ）合計騒音暴露を計算する前の既定の期間内の所定期間にわたって作業者によって受け取られた騒音量、及び（ｉｉ）この期間を除く、既定の期間の残りの部分の間に、各位置で作業者が受け取ることになる騒音量に基づいて、計算されてよい。いくつかの例では、監視コンポーネント２３２は、８時間の間の合計騒音暴露量が最も少ない更新された位置を選択又は識別してよく、他の例では、監視コンポーネント２３２は、合計騒音暴露量が８時間内の許容暴露量よりも少なくなるいずれかの更新された位置を（いくつかの例では、８時間の間の騒音への作業者の既存の暴露を考慮して）選択又は識別してよい。いずれの場合も、監視コンポーネント２３２は、警告コンポーネント２３４に、作業者に対して現在の位置から更新された位置へ移動するよう指示するポータブルコンピューティングデバイスへの通知を、生成及び送信させてよい。このようにして、監視コンポーネント２３２は、８時間にわたって最大許容騒音暴露量未満にとどまるために、作業者に、作業環境内の異なる位置に移動させてよい。例の目的で８時間の期間が使用されたが、分、時間、日、週、又はその他の間隔で指定される任意の既定の期間が使用されてよい。
【０１０９】
いくつかの例では、図７の技術が他の種類のＰＰＥに拡張されてよい。例えば、アプリケーション２２８は、作業環境内の落下ハザードマップ、呼吸マップ、ヒートマップ、又は異なる危険性の組み合わせを生成してよい。いくつかの例では、アプリケーション２２８は、危険性の位置と危険性の間の関連付けを定めるデータを格納してよい。アプリケーション２２８は、作業環境内の作業者の位置をリアルタイムに監視してよく、いくつかの例では、作業者が危険性からしきい値距離の範囲内にいることを決定してよい。他の例では、アプリケーション２２８は、ＰＰＥのうちの１つ以上によって危険性に関して生成されたＰＰＥデータが、安全でない事象が発生している可能性を示していることを決定してよい。アプリケーション２２８は、アプリケーション２２８によるそのような決定のうちの１つ以上に基づいて、警告を作業者及び／又は他のユーザに送信してよく、かつ／又はＰＰＥ若しくは機器の物品の各動作を変更させるメッセージを、作業環境内のＰＰＥの１つ以上の物品若しくは機器の物品に送信してよい。いくつかの例では、これらのメッセージはＰＰＥ又は機械の物品を設定してよいが、これらのメッセージは、ＰＰＥ又は機械の物品の動作が変更される前に、トリガー条件が発生することを必要としてよい。例えば、作業者が特定のクリアランスを伴う落下の危険性に近づいている場合、アプリケーション２２８は、落下保護ハーネスのセルフリトラクティングラインをそのクリアランス未満の距離で固定するメッセージを送信してよい。ただし、セルフリトラクティングラインは、固定をトリガーする落下が検出されるまで、後退しなくてよい。
【０１１０】
いくつかの例では、アプリケーション２２８は、微粒子濃度、微粒子の種類などの、呼吸の危険性に関するリアルタイム情報を受信してよい。アプリケーション２２８は、作業者に割り当てられた特定の種類の呼吸保護について、呼吸の危険性のリアルタイム測定に基づいて、作業者が呼吸の危険性への暴露の高い危険に曝されているかどうかを判定してよい。いくつかの例では、アプリケーション２２８は、ユーザの集団内の１人のユーザで、この集団内の他のユーザよりも大きい速度でフィルタ消費が発生しているかどうか、及びこの集団が同じ作業環境内で作業しているということを決定してよい。特定のユーザのフィルタ消費速度が基準消費速度からしきい値距離を超えて大きい場合、アプリケーション２２８は、この作業者及び／又は１人以上の他のユーザに対する警告を生成してよい。いくつかの例では、この警告は、作業環境が再評価されなければならないことを示してよい。
【０１１１】
図８Ａ〜８Ｂは、本開示の１つ以上の技術に従って、アプリケーション２２８によって表示のために生成及び出力されてよい、様々な領域に関する騒音制御及び管理制御を含んでいるユーザインターフェイス８００を示している。図８Ａは、安全プログラム（聴力保護プログラムなど）に関連付けられた騒音制御及び領域管理制御に関連する情報を表示する追加フィールドを含んでいる。セクション８０２は、様々な領域において導入されている制御に関連する情報を表示する。例えば、アセンブリ領域では、箱シーラーコンベアが騒音源である。騒音レベルを低減するために導入されている制御は、騒音ｄＢＡセーバである。２０１５年１０月１５日に記録されたこの領域の基準騒音レベルは、８１ｄＢＡである。この行の最後のセクション（「測定履歴」）は、アセンブリ領域で取得された騒音測定値のグラフィック表現を、アセンブリ領域の基準値との比較として表示している。セクション８０２内の他の行は、他の領域に関する同様の情報を示している。図８Ｂのセクション８０４は、様々な領域の管理制御及びポリシー情報に関連するフィールド及びその他の入力制御部を含んでいる。例えば、第１の行は、ＣＮＣショップにおいて、作業グループが、ＣＮＣショップ内にいることについて、１日当たり最大２時間の時間／日制限を有していることを示している。以降の行は、他の領域に関する同様の種類の情報を示している。図８Ａ及び図８Ｂは、その他の種類のＰＰＥに拡張されてもよい。例えば、環境内に配置された工学的制御は、落下保護の危険性（例えば、固定の実施）、溶接の危険性（例えば、カーテン又は移動可能なバリア）、呼吸の危険性（例えば、換気デバイス）、又は任意のその他の種類の工学的制御を制御又は軽減してもよい。
【０１１２】
図９Ａ〜９Ｂは、本開示の１つ以上の技術に従って、アプリケーション２２８によって表示のために生成及び出力されてよい、作業者管理制御、訓練資料、及び機器の履歴を含んでいるユーザインターフェイス９００を示している。このユーザインターフェイスに表示されたフィールドは、編集されるか、又は単に表示され得る。セクション９０２は、過剰暴露を経験した作業者のために導入されている様々な作業者管理制御を含んでいる。例えば、第１の行に示されているように、Ｔ．Ｂａｒｔｓａｌという名前の作業者は、ＣＮＣショップ内で１日当たり最大４時間に制限されている。作業者Ｔ．Ｂａｒｔｓａｌは、対応するチェックボックスによって示されているように、過剰暴露の結果として聴力変化を経験している。下の各行は、その他の作業者Ｄ．Ｆａｌｗａｙ及びＳ．Ｍｉｌｌｅｒのための管理制御を示している。セクション９０４は、訓練資料へのリンクを表示している。訓練資料は、聴力保護の学習又は改善において安全管理者又は作業者にとって役立つ、ビデオ、文書、作業シート、及びその他の資料を含んでよい。いくつかの例では、訓練資料を見るための通知が、アプリケーション２２８によって過剰暴露を経験した作業者のコンピューティングデバイスに送信されてよい。図９Ｂのセクション９０６は、機器の履歴、及び更に具体的には、機器のメンテナンス履歴を含んでいる。第１の行は、機器設置の活動がＢａｒｔ  Ｒａｎｄｏｌｆによって２０１５年１月２２日に完了されたことを示している。以降の行は、その他の種類のメンテナンス活動及びそれらの活動に関連付けられた情報を示している。図９Ａ及び図９Ｂは、任意のその他の種類のＰＰＥに拡張されてもよい。
【０１１３】
図１０は、本開示の１つ以上の技術に従って、アプリケーション２２８によって表示のために生成及び出力されてよい、メンテナンス記録を含んでいるユーザインターフェイス１０００を示している。具体的には、ユーザインターフェイス１０００は、騒音ｄＢＡセーバ機器のメンテナンス履歴を示している。ユーザインターフェイス１０００に含まれているテーブル１００２は、活動が実行された日付、実行された活動、活動に関連する注記、及び活動を実行した個人又は実体を示している。図１０は、任意のその他の種類のＰＰＥに拡張されてもよい。
【０１１４】
図１１Ａ〜１１Ｂは、本開示の１つ以上の技術に従って、アプリケーション２２８によって表示のために生成及び出力されてよい、聴力検査に関連する情報を含んでいるユーザインターフェイス１１００を示している。セクション１１０２は、領域に基づく聴力検査のスケジュールを含んでいる。例えば、第１の行に示されているように、ＣＮＣショップ内の作業者は毎月検査され、このグループの最後の聴力測定は４日前に行われた。ユーザは情報をこのセクションに入力して、追加のスケジュールを作成できる。セクション１１０４は、ＳＴＳ聴力変化を経験した作業者を一覧表示している。例えば、作業者Ｚ．Ｏｕｔｌａｎｄｅｒは聴力変化を経験している。Ｏｕｔｌａｎｄｅｒには聴力保護が割り当てられておらず、最後の聴力測定は９４日前に行われた。セクション１１０６は、聴力検査に関連する追加の訓練資料を提供する。訓練資料は、聴力検査の学習又において安全管理者又は作業者にとって役立つ、ビデオ、文書、作業シート、及びその他の資料を含んでよい。セクション１１０８は、作業環境内の領域に基づいて、時間的に近づいている聴力検査を示している。セクション１１１０は、作業環境内の領域に基づいて、時間的に近づいている聴力再検査を示している。図１１Ａ〜１１Ｂは、視力、呼吸の健康、又は作業者の生物学的能力に関する任意のその他の種類の健康測定などの、作業者のその他の健康測定に拡張されてもよい。
【０１１５】
図１２は、本開示の１つ以上の技術に従って、アプリケーション２２８によって表示のために生成及び出力されてよい、特定の作業者に関するオージオグラム結果を含んでいるユーザインターフェイス１２００を示している。この結果は、垂直軸がｄＢ単位の聴力しきい値レベルであるチャート上で、グラフ化される。水平軸は、ヘルツ単位のオージオグラムの周波数である。ライン１２０２は、１人の作業者の左耳のオージオグラム結果を示している。ライン１２０４は、１人の作業者の右耳のオージオグラム結果を示している。ユーザインターフェイス１２００は、オージオグラムが施行された日付、オージオグラムを施行する個人の名前、個人及びグループが作業する領域、個人が聴力変化を経験したかどうか、及び個人が使用する聴力保護の種類などの、追加情報を含んでいる。
【０１１６】
図１３Ａ〜１３Ｂは、本開示の１つ以上の技術に従って、アプリケーション２２８によって表示のために生成及び出力されてよい、聴力保護製品及び聴力保護を使用している作業者に関連する情報を含んでいるユーザインターフェイス１３００を示している。セクション１３０２は、作業現場又は作業場の様々な領域内で使用中である個人用保護具の種類を含んでいる。例えば、セクション１３０２では、ＣＮＣショップが選択されている。ＣＮＣショップが選択された場合は、「耳栓」が強調表示され、これは耳栓がＣＮＣショップ内で使用されていることを示す。第３の列は、使用中のＰＰＥの種類の標準的な騒音低減を示している。セクション１３０４は、特定の作業者に関する聴力保護機器情報を示している。例えば、作業者Ｂ．Ａｂｌｅが選択された場合、ユーザインターフェイス１３００は、Ｂ．Ａｂｌｅが聴力変化を経験しており、最新の適合試験が１４日前に実行されたことを表示する。Ｂ．Ａｂｌｅは、耳栓モデルＸＹＺを使用するように割り当てられる。最後の列（「類似する暴露グループ」）は、この特定の作業者が割り当てられた騒音暴露グループを含んでいる。セクション１３０６は、作業場で使用され得る聴力保護製品、及び描画された製品に関連付けられた騒音低減評価を示している。
【０１１７】
いくつかの例では、コンピューティングデバイス２００は、利用可能な聴力保護又はその他のＰＰＥの種類、適合試験データ、及び作業環境の特性（作業環境内の危険性又はその他の条件）に基づいて、聴力保護又はその他のＰＰＥを推奨してよい。一例として、コンピューティングデバイス２００の推奨コンポーネント２３０は、作業者の適合試験データを受信してよい。適合試験データは、作業者によって着用されている第１の種類の聴力保護の物品に関して、作業者に対する騒音レベルの減衰を示す値を含む。そのため、適合試験データは、推奨コンポーネント２３０が、聴力検査が施行されたときに作業者によって着用された特定の種類の聴力保護を少なくとも含む、１つ以上の異なる種類の聴力保護によって提供される減衰音量を決定できるようにする。本開示において説明されているように、適合試験は作業者に対して実行される手順であってよく、その手順において、特定の形態の聴力保護によって提供される保護又は減衰のレベルを決定するために、特定の種類の聴力保護を着用している作業者が音に曝される。図１３Ａ〜１３Ｂの例では、作業者に対して適合試験を施行するときに、適合試験データは、ＵＩコンポーネント２２８によって提供されるグラフィカルユーザインターフェイスを介して手動で入力され、作業者データ２３８に格納されてよく、又は適合試験データは、コンピューティングデバイス２００若しくは任意のその他のコンピューティングデバイスが作業者に対して適合試験を実行することに応答して、推奨コンポーネント２３０によって自動的に入力されてもよい。
【０１１８】
推奨コンポーネント２３０は、適合試験データ及び作業環境の騒音レベルデータに少なくとも部分的に基づいて、第１の種類の聴力保護の物品によって提供される音量減衰が作業環境のしきい値を満たすかどうかを判定してよい。例えば、監視コンポーネント２３２は、作業環境の騒音レベルデータを受信し、その騒音レベルデータを作業現場データ２４２に格納してよい。騒音レベルデータは、作業環境の種々異なる位置での種々異なる騒音レベルを示してよい。場合によっては、種々異なる騒音レベルは、タイムスタンプに関連付けられてよい。以下の例は第１及び第２の種類の聴力保護に関して提供されるが、本技術に従って、任意の数の種々異なる種類の聴力保護が使用されてよい。いずれの場合も、推奨コンポーネント２３０は、作業現場データ２４２から騒音レベルデータを選択し、作業者が適合試験を受けた特定の種類の聴力保護によって提供される音量減衰のレベルが作業環境のしきい値を満たすかどうかを判定してよい。いくつかの例では、このしきい値はアプリケーション２２８の提供者によってハードコードされ、一方、他の例では、このしきい値はアプリケーション２２８又はその他のコンピューティングデバイスによって機械的に生成される。本開示のいくつかの例では、しきい値と比較される値がしきい値以上である場合に、しきい値が満たされてよい。他の例では、しきい値と比較される値がしきい値以下である場合に、しきい値が満たされてよい。図１３Ａ〜１３Ｂの例では、音量減衰のレベルが作業環境のしきい値以上でない場合、しきい値は満たされない。作業環境のしきい値は、ユーザによって手動で入力されるか、作業者によって着用された１つ以上のポータブル騒音レベルデバイスによって捕捉されるか、ハードコードされるか、又は任意のその他の方法でアプリケーション２２８に提供される、騒音レベルデータに基づいてよい。
【０１１９】
推奨コンポーネント２３０による、第１の種類の聴力保護の物品によって提供される音量減衰がしきい値を満たすかどうかの判定に応答して、推奨コンポーネント２３０は、ＵＩコンポーネント２２８に、作業環境に関して第２の異なる種類の聴力保護の物品を示す推奨を表示のために生成させてよい。例えば、ＵＩコンポーネント２２８は、作業環境に対して推奨された異なる種類の聴力保護を示すセクション１３０６を含んでいる、グラフィカルユーザインターフェイス１３Ａ〜１３Ｂを生成してよい。推奨コンポーネント２３０は、作業環境のしきい値以上の音量減衰を提供する１つ以上の異なる種類の推奨された聴力保護を、機器データ２４０から選択してよい。
【０１２０】
いくつかの例では、推奨コンポーネント２３０は、しきい値が満たされていないとの決定に応答して、第２の種類の聴力保護の物品が作業環境のしきい値を満たす音量減衰を提供することに少なくとも部分的に基づいて、第２の種類の聴力保護の物品を機器データ２４０から選択してよい。すなわち、推奨コンポーネント２３０が、第１の種類の聴力保護の音量減衰がしきい値を満たしていることを決定した場合、推奨コンポーネント２３０は、環境のしきい値を満たす音量減衰を提供する、異なる第２の種類の聴力保護を少なくとも選択する。第１の種類の聴力保護の音量減衰が環境のしきい値を満たしていない場合に、第１の種類の聴力保護に対する聴力保護の１つ以上の代替の種類を識別するために、推奨コンポーネント２３０は、作業環境の騒音レベルデータを、機器データ２４０に含まれている複数の異なる種類の聴力保護の物品の音量減衰レベルと比較してよい。推奨コンポーネント２３０は、しきい値を満たす音量減衰を提供する複数の聴力保護の物品のセットを選択してよく、第２の異なる種類の聴力保護は、この複数の聴力保護の物品のセットに含まれる。
【０１２１】
別の例では、推奨コンポーネント２３０は、ＵＩコンポーネント２３８に、しきい値が満たされているとの決定に応答して、第１の種類の聴力保護の物品及び第２の種類の聴力保護の物品を同時に示すグラフィカルユーザインターフェイスを、表示のために生成させてよい。すなわち、推奨コンポーネント２３０は、作業環境のしきい値を満たす第１の種類の聴力保護と、しきい値をやはり満たし、第１の種類の聴力保護の代替又は代用になり得る第２の種類の聴力保護の両方を含んでいるグラフィカルユーザインターフェイスを生成してよい。
【０１２２】
いくつかの例では、推奨コンポーネント２３０は、聴力保護が、作業者に割り当てられた他の種類のＰＰＥと両立できない場合に、その聴力保護の種類を推奨から除外してよい。例えば、１つ以上のイヤーマフ型聴力保護具は、作業者に割り当てられた保護用ヘルメット、又はユーザの頭部に着用された、動力付き空気浄化人工呼吸装置から清浄空気を供給するヘッドトップ物品と両立できないことがある。機器データ２４０は、聴力保護及び頭部保護などの、種々異なる種類のＰＰＥ同士の間の１つ以上の両立性ルールを定めるデータを含んでよい。推奨コンポーネント２３０は、聴力保護以外の、作業者に割り当てられる個人用保護具（ＰＰＥ）の少なくとも１つの種類を（例えば、作業者と、作業者データ２３８及び／又は機器データ２４０内の機器との間の関連付けを定めるデータに基づいて）決定してよい。推奨コンポーネント２３０は、聴力保護の種類が少なくとも１つの他の種類のＰＰＥと両立できるかどうかを判定してよい。推奨コンポーネント２３０は、第２の種類の聴力保護が少なくとも１つの他の種類のＰＰＥと両立できるとの決定に基づいて、聴力保護の種類を選択してよく、例えばこの決定は、機器データ２４０内の両立性ルールが、聴力保護の種類がＰＰＥの種類と両立できることを示しているかどうかを判定することによって行われる。推奨コンポーネント２３０は、作業者に割り当てられた他のＰＰＥと両立できる聴力保護の種類のみを選択して、図１３Ａ〜１３Ｂに含めてよい。
【０１２３】
聴力保護を推奨するための前述の技術は、任意のその他の種類のＰＰＥに拡張されてもよい。アプリケーション２２８は、作業環境内の種々異なる落下の危険性に関する情報を格納してよい。そのような落下の危険性は、作業プラットフォーム、梯子、移動式高架機器、崖、又は任意のその他の落下の危険性を含んでよい。アプリケーション２２８は、作業環境内の危険性に関連付けられた位置に基づいて、種々異なる種類の落下保護具の推奨を生成してよい。例えば、アプリケーション２２８は、アプリケーション２２８によって格納された落下危険性データに基づいて、作業環境内の落下保護の危険性のセットを決定してよい。アプリケーション２２８は、種々異なる落下の危険性をＰＰＥの種々異なる種類にマッピングする１つ以上のルールを備えて構成されてもよい。アプリケーション２２８は、危険性の種類に基づいて、１つ以上のルールを満たす落下保護具を選択し、この落下保護具をユーザに推奨してよい。
【０１２４】
そのような技術は、同様に、呼吸機器に適用されてよい。例えば、大気中の微粒子濃度、微粒子の種類などの、呼吸の危険性に基づく。アプリケーション２２８は、作業環境内の呼吸の危険性に関する情報を格納してよい。アプリケーション２２８は、作業環境内の危険性に関連付けられた位置又は環境条件全体に基づいて、呼吸機器の種々異なる種類の推奨を生成してよい。例えば、アプリケーション２２８は、アプリケーション２２８によって格納された呼吸危険性データに基づいて、作業環境内の呼吸の危険性のセットを決定してよい。アプリケーション２２８は、種々異なる呼吸の危険性をＰＰＥの種々異なる種類にマッピングする１つ以上のルールを備えて構成されてもよい。アプリケーション２２８は、危険性の種類に基づいて、１つ以上のルールを満たす呼吸機器を選択し、この呼吸機器をユーザに推奨してよい。
【０１２５】
いくつかの例では、アプリケーション２２８は、作業環境の種類に基づいて、１つ以上の異なる種類のＰＰＥに関して、特定の種類の推奨を提供してよい。例えばアプリケーション２２８は、作業環境の種々異なる種類に関して、ＰＰＥ、訓練、又はその他のワークフローの事前に構成されたセットを格納してよい。アプリケーション２２８は、作業環境の種類を決定したときに、アプリケーション２２８によって識別された作業環境の種類に関する、ＰＰＥ、訓練、及びワークフロー要件の事前に構成されたセットの推奨を、自動的に出力してよい。
【０１２６】
いくつかの例では、アプリケーション２２８、及び具体的には、推奨コンポーネント２３０は、個人減衰評価（personal attenuation rating、ＰＡＲ）及び／若しくはオクトバンド評価（octoband rating、ＯＲ）を別々に、又は作業現場の環境騒音測定値と共に使用して、聴力保護を推奨してよい。ＰＡＲ値が、音の周波数範囲全体を測定して重み付けすることができるのに対して、オクトバンド評価は、そのような周波数を部分的な範囲（又はオクターブ）に分割し、人間の聴力に対するオクターブの相対的影響に従って、各オクターブを重み付けすることができる。推奨コンポーネント２３０は、減衰のオクトバンド測定をユーザの適合試験に使用してよく、環境内で測定された騒音レベルに基づいて、オクトバンド測定及び環境騒音レベルに応じて聴力保護を推奨してよい。このようにして、ＰＡＲ値を使用するのではなく、本開示の技術は、減衰のオクトバンド値及び作業環境内の騒音レベルに基づいて、聴力保護の更に正確な推奨を提供してよい。
【０１２７】
いくつかの例では、アプリケーション２２８は、リモートコンピューティングデバイス（例えば、スマートフォン、デスクトップコンピュータ、タブレットコンピュータなど）から、リモートコンピューティングデバイスでアプリケーション２２８によって表示のために生成された少なくとも１つのユーザインターフェイスに含まれている入力制御部のセットに提供されたユーザ入力の指示に基づいて、ＰＰＥデータ及び作業者データを受信してよく、これらの入力制御部は、少なくとも、ＰＰＥの物品の各セットを表すＰＰＥデータ及び作業者を表す作業者データを受け取る。アプリケーション２２８は、作業者の作業環境及びＰＰＥの物品のセットによって課される１つ以上の制約を満たすＰＰＥの物品の所定のセットを選択することに応答して、図１３Ａに示されているように、ＰＰＥの物品の所定のセットの各グラフィック表現を含んでいる少なくとも１つのグラフィカルユーザインターフェイスを、表示のために生成してよい。
【０１２８】
アプリケーション２２８は、作業者のＰＰＥの物品の所定のセットのうちの１つ以上を選択するユーザ入力の少なくとも１つの指示を受信することに応答して、ＰＰＥデータ及び作業者データに基づいて、作業者と、選択された１つ以上の所定のＰＰＥの物品との間の関連付けを定める関連付けデータを格納してよい。関連付けデータは、作業者及び１つ以上の所定のＰＰＥの物品を識別するキーを含む、データベース内のレコードであってよい。作業者が選択された１つ以上の所定のＰＰＥの物品を使用して作業環境内で作業を開始した後に、アプリケーション２２８は、作業環境内での作業者の作業中の作業環境を表す作業環境データ、及び作業者と選択された１つ以上の所定のＰＰＥの物品との間の関連付けデータのそれぞれに少なくとも部分的に基づく、作業者に関する作業者の健康の指示（例えば、図１３Ａの「聴力変化を経験している」又は任意のその他の適切なメッセージ）を出力のために生成してよい。
【０１２９】
いくつかの例では、作業者の健康の指示は、作業環境内での作業者によるＰＰＥの使用に少なくとも部分的に基づくリスクスコアを含む。例えば、作業環境内で作業者がＰＰＥを安全でない状態で使用しているか、又は一貫性なく使用している場合、リスクスコアが増加してよい。作業者が、必要なＰＰＥを使用していないか、又は安全でない状態で使用しているか、若しくは一貫性なく使用していて、作業環境内で危険性の近くで作業している場合、リスクスコアが増加してよい。いくつかの例では、作業者が、健康への悪影響（例えば、熱中症、失神など）を被る危険を高める１つ以上の生体測定条件を伴って、作業環境内で作業している場合、リスクスコアが増加してよい。リスクスコアは、前述の指標のうちの１つ以上に基づいてよく、それらの各指標は重み付けされてよい。いくつかの例では、重みは、ユーザ定義されるか、機械的に定義されるか、又はハードコードされてよい。いくつかの例では、リスクスコアは、アプリケーション２２８によって計算された加重積和であってよい。前述の例の指標が説明されたが、多くのその他の指標が可能である。更に、指標に関連付けられたリスクと共にリスクスコアが増加すると説明された場合、リスクスコアは、指標においてリスクが減少すると共に減少してよい。
【０１３０】
いくつかの例では、指示の出力は、作業者の集団の全体的健康の一部としてのレポート及び作業者の健康の指示であってよい。いくつかの例では、このレポートは、作業者の集団の全体的健康における傾向又は異常を示す。いくつかの例では、アプリケーション２２８は、リスクスコアがしきい値を満たすことに応答して、訓練の推奨を生成する。いくつかの例では、アプリケーション２２８は、図１９Ａ〜２０Ｂに示されているようなタスク又は調査を生成してよい。
【０１３１】
図１４は、本開示の１つ以上の技術に従って、アプリケーション２２８によって表示のために生成及び出力されてよい、訓練スケジュール及び訓練履歴に関連する情報を含んでいるユーザインターフェイス１４００を示している。セクション１４０２は、予定された講習会を含んでいる。セクション１４０２の一番上の行は、２０１５年１１月１２日に１４６人が招待されてＪ．Ｓｍｉｔｈによって指導される、従業員聴力保護訓練のセクションがあることを示している。その下の各行は、その他の今後の訓練イベントを示している。セクション１４０４は、講習会の履歴を示している。セクション１４０４の一番上の行は、聴力保護再訓練コースが２０１５年７月１５日に提供されたことを示している。１５２人が出席し、欠席者はいなかった。ユーザは、「表示」リンクを選択して、そのコースに関連する結果を見ることができる。その下の各行は、発生したその他の訓練イベントに関連する情報を示している。いくつかの例では、作業者が機器を使用するために必要なすべての訓練を完了したことを示すデータに作業者識別子が関連付けられているということをアプリケーション２２８が決定しない限り、アプリケーション２２８は、作業者が指定された領域（工具ロッカーなど）からその機器を借り出すことを制限してよい。図１４は、任意の種類のＰＰＥの訓練に拡張されてよい。
【０１３２】
図１５Ａ〜１５Ｂは、本開示の１つ以上の技術に従って、アプリケーション２２８によって表示のために生成及び出力されてよい、訓練ビデオ及び訓練文書に関連する情報を含んでいるユーザインターフェイス１５００を示している。図１５Ａにおいて、セクション１５０２は、聴力保護プログラムで使用され得る様々なビデオへのリンクを含んでいる。これらのビデオは、安全管理者又は個々の作業者によって視聴されてよい。図１５Ｂにおいて、セクション１５０４は、聴力保護プログラムのユーザガイド、並びに減衰を計算するための表及び式を含んでいるＥｘｃｅｌのスプレッドシートを含む、訓練に役立つ文書を含んでいる。図１５Ａ〜１５Ｂは、任意の種類のＰＰＥの訓練に拡張されてよい。
【０１３３】
図１６は、本開示の１つ以上の技術に従って、アプリケーション２２８によって表示のために生成及び出力されてよい、訓練結果を含んでいるユーザインターフェイス１６００を示している。セクション１６０２は、訓練結果を含んでいる。ユーザは、様々な情報をこのセクションに入力することができ、その情報は、訓練履歴セクション１４０４を介して後で表示され得る。セクション１０６は、コースのタイトル、コースが学ばれた日付、出席者及び欠席者の数、並びに講師又は安全管理者によって入力された任意のその他のコメントを含んでいる。ユーザが選択された日付にフォローアップ訓練を予定するためのオプションもある。図１６は、任意の種類のＰＰＥの訓練に拡張されてよい。
【０１３４】
図１７Ａ〜１７Ｂは、本開示の１つ以上の技術に従って、アプリケーション２２８によって表示のために生成及び出力されてよい、デフォルトレポート、聴力の傾向、及び測定比較などの評価情報を含んでいるユーザインターフェイス１７００を示している。セクション１７０２は、安全管理者がアクセスできる様々なデフォルトレポートを含んでいる。デフォルトレポートの例としては、作業者訓練サマリ、適合試験サマリ、作業領域＋ｄＢＡ、領域別及び作業者別の聴力保護、聴力検査サマリ、並びに騒音制御サマリが挙げられる。セクション１７０２は、アプリケーション２２８の開発者又は販売者によって事前に読み込まれるか、事前にパッケージ化されるか、ハードコードされるか、又はその他の方法で提供されてよいデフォルトレポートとは対照的に、アプリケーション２２８のユーザによって生成され得るカスタムレポートを含んでもよい。セクション１７０２は、オージオグラムの８％が以前のセットよりも悪化している旨の指示、及び以前の基準値が取得されて以来、４つのＳＴＳの事例が追加されている旨の指示などの、傾向を含んでもよい。セクション１７０４は聴力の傾向を示す。これらのバーチャートは、例えば作業者グループ又は作業領域に基づいて、様々な聴力検査の結果を示すことができる。これらは、例えば、様々な作業グループ内又は作業領域内の作業者のうちの、必要な訓練又は推奨された訓練を完了している作業者の割合を含んでもよい。セクション１７０４は、聴力変化を経験した作業者の数、及び必要な訓練を完了した作業者の割合などの、いくつかの高度な統計情報も含む。図１７Ｂのセクション１７０６は、個人の作業グループ及び個人の作業領域内の作業者とそれぞれ比較して、個人の聴力測定の比較を示している。図１７Ａ〜１７Ｂは、視力、呼吸の健康、又は作業者の生物学的能力に関する任意のその他の種類の健康測定などの、作業者のその他の健康測定に拡張されてもよい。
【０１３５】
図１８は、本開示の１つ以上の技術に従って、アプリケーション２２８によって表示のために生成及び出力されてよい、積極的調査及び調査履歴などの評価情報を含んでいるユーザインターフェイス１８００を示している。セクション１８０２は、作業者が導入されている特定の管理制御に関連する訓練を受けたかどうかに関連する調査結果を含んでいる。セクション１８０２は、聴力の低下を示しているオージオグラムの割合、及び以前の基準値が取得された後に識別されたＳＴＳの事例の数も含んでいる。セクション１８０４は、調査の種類、完了日、及び調査に参加した個人の数などの情報を含む、調査履歴を含んでいる。セクション１８０４は、聴力変化を経験した作業者の数、及び訓練を完了した作業者の割合に関する情報を更に含んでいる。図１８は、任意の種類の調査に拡張されてもよい。
【０１３６】
図１９Ａ〜１９Ｂは、本開示の１つ以上の技術に従って、アプリケーション２２８によって表示のために生成及び出力されてよい、調査結果を含んでいるユーザインターフェイス１９００を示している。セクション１９０２は、特定の聴力保護調査に関連する情報を含んでいる。セクション１９０２は、完了された調査の数及び保留のままになっている調査の数、調査に含まれている実際の質問、並びに予備調査結果などの情報を含んでいる。セクション１９０２は、調査結果及びコメントを入力するためのフィールド、並びに必要に応じてフォローアップ訓練を予定するためのフィールドも含んでいる。セクション１９０４は、ユーザによって入力されてよい調査に関するコメント、並びに必要とされることのあるいずれかのフォローアップ訓練を予定することを更に含んでよい。図１９Ａ〜１９Ｂは、任意の種類の調査に拡張されてもよい。
【０１３７】
図２０Ａ〜２０Ｂは、本開示の１つ以上の技術に従って、アプリケーション２２８によって表示のために生成及び出力されてよい、タスクマネージャ情報を含んでいるユーザインターフェイス２０００を示す図である。タスクマネージャは、プログラムのタスク及び傾向を強調する。例えば、セクション２００２は、期限が今週中であるタスクを示す。セクション２００４は、期限が今月中であるタスクを示す。セクション２００６は、期限が本四半期中であるタスクを示す。タスクは、聴力検査タスク、機器メンテナンスタスク、作業場検査タスク、又は作業環境に関連付けられた任意のその他のタスクを含むことができる。図２１Ａ〜２１Ｂは、任意の種類の調査に拡張されてもよい。
【０１３８】
図２１は、本開示の１つ以上の技術に従って、プログラム設定を実行するように構成されたコンピューティングデバイスの動作の例を含んでいるフロー図２１００を示している。例示のみの目的で、以下の動作の例は、コンピューティングデバイス２００で稼働しているアプリケーション２２８によって実行されているとして説明されている。アプリケーション２２８は、安全プログラムを構成するためのグラフィカルユーザインターフェイスを表示のために出力してよい。安全プログラムの構成は、アプリケーション２２８の１人以上のユーザによって、特定の位置において一回発生してよく、又は安全プログラム（聴力保護プログラムなど）が変更された場合、若しくはプログラムが実施される場所が変更された場合に、進行中に発生してよい。アプリケーション２２８は、図３Ａ〜３Ｂにおけるような作業領域情報を構成する（２１０４）ための１つ以上の入力制御部を含んでいるグラフィカルユーザインターフェイスを、表示のために出力してよい。作業領域情報は、作業領域内の基準騒音レベル、作業領域内の任意の騒音源、作業領域で必要とされるＰＰＥの種類、作業領域内で許可される個人又は作業グループの領域、及び役立つことのあるその他の情報などの、各種情報を含むことができる。アプリケーション２２８は、作業領域情報のためのグラフィカルユーザインターフェイスにおける入力制御部に対するユーザ入力値を示しているデータを受信してよい。そのようなデータは、コンピューティングデバイス２００で作業現場データ２４２に格納されてよい。
【０１３９】
アプリケーション２２８は、作業者及び作業者グループの情報を構成する（２１０６）ための入力制御部を含んでいるグラフィカルユーザインターフェイスを、表示のために出力してよい。作業者情報は、安全プログラム内の匿名性を追跡及び維持するために、名前、従業員識別番号、又はランダムに割り当てられた番号などの、基本識別情報を含むことができる。作業者情報は、作業者がＰＰＥの特定のアイテムの適合試験を完了したかどうかに関連する情報及びその試験が完了された日付、作業者が最後にオージオグラムを得た日付、作業者の訓練履歴、作業者に割り当てられたＰＰＥ、作業者に割り当てられたポータブルコンピューティングデバイス、並びに作業者に割り当てられて作業者が安全プログラムと情報をやりとりできるようにするスマートタグ又はその他の通信アイテム若しくは識別アイテムを含むことができる。作業者グループ情報は、作業者グループの名前（「溶接工」又は「シフトＡ」など）を含むことができる。作業者グループ情報は、グループ内の必要な訓練を完了した作業者又はＳＴＳを経験した作業者の割合などの、グループの統計情報を含んでもよい。作業者グループ情報は、特定のグループに関する制限又は要件を更に含んでよい。例えば、「溶接工」作業者グループは、４時間だけＣＮＣショップ内にいることができるという制限を有してよい。アプリケーション２２８は、作業者及び作業者グループの情報のためのグラフィカルユーザインターフェイスにおける入力制御部に対するユーザ入力値を示しているデータを受信してよい。そのようなデータは、コンピューティングデバイス２００で作業者データ２３８に格納されてよい。
【０１４０】
アプリケーション２２８は、ＰＰＥ情報を構成する（２１０８）ための入力制御部を含んでいるグラフィカルユーザインターフェイスを、表示のために出力してよい。ＰＰＥ情報は、本明細書において説明されているように、聴力保護ＰＰＥ又は任意の種類のＰＰＥに関する情報を含んでよい。ＰＰＥ情報は、ＰＰＥの識別情報、ＰＰＥの寿命、ＰＰＥが割り当てられた作業者、ＰＰＥのサービス情報、ＰＰＥの評価又は標準準拠情報、ＰＰＥに取りけられるか、ＰＰＥに関連付けられるか、又はＰＰＥが安全プログラムと情報をやりとりできるようにする、スマートタグ、ビーコン、又はその他の電子デバイス若しくは通信デバイスに関する情報を含んでよい。アプリケーション２２８は、ＰＰＥ情報のためのグラフィカルユーザインターフェイスにおける入力制御部に対するユーザ入力値を示しているデータを受信してよい。そのようなデータは、コンピューティングデバイス２００で機器データ２４０に格納されてよい。
【０１４１】
アプリケーション２２８は、安全プログラムの目標を構成する（２１１０）ための入力制御部を含んでいるグラフィカルユーザインターフェイスを、表示のために出力してよい。そのようなグラフィカルユーザインターフェイスの例は、図３Ａ〜３Ｂを含んでよい。プログラム目標は、適合試験を受けているか、又は最新の訓練を受けている作業者又は作業者グループの特定の割合などの、順守目標を含んでよい。目標は、作業者又は作業グループでのＳＴＳの事例数を減らすことなどのように、結果に関連していてもよい。プログラム目標を設定することによって、安全管理者は、安全プログラムがプログラムに設定された目標に向かって進歩することに役立ったかどうかを、自動的かつ簡単に評価できるようになる。アプリケーション２２８は、安全プログラムの目標のためのグラフィカルユーザインターフェイスにおける入力制御部に対するユーザ入力値を示しているデータを受信してよい。そのようなデータは、コンピューティングデバイス２００で作業現場状態２４２に格納されてよい。
【０１４２】
図２２は、本開示の１つ以上の技術に従って、測定プロセスを実行するように構成されたコンピューティングデバイスの動作の例を含んでいるフロー図２２００を示している。例示のみの目的で、以下の動作の例は、コンピューティングデバイス２００で稼働しているアプリケーション２２８によって実行されているとして説明されている。アプリケーション２２８によって実行される動作２２０４、２２０６、及び２２０８は、フローチャート２２００に示されている任意の他の動作を実行する前後にそれ自体が自動的に繰り返される、反復的タスクであってよい。更に、各動作２２０４、２２０６、及び２２０８は、測定プロセスの外部で実行されてよい。例えば、各動作は、規制上の要件、ベストプラクティス、及び安全プログラムの目標に基づいて、定期的に行われてよい。
【０１４３】
アプリケーション２２８は、１つ以上の騒音源又は音源の情報を収集して格納してよい（２２０４）。この情報は、騒音源の名称（例えば、機械、デバイス、又はその他の種類の騒音源）、騒音源が配置されている作業領域を含む騒音源の位置、特定の騒音源又は騒音源が存在する領域に関連付けられた騒音レベルの基準値、及び騒音源に関連するメンテナンス情報などの情報を含んでよい。そのような騒音源情報は、作業現場データ２４２に格納されてよい。
【０１４４】
アプリケーション２２８は、領域ごとの領域騒音評価を示すデータを受信し、履歴データを作業現場データ２４２に格納してよい（２２０６）。領域騒音評価は、目的の領域全体にわたって繰り返される騒音レベル測定を実行して、特定の作業領域内での騒音レベルの変化を測定及び識別する、騒音レベルモニターを含むことができる。そのような騒音レベル情報は、アプリケーション２２８に送信されてよい。測定結果を格納することで、アプリケーション２２８が、特定の騒音源の近くでの騒音の増加などの傾向を識別すること、又は基準値に対する異常を識別することを可能にする。アプリケーション２２８は、暴露量計を使用して作業者の騒音暴露測定値を決定してもよい（２２０８）。例えば、アプリケーション２２８は、シフト作業中に作業者によって着用された騒音レベルモニターからデータを受信し、シフト中に作業者が曝される騒音のレベルを追跡してよい。アプリケーション２２８は、騒音レベルを作業者データ２３８及び／又は作業現場データ２４２に格納してよい。暴露量計情報は、ＧＰＳ座標、作業領域の位置、又は位置情報の任意のその他の形態などの位置情報と組み合わされてもよい。
【０１４５】
図２３は、本開示の１つ以上の技術に従って、聴力保護システムなどの、安全システムにおける制御を設定するように構成されたコンピューティングデバイスの動作の例を含んでいるフロー図２３００を示している。例示のみの目的で、以下の動作の例は、コンピューティングデバイス２００で稼働しているアプリケーション２２８によって実行されているとして説明されている。いくつかの例では、動作２３０２は反復的動作であってよい。例えば、アプリケーション２２８は、フローチャート２３０２に示されている任意の他の動作を実行する前後に、動作２３０２自体を自動的に繰り返し実行してよい。更に、動作２３０２は、制御設定プロセスの外部で、アプリケーション２２８によって実行されてよい。図２３の例では、アプリケーション２２８は、測定値に基づいて制御を構成し、測定値に基づいていずれかの種類の制御を設定することを含んでよい（２３０２）。場合によっては、アプリケーション２２８は、ユーザが測定値に基づいて制御を設定できるようにするグラフィカルユーザインターフェイスを、表示のために出力してよい。制御は、特定の機械又は機器の動作に対する制限、様々な騒音源に対して行われる変更若しくは適応、又は騒音源が存在する領域若しくは環境に対する、騒音レベルを低減するのに役立つ工学的変更若しくは制限を含んでよい。アプリケーション２２８は、騒音の危険性が作業環境の外で設計され得る場合、工学的制御を構成してよい（２３０４）。場合によっては、アプリケーション２２８は、ユーザが騒音の危険性を作業環境の外で設計する制御を設定できるようにするグラフィカルユーザインターフェイスを、表示のために出力してよい。例えば、グラフィカルユーザインターフェイスが騒音源を示している場合、ユーザは、騒音源から騒音を除去又は低減する騒音量減衰構造物又は作業環境に対する変更を追加するためのユーザ入力を提供してよい。いくつかの例では、グラフィカルユーザインターフェイスは、騒音源若しくは騒音減衰構造物の追加若しくは変更又はその他の変更に基づいて、ユーザが作業環境内の騒音における変化をシミュレートできるようにしてよい。この動作は、特定の騒音源が異常に高いレベルの騒音を生成している場合に、行われてよい。この動作は、作業領域などの領域内の騒音が、消音技術などの制御によって通常は減らされ得る場合に、行われてもよい。いくつかの例では、アプリケーション２２８は、騒音源に対する複数の異なる変更又は減衰の変更（例えば、バリアを追加する、機械の動作をオフにする、又は機械の動作を変更するなど）に関して、複数の異なる位置を自動的にシミュレートし、騒音における最適な低減又はしきい値を満たす騒音における低減を提供する騒音源に対する変更又は減衰の変更の組み合わせを決定してよい。騒音源に対する変更又は減衰の変更の組み合わせを決定したときに、騒音源に対する変更及び／又は減衰の変更が、作業環境に対する変更の推奨として、表示のために出力されてよい。
【０１４６】
いくつかの例では、推奨コンポーネント２２８は、作業環境内の１つ以上の騒音源に対して、１つ以上の騒音制御優先度係数（noise control priority factor、ＮＣＰＦ）を決定してよい。ＮＣＰＦは、Ｔｈｅ  Ｎｏｉｓｅ  Ｍａｎｕａｌ（２００３年）の９章「Ｎｏｉｓｅ  Ｃｏｎｔｒｏｌ  Ｅｎｇｉｎｅｅｒｉｎｇ」において説明されており、この文献の全体が参照によって本明細書に包含されている。ＮＣＰＦは、次のように計算されてよい。
【数１】
2019516152.tif 000003
各値は次のとおりである。
ＮＥ：騒音源による影響を受ける従業員の数。
ＬＤ：著しい損傷を引き起こす騒音の可能性。
ＥＣ：環境特性係数。
ＳＦ：問題解決可能性成功係数。
ＰＦ：生産性係数。
ＣＫ：制御の推定コスト（１０００ドル単位）。
【０１４７】
いくつかの例では、推奨コンポーネント２２８は、環境内の騒音源ごとにＮＣＰＦを計算してよい。推奨コンポーネント２２８は、騒音源を識別するか、又は降順に順位付けしてよい。場合によっては、推奨コンポーネント２２８は、騒音源に対する１つ以上の変更又はしきい値よりも大きいＮＣＰＦ値を有する騒音源のサブセットに対する減衰の変更（例えば、バリアを追加する、機械の動作をオフにする、又は機械の動作を変更するなど）を、選択するか、又はその他の方法で実施してよい。いくつかの例では、しきい値は、ユーザ定義されるか、推奨コンポーネント２２８の提供者によってハードコードされるか、又は機械的に生成されてよい。いくつかの例では、推奨コンポーネント２２８は、１つ以上の警告を表示のために出力するか、又は１人以上のユーザに送信してよい。出力又は警告は、しきい値を満たす（例えば、しきい値以上である）ＮＣＰＦ値を有する環境内の特定の騒音源を示してよい。いくつかの例では、ＮＣＰＦ値のセットにおける傾向又は異常を識別するために、特定の騒音源に対して、時間と共に複数のＮＣＰＦ値が計算されてよい。いくつかの例では、作業現場管理者によって評価されるべき特定の騒音源を決定するために、種々異なる騒音源に対する種々異なるＮＣＰＦ値の複数のセットが比較されてよい。
【０１４８】
アプリケーション２２８は、暴露期間を軽減するように領域管理制御を構成してよい（２３０６）。ユーザは、任意の個人が制限された領域、作業領域、又は作業環境内に存在してよい期間に対する制限を設定する領域管理制御を構成してよい。領域内の騒音レベルがしきい値を超えて増加した場合、全体的暴露量を制限するように増加した騒音レベルを考慮して、アプリケーション２２８によって、個人が作業領域内に存在することが許可される時間が減らされてよい。そのため、アプリケーション２２８は、作業環境内の作業者及び／又は１人以上の他の人員に対して警告してよい。
【０１４９】
アプリケーション２２８は、危険な領域にいる時間を短縮するように作業者管理制御を構成してよい（２３０８）。例えばアプリケーション２２８は、個々の作業者又は作業者グループに適用される制御を構成するためのグラフィカルユーザインターフェイスを出力してよい。例えば、ＳＴＳを経験した特定の作業者は、特定の作業領域（例えば、ＣＮＣショップ）内に存在できる時間数が制限されてよい。アプリケーション２２８は、警告を作業者及び／又は１人以上の他の人員に送信することによって、制限を実施してよい。管理制御は、一般に、溶接工作業グループなどの作業グループに適用されてもよい。管理制御は、アプリケーション２２８に、個人又は作業グループが特定のしきい値騒音レベルに曝される時間又は個人又は作業グループが特定の領域内に存在する時間を（警告、物理的アクセス、又はその他の適切な技術によって）制限させてよい。
【０１５０】
アプリケーション２２８は、作業者への訓練の提供を準備してもよい（２３１０）。訓練は、個々の作業者又は作業者グループに必要とされてよい。訓練は、作業者及び作業者グループが、導入されている制御、制御の理由、及び管理制御に従わないことの影響を確実に理解するために、特定の管理制御に関連してよい。訓練は、様々な作業領域に必要とされるＰＰＥ、適切なＰＰＥの選択及び使用に関連する訓練、オージオグラム及び聴力測定プロセスに関連する訓練、並びに適切なＰＰＥがない場合の騒音の過剰暴露の潜在的危険性に関連する訓練などの、その他のトピックに関連してもよい。アプリケーション２２８は、メッセージを、作業者又は作業者の安全に対して責任のある他の人員に関連付けられてよい１つ以上のコンピューティングデバイスに送信することによって、必要な訓練を作業者に自動的に通知してよい。
【０１５１】
図２４は、本開示の１つ以上の技術に従って、作業者の聴力データを分析するように構成されたコンピューティングデバイスの動作の例を含んでいるフロー図２４００を示している。例示のみの目的で、以下の動作の例は、コンピューティングデバイス２００で稼働しているアプリケーション２２８によって実行されているとして説明されている。アプリケーション２２８は、動作２４０２を反復的タスクとして実行してよく、フローチャート２４００に示されている任意の他のステップを実行する前後に、動作２４０２自体が自動的に繰り返されてよい。アプリケーション２２８は、作業者に対して聴力検査を行い、履歴データを格納してよい（２４０２）。検査は、検査を通じて専門家又は個人をガイドする、アプリケーション２２８によって提供されたグラフィカルユーザインターフェイスを同時に使用しながら、雇用者とも特定の作業環境とも関係のない医療専門家又はその他の個人によって行われてよい。アプリケーション２２８は、検査プロセス中に使用される１つ以上のオーディオデバイス（騒音源及び／又は聴力保護）からデータを受信してよい。アプリケーション２２８は、履歴データを本明細書において示された安全システムに格納してよく、又は履歴データは、関連するデータ及び各地域における個人情報制限に応じて、別の位置又はデータベースに格納されてよい。
【０１５２】
アプリケーション２２８は、標準しきい値シフト（ＳＴＳ）に基づいて、作業者が危険に曝されているかどうかを判定するか、又はその他の方法で識別してよい（２４０４）。標準しきい値シフトは、作業者の最新のオージオグラム結果を以前のオージオグラム結果のセットと比較して差異を識別することによって、アプリケーション２２８によって識別され得る。更に、アプリケーション２２８は、個々の作業者の結果を、その作業者が含まれている作業者グループの平均結果と比較することによって、危険に曝されているとして作業者を識別してよい。
【０１５３】
図２５は、本開示の１つ以上の技術に従って、既知のデータに基づいて聴力保護の種類を推奨するように構成されたコンピューティングデバイスの動作の例を含んでいるフロー図２５００を示している。例示のみの目的で、以下の動作の例は、コンピューティングデバイス２００で稼働しているアプリケーション２２８によって実行されているとして説明されている。アプリケーション２２８は、作業領域に関連付けられた情報を選択してよく、この情報は、作業現場データ２４２及び／又は作業者データ２３８から取得されてよい（２５０４）。取得される情報は、履歴データ又は作業領域内の環境センサからリアルタイムでシステムによって受信されたデータであってよい。この情報は、領域内のしきい値騒音レベル、領域内の騒音源、汚染物質、又はユーザが他の種類のＰＰＥを着用することを要求することのある領域内のその他の情報を含んでよく、この他の種類のＰＰＥは、作業者が着用できる聴力保護の種類に影響を与える。例えば、作業者がフルフェイスマスク付き人工呼吸装置を着用するよう要求された場合、このユーザが保護イヤーマフも着用することは、物理的に困難であることがある。
【０１５４】
アプリケーション２２８は、作業領域で使用されてよい種々異なる種類のＰＰＥを構成してよい（２５０６）。いくつかの例では、アプリケーション２２８は、作業者又は安全管理者が作業領域のための様々な種類のＰＰＥを入力できるようにするグラフィカルユーザインターフェイスを、表示のために出力してよい。このステップで、作業者は、動作２５０４において取得された情報にまだ含まれていない場合のある、作業領域に関連する任意の追加の要因を入力してよい。
【０１５５】
アプリケーション２２８は、作業者が耳栓に興味があるかどうかを示すことができるグラフィカルユーザインターフェイスを提供してよい（２５９８）。作業者が、耳栓に興味がないとのユーザ入力を提供した場合、アプリケーション２２８は、作業者に割り当てられた特定の作業領域の要件を満たすいずれかのイヤーマフを含んでいる推奨を、表示のために生成してよい（２５１０）。アプリケーション２２８は、イヤーマフの１つのセット又は複数の異なる種類の推奨を生成し、その後ユーザは、どのイヤーマフが特定の作業領域に関連付けられた要件を満たすかに応じて、それらの推奨から選択することができる。
【０１５６】
アプリケーション２２８が、ユーザが耳栓に興味を持っていることを示したと決定した場合、アプリケーション２２８は、作業者に割り当てられた特定の作業領域の要件を満たすいずれかの耳栓を推奨する（２５１２）。アプリケーション２２８は、耳栓の１つのセット又は複数の異なる種類の耳栓の推奨を生成し、ユーザは、どの耳栓が特定の作業領域に関連付けられた要件を満たすかに応じて、それらの推奨から選択することができる。
【０１５７】
アプリケーション２２８は、ユーザが特定の作業者のためのＰＰＥを要求したかどうかを問い合わせる（２５１４）。ユーザが特定の作業者のためのＰＰＥの推奨を要求した場合、ユーザはこの作業者の識別情報をアプリケーション２２８に入力してよく、アプリケーション２２８は、この作業者の履歴データを取得する（２５１６）。アプリケーション２２８は、特定の種類のＰＰＥに関する適合試験データを作業者に使用できるかどうかを判定することができる（２５１８）。適合試験データが使用可能である場合、アプリケーション２２８は、作業者の過去の適合試験データに基づいて、特定の推奨を生成する（２５２０）。推奨は、作業者の（耳栓又はイヤーマフの）好みに関連する情報と、ＰＰＥに関するこの作業者の適合試験データに基づいて、どの特定の種類の耳栓又はイヤーマフが特定の領域に必要な保護を作業者に提供するかを示すデータの両方に基づくことができる。作業者に使用できる適合試験データがない場合、アプリケーション２２８は、パターンデータに基づいてＰＰＥの推奨を生成してよい（２５２２）。パターンデータは、物理的類似性（特定の作業者のＰＰＥの性能に影響を与える可能性のある身長、体重、年齢、及びその他の要因など）に基づいて、どのＰＰＥの種類が、同じ又は類似する作業者の役割を持つ同じ又は類似する作業者グループ内の個人に適切なレベルの保護を提供したかを含んでよい。アプリケーション２２８がユーザが特定の作業者に対する推奨を求めていないことを示す入力を受信した場合、システムは、作業固有の情報を選択することをスキップし（２５２４）、動作２５１０及び２５１２においてそれぞれ決定されたイヤーマフ及び耳栓の推奨を提供する。
【０１５８】
図２６は、本開示の１つ以上の技術に従って、標準しきい値シフト（ＳＴＳ）を示している作業者の発生を分析するように構成されたコンピューティングデバイスの動作の例を含んでいるフロー図２６００を示している。例示のみの目的で、以下の動作の例は、コンピューティングデバイス２００で稼働しているアプリケーション２２８によって実行されているとして説明されている。アプリケーション２２８は、ＳＴＳを示している作業者を識別するデータを最初に選択してよい（２６０２）。アプリケーション２２８は、選択された作業者と類似する作業グループ、作業者の領域、又は作業者の役割に他の作業者がいるかどうかを判定してよい（２６０４）。類似する作業グループ、作業者の領域、又は作業者の役割に他の作業者がいる場合、アプリケーション２２８は、それらの作業グループ、作業者の領域、又は作業者の役割における他の作業者が類似するＳＴＳの傾向を示したかどうかを判定する（２６０６）。類似するＳＴＳの傾向を示す他の作業者がいない場合、アプリケーション２２８は、この作業者の医療データを取得し、かつ／又はこの作業者の医学的評価を開始して、聴力の損傷又は損失を引き起こす可能性のある変化が作業者の医療履歴に存在するかどうかを判定してよい（２６０８）。アプリケーション２２８は、作業者の医療履歴にそのような医療上の変化があるかどうかを判定してよい（２６１０）。そのような医療上の変化がない場合、アプリケーション２２８は、聴力損失が異常であること、及び／又は作業以外の要因が聴力の損失又は損傷を引き起こしているか又はそれらに影響与えている可能性が最も高いということを決定してよい（２６１２）。聴力の損傷又は損失を引き起こす可能性のある医療履歴の変化が存在する場合、アプリケーション２２８は、それらの変化を記録し、かつ／又は種々異なる種類の聴力保護、作業領域内の時間、又は作業領域内で実行される活動を含んでよい推奨を生成する（２６１６）。他の推奨は、更なるＳＴＳを防ぐために、作業者が受ける暴露を特定の騒音しきい値に適切に制限するための管理制御を、作業者に対して設けることを含んでよい。他の推奨は、更に医学的フォローアップの推奨を生成することを含んでもよい。
【０１５９】
アプリケーション２２８が、類似するＳＴＳの傾向を示す他の作業者が存在することを決定した場合、アプリケーション２２８は、推奨を生成し、かつ／又はこの作業者又は類似するＳＴＳの傾向を示している他の作業者が存在する領域に対する領域監視を実行する（２６１４）。場合によっては、アプリケーション２２８は、環境センサからのリアルタイムデータを使用してそのような監視を実行してよい。場合によっては、アプリケーション２２８は、領域内で取得された最新の騒音測定値を使用して分析を実行し、作業領域内の種々異なる作業者の活動及び／又は種々異なる種類の聴力保護を推奨してよい。
【０１６０】
アプリケーション２２８は、領域内の騒音における変化又は領域に関連付けられた騒音暴露量履歴における変化が存在したかどうかを分析してよい（２６１８）。領域内の騒音における変化又は領域に関連付けられた騒音暴露量履歴における変化が存在しなかった場合、アプリケーション２２８は、いずれかのプロセスの変更、ＰＰＥの使用、及び安全ポリシーの順守を含む複数のその他の潜在的要因のうちの１つ以上の再評価に関する推奨を生成してよい（２６２０）。アプリケーション２２８は、作業における安全及び作業以外の安全に関して、従業員及び作業者を再訓練することを推奨してもよい。
【０１６１】
アプリケーション２２８が、動作２６１６の結果が領域内の騒音レベルにおける変化又は領域に関連付けられた暴露量履歴における変化が存在したことを示していると決定した場合、アプリケーション２２８は、領域で必要とされる騒音制御及び保護のレベルを再評価することの推奨を生成する（２６２２）。場合によっては、アプリケーション２２８は、特定の追加の騒音制御を検討することを推奨してよく、かつ領域での特定の保護レベルの増加及びそれらの保護レベルを提供できる可能性のあるＰＰＥの種類を推奨してよく、ＰＰＥの種類の推奨は、ＰＰＥの評価又は領域内で作業するように割り当てられた作業者に関する適合試験データのいずれかに基づいて行われる。アプリケーション２２８は、例えば訓練プロセスを自動的に開始することによって、ユーザによって選択された１つ以上の推奨を実施し、それらの新しいプロセスに関する訓練、及び安全プログラムに対して行われた変更に関連付けられた要件を作業者に通知してよい（２６２４）。図２６の例では、推奨を生成するアプリケーション２２８の様々な例が説明されている。場合によっては、推奨を生成することは、推奨を表示のために出力すること、及び／又は１つ以上の他のコンピューティングデバイスに送信することを更に含んでよい。場合によっては、推奨を生成することは、そのような推奨を記録すること、又はその他の方法で格納することを更に含んでよい。
【０１６２】
図２７は、本開示の１つ以上の技術に従って、作業者又は他のユーザに警告するために機械学習を実行するように構成されたコンピューティングデバイスの動作の例を含んでいるフロー図２７００を示している。例示のみの目的で、以下の動作の例は、コンピューティングデバイス２００で稼働しているアプリケーション２２８によって実行されているとして説明されている。本開示では、判定ブロック（例えば、２７０４）が複数の代替動作を指定しない場合、アプリケーション２２８は、判定ブロックの条件が満たされないとき、終了に進むか、又は図に含まれていない動作を含んでいる別の制御フローに切り替わってよい。
【０１６３】
最初に、アプリケーション２２８は、異常事象（anomaly event）、異常事象（abnormal event）、又は騒音レベルがしきい値を満たしている事象若しくは本開示において説明されているその他の事象などの、その他の通知事象を検出してよい（２７０１）。アプリケーション２２８は、事象を検出又は決定したときに、作業現場、作業者識別情報、聴力保護、騒音レベル、騒音レベルの期間、又は事象に関連付けられた任意のその他の情報を決定するなど、コンテキスト情報を決定してよい（２７０２）。いくつかの例では、アプリケーション２２８は、警告を生成するかどうかを決定するために、コンテキストデータに対応する安全ルール及び／又はビジネスルールを比較するか、又はその他の方法で検索してよい（２７０４）。例えば、騒音レベルがしきい値を満たす場合（例えば、しきい値以上である場合）、アプリケーション２２８は警告を生成してよい（２７０６）。アプリケーション２２８は、１つ以上の警告を１人以上の作業者又はアプリケーション２２８に関連付けられた他のユーザに送信してよい。例えば、警告は、特定のユーザプロファイル、又は任意の作業者に一般化されてよい「標準」作業者プロファイル若しくはテンプレート作業者プロファイルに基づいてよい。アプリケーション２２８は、警告を作業者及び／又はユーザに送信してよい。
【０１６４】
アプリケーション２２８は、作業者及び／又はユーザが警告に対して確認応答するかどうかを判定してよい（２７０８）。いくつかの例では、警告に対する確認応答は、警告を表示すること、警告を選択すること、警告を却下及び／若しくは削除すること、並びに／又は更に何かのアクションを行うことによって警告に応答することを含んでよい。アプリケーション２２８は、ユーザの確認応答に関連付けられたメタデータを示す作業者及び／又はユーザのリモートコンピューティングデバイスからデータを受信してよい（２７１０）。例えば、メタデータは、ユーザが警告に確認応答するまでに経過した時間、確認応答の特定の形態、ユーザが警告に確認応答した時刻のタイムスタンプ情報、ユーザが警告に対する確認応答に使用したデバイス及び／又はデバイスの種類、警告が確認応答された時点でユーザが関与していた活動を含んでよい。
【０１６５】
アプリケーション２２８は、ユーザが警告に確認応答したことを決定したときに、ユーザの反応が所定の制限内及び／又は特定のユーザの通常の制限内であるかどうかを判定してよい（２７１１）。例えば、制限は、期間、１つ以上の条件の特定のセット、及び／又は１つ以上のしきい値であってよい。ユーザが既定の制限内で警告に確認応答しなかった場合、アプリケーション２２８は、ユーザが既定の制限内で警告に確認応答しなかったことを前もって決定することに基づいて、ユーザプロファイルが以前に更新されているかどうかを判定してよい（２７１２）。ユーザが既定の制限内で警告に確認応答しなかったことを前もって決定することに基づいて、ユーザプロファイルが更新されなかった場合、アプリケーション２２８は、ユーザが既定の時間制限内で警告に確認応答しなかったことを示すようにユーザプロファイルを更新してよい（２７１４）。例えば、ユーザプロファイルは、種々異なる特性又は制限自体を表す１つ以上の加重変数を含んでいるモデルであってよい。モデルは、ユーザが通知に確認応答すること又は通知を無視することに対応する正の強化又は負の強化に基づいて、アプリケーション２２８によって変更されてよい。ユーザの確認応答がユーザ固有の制限及び／又は所定の制限の範囲外である場合、アプリケーション２２８は、加重変数のうちの１つ以上を変更してよい。いくつかの例では、重みが使用されなくてよく、変数自体が変更されてよい。例えば、第１及び第２の変数は、下側しきい値期間及び上側しきい値期間であってよい。ユーザが警告に確認応答するための期間が下側しきい値期間よりも短い場合、アプリケーション２２８は下側しきい値期間を減らしてよい。
【０１６６】
アプリケーション２２８が、ユーザが既定の制限内で警告に確認応答しなかったことを前もって決定することに基づいて、ユーザプロファイルが以前に更新されていることを決定した場合、アプリケーション２２８は、ユーザが異常事象をトリガーする活動に常に関わっているために、ユーザが警告に対して鈍感になっているか、又はそのような警告を常に受け取っていることを決定してよい（２７１８）。そのため、アプリケーション２２８は、警告するときに、ユーザのアクションと共にコンテキスト情報を使用して、新しい又は更新された警告通知プロファイルを定めてよい（２７２４）。例えば、新しい又は更新された警告通知プロファイルは、通知の異なる形態、通知の異なる時間を使用してよく、又は通知における任意のその他の変更を使用して、ユーザが警告を見る可能性を改善してよい。
【０１６７】
動作２７１６に戻ると、アプリケーション２２８が、ユーザの反応時間が前のデータと比較して改善されたことを決定した場合、アプリケーション２２８は、ユーザに警告に対して確認応答させることにおいて、図２７において適用された学習技術が有効であったと決定してよい。それに応じて、アプリケーション２２８は、事象パラメータを警告から捕捉し、それらの事象パラメータに基づいて、学習モデル内及び／又はユーザプロファイル内の基準データを更新してよい（２７２０）。事象パラメータは、警告の種類、警告の時間、警告に対する確認応答の種類、又は警告に関連付けられた任意のその他の情報を含んでよいが、これらに限定されない。アプリケーション２２８は、警告からの捕捉事象パラメータを格納することによってモデル（例えば、基準データ）を更新してよく、それによってアプリケーション２２８は、ユーザの反応が所定の制限及び／又はユーザ固有の制限内にあるかどうかを判定する（２７２２）。前述したように、ユーザプロファイル又は基準データは、アプリケーション２２８によって更新されるモデルを参照してよい。
【０１６８】
図２８は、本開示の１つ以上の技術に従って、コンピューティングデバイスの動作の例を含んでいるフロー図２８００を示している。例示のみの目的で、以下の動作の例は、コンピューティングデバイス２００で稼働しているアプリケーション２２８によって実行されているとして説明されている。いくつかの例では、アプリケーション２２８は、作業環境のそれぞれ種々異なる各位置での種々異なる騒音レベルを示す騒音レベルデータを受信してよい（２８０２）。アプリケーション２２８は、ポータブルコンピューティングデバイスから受信された位置データに基づいて、一定の期間にわたって作業者によって受け取られた騒音量を決定してよい（２８０４）。いくつかの例では、アプリケーション２２８は、聴力保護の物品、騒音量、及び種々異なる各位置での種々異なる騒音レベルを示す騒音レベルデータに少なくとも部分的に基づいて、作業者の現在の位置とは異なる騒音レベルを有する作業環境内の更新された位置を識別してよい（２８０６）。いくつかの例では、アプリケーション２２８は、作業者に対して現在の位置から更新された位置へ移動するよう指示するポータブルコンピューティングデバイスへの通知を生成してよい（２８０８）。
【０１６９】
図２９は、本開示の１つ以上の技術に従って、コンピューティングデバイスの動作の例を含んでいるフロー図２９００を示している。例示のみの目的で、以下の動作の例は、コンピューティングデバイス２００で稼働しているアプリケーション２２８によって実行されるものとして説明される。いくつかの例では、アプリケーション２２８は、作業環境の第１の領域内で特定の日の第１の期間にわたって作業者が曝された第１の騒音量を示す第１の騒音暴露データを受信してよい（２９０２）。作業者が特定の日に作業環境の第２の領域に移動した後に、アプリケーション２２８は、第２領域内で特定の日の第２の期間にわたって作業者が曝された第２の騒音量を示す第２の騒音暴露データを受信してよい（２９０４）。いくつかの例では、アプリケーション２２８は、第１及び第２の騒音暴露データに基づいて、第１及び第２の期間にわたって作業者が曝された累積騒音量が特定の日のしきい値を超えていることを決定してよい。アプリケーション２２８は、第１及び第２の期間にわたって作業者が曝された累積騒音量が特定の日のしきい値を超えたことに基づいて、ポータブルコンピューティングデバイスへの通知を生成してよい（２９０８）。
【０１７０】
図３０は、本開示の１つ以上の技術に従って、コンピューティングデバイスの動作の例を含んでいるフロー図３０００を示している。例示のみの目的で、以下の動作の例は、コンピューティングデバイス２００で稼働しているアプリケーション２２８によって実行されるものとして説明される。アプリケーション２２８は作業者の適合試験データを受信してよく、この適合試験データは、作業者によって着用されている第１の種類の聴力保護の物品に関して、作業者に対する騒音レベルの減衰を示す値を含む（３００２）。いくつかの例では、アプリケーション２２８は、適合試験データ及び作業環境の騒音レベルデータに少なくとも部分的に基づいて、第１の種類の聴力保護の物品によって提供される音量減衰が作業環境のしきい値を満たすかどうかを判定してよい（３００４）。アプリケーション２２８は、第１の種類の聴力保護の物品によって提供される音量減衰がしきい値を満たすかどうかの判定に応答して、作業環境に関して第２の異なる種類の聴力保護の物品を示す推奨を表示のために生成してよい（３００６）。
【０１７１】
図３１は、本開示の１つ以上の技術に従って、コンピューティングデバイスの動作の例を含んでいるフロー図３１００を示している。例示のみの目的で、以下の動作の例は、コンピューティングデバイス２００で稼働しているアプリケーション２２８によって実行されるものとして説明される。アプリケーション２２８は、動作中に機械の物品によって生成される基準騒音レベルを示す基準騒音データを格納してよい（３１０２）。いくつかの例では、アプリケーション２２８は、作業者に割り当てられた騒音レベルモニターから、機械の物品の位置に対応する騒音データを受信してよい（３１０４）。アプリケーション２２８は、基準騒音データが機械の物品の位置に対応する騒音データによって超過されていることを決定してよい（３１０６）。いくつかの例では、アプリケーション２２８は、機械の物品の位置に対応する騒音データが基準騒音データをしきい値量だけ超えているという通知を生成してよい（３１０８）。
【０１７２】
図３２は、本開示の１つ以上の技術に従って、コンピューティングデバイスの動作の例を含んでいるフロー図３２００を示している。例示のみの目的で、以下の動作の例は、コンピューティングデバイス２００で稼働しているアプリケーション２２８によって実行されるものとして説明される。アプリケーション２２８は、リモートコンピューティングデバイスから、リモートコンピューティングデバイスでコンピューティングデバイスによって表示のために生成された少なくとも１つのユーザインターフェイスに含まれている入力制御部のセットに提供されたユーザ入力の指示に基づいて、ＰＰＥデータ及び作業者データを受信してよく、これらの入力制御部は、少なくとも、ＰＰＥの物品の各セットを表すＰＰＥデータ及び作業者を表す作業者データを受け取る（３２０２）。いくつかの例では、アプリケーション２２８は、作業者の作業環境及びＰＰＥの物品のセットによって課される１つ以上の制約を満たすＰＰＥの物品の所定のセットを選択することに応答して、ＰＰＥの物品の所定のセットの各グラフィック表現を含んでいる少なくとも１つのグラフィカルユーザインターフェイスを、表示のために生成してよい（３２０４）。アプリケーション２２８は、作業者のＰＰＥの物品の所定のセットのうちの１つ以上を選択するユーザ入力の少なくとも１つの指示を受信することに応答して、ＰＰＥデータ及び作業者データに基づいて、作業者と、選択された１つ以上の所定のＰＰＥの物品との間の関連付けを定める関連付けデータを格納してよい（３２０６）。いくつかの例では、アプリケーション２２８は、作業者が選択された１つ以上の所定のＰＰＥの物品を使用して作業環境内で作業を開始した後に、作業環境内での作業者の作業中の作業環境を表す作業環境データ、及び作業者と、選択された１つ以上の所定のＰＰＥの物品との間の関連付けデータそれぞれに少なくとも部分的に基づいて、作業者に関して、作業者の健康の指示を出力のために生成してよい（３２０８）。
【０１７３】
実施例１：コンピューティングデバイスによって作業者の適合試験データを受信することであって、この適合試験データが、作業者によって着用された聴力保護の特定の形態に関して作業者に対する騒音レベルの減衰を示す値を含んでいる、ことと、適合試験データ及び作業現場に関連付けられた騒音レベル情報に少なくとも部分的に基づいて、聴力保護の特定の形態が作業現場のしきい値を満たすかどうかを判定することと、聴力保護の特定の形態がしきい値を満たしているとの決定に応答して、作業現場で聴力保護の特定の形態を使用することの推奨を表示のために生成することと、を含む方法。
【０１７４】
実施例２：適合試験データ及び作業現場に関連付けられた騒音レベル情報に少なくとも部分的に基づいて、聴力保護の特定の形態が作業現場のしきい値を満たしているかどうかを判定することが、作業現場に関連付けられた騒音レベル情報を選択することと、作業現場に関連付けられた騒音レベル情報を適合試験データの値によって指定された騒音レベル情報と比較することと、第１の騒音レベルを示す作業現場に関連付けられた騒音レベル情報が適合試験データに含まれる騒音レベル情報の第２の騒音レベルよりも小さいかどうかを判定することと、を更に含む、実施例１の方法。
【０１７５】
実施例３：推奨が第１の推奨であり、聴力保護の形態が聴力保護の第１の形態であり、方法は、聴力保護の特定の形態がしきい値を満たさないとの決定に応答して、作業現場で聴力保護の第２の形態を使用することの第２の推奨を表示のために生成することを更に含み、聴力保護の第２の形態は聴力保護の第１の形態よりも大きい量だけ騒音レベルを低減する、実施例１〜２のいずれかの方法。
【０１７６】
実施例４：１つ以上のコンピュータプロセッサと、１つ以上のコンピュータプロセッサによって実行されるときに、１つ以上のコンピュータプロセッサに対して、実施例１〜３の方法のいずれかを実行させる命令を含んでいるメモリとを備えている、コンピューティングデバイス。
【０１７７】
実施例５：コンピューティングデバイスによって、第１及び第２の作業者に対応する騒音レベルデータの第１及び第２のセットを受信することと、騒音レベルデータの第１及び第２のセットに関して、第１及び第２の作業者が作業現場内で互いにしきい値距離の範囲内にいることを決定することと、騒音レベルデータの第１のセットと第２のセットの間の騒音レベルの差がしきい値を満たしているとの決定に応答して、警告を生成することと、を含む、方法。
【０１７８】
実施例６：騒音レベルデータの第１のセットと第２のセットの間の騒音レベルの差がしきい値を満たしているとの決定に応答して、第１及び第２の作業者のうちの少なくとも１人からしきい値距離の範囲内にある少なくとも１つの機械を識別することを更に含み、警告は、この機械に対してメンテナンスを実行することの推奨を示す、実施例５の方法。
【０１７９】
実施例７：騒音レベルデータの第１のセットと第２のセットの間の騒音レベルの差がしきい値を満たしているとの決定に応答して、聴力保護を着用することの推奨を生成することを更に含み、警告は、聴力保護を着用することの推奨を示す、実施例５〜６のいずれかの方法。
【０１８０】
実施例８：１つ以上のコンピュータプロセッサと、１つ以上のコンピュータプロセッサによって実行されるときに、１つ以上のコンピュータプロセッサに対して、実施例４〜７のいずれかの方法のいずれかを実行させる命令を含んでいるメモリとを備えている、コンピューティングデバイス。
【０１８１】
実施例９：コンピューティングデバイスによって、作業者の騒音レベルデータのセットを受信することであって、騒音レベルデータのセットが所定期間にわたる騒音レベルの複数の実例を示している、ことと、この期間にわたる騒音レベルの複数の実例がこの期間にわたる騒音レベルしきい値を超えているかどうかを判定することと、この期間にわたる騒音レベルの複数の実例がこの期間にわたる騒音レベルしきい値を超えているとの決定に応答して、警告を生成することと、を含む、方法。
【０１８２】
実施例１０：この期間にわたる騒音レベルデータが少なくとも２つの異なる作業現場に基づく、実施例９の方法。
【０１８３】
実施例１１：警告は、更に大きい保護を作業者に提供する聴力保護の特定の形態を着用することの推奨を含む、実施例９〜１０のいずれかの方法。
【０１８４】
実施例１２：１つ以上のコンピュータプロセッサと、１つ以上のコンピュータプロセッサによって実行されるときに、１つ以上のコンピュータプロセッサに対して、実施例９〜１１のいずれかの方法のいずれかを実行させる命令を含んでいるメモリとを備えている、コンピューティングデバイス。
【０１８５】
実施例１３：コンピューティングデバイスによって、個人用保護具を着用している作業者の１つ以上の実例を示す着用時間データを受信することと、この着用時間データを１つ以上の標準しきい値シフト（ＳＴＳ）に関連付けることと、１つ以上のＳＴＳと着用時間データの間の相関関係に少なくとも部分的に基づいて、警告を生成することとを含む、方法。
【０１８６】
実施例１４：警告は、更に大きい保護を作業者に提供する聴力保護の特定の形態を着用することの推奨を含む、実施例１３の方法。
【０１８７】
実施例１５：警告が、聴力保護プログラムへの順守に少なくとも部分的に基づく、実施例１３〜１４のいずれかの方法。
【０１８８】
実施例１６：１つ以上のコンピュータプロセッサと、１つ以上のコンピュータプロセッサによって実行されるときに、１つ以上のコンピュータプロセッサに対して、実施例１３〜１５の方法のいずれかを実行させる命令を含んでいるメモリとを備えている、コンピューティングデバイス。
【０１８９】
１つ以上の実施例では、説明した機能は、ハードウェア、ソフトウェア、ファームウェア、又はこれらの組み合わせで実装されてよい。ソフトウェアで実装された場合、機能は、１つ以上の命令又はコードとして、コンピュータ可読媒体に格納されるか、又はそれを介して送信され、ハードウェアベースの処理ユニットによって実行されてよい。コンピュータ可読媒体としては、データ記憶媒体などの有形媒体に対応するコンピュータ可読記憶媒体、又は、例えば、通信プロトコルに従って１つの場所から別の場所へのコンピュータプログラムの伝送を促進する任意の媒体を含む通信媒体を挙げることができる。このようにして、コンピュータ可読媒体は、一般的に（１）非一時的な有形コンピュータ可読記憶媒体、又は（２）信号若しくは搬送波などの通信媒体に対応してよい。データ記憶媒体は、本開示で説明する技術の実装のための命令、コード、及び／又はデータ構造を取得するために、１つ以上のコンピュータ又は１つ以上のプロセッサによってアクセスすることができる、任意の利用可能な媒体であってよい。コンピュータプログラム製品は、コンピュータ可読媒体を含んでよい。
【０１９０】
例として、このようなコンピュータ可読記憶媒体は、ＲＡＭ、ＲＯＭ、ＥＥＰＲＯＭ、ＣＤ−ＲＯＭ、若しくはその他の光ディスクストレージ、磁気ディスクストレージ、若しくはその他の磁気ストレージデバイス、フラッシュメモリ、又は、命令若しくはデータ構造の形態で所望のプログラムコードを格納するのに用いることができると共に、コンピュータによってアクセスできる他の任意の媒体を含むことができるが、これらに限定されない。また、任意の接続は、コンピュータ可読媒体と適切に呼ばれる。例えば、命令が同軸ケーブル、光ファイバケーブル、ツイストペア、デジタル加入者回線（digital subscriber line）（ＤＳＬ）、又は、赤外、無線通信、及びマイクロ波などの無線技術を使用してウェブサイト、サーバ、又は他のリモートソースから送信される場合、同軸ケーブル、光ファイバケーブル、ツイストペア、ＤＳＬ、又は、赤外、無線通信、及びマイクロ波などの無線技術は、媒体の定義に含まれる。しかし、コンピュータ可読記憶媒体及びデータ記憶媒体は、接続、搬送波、信号、又は他の一過性媒体を含まず、代わりに、非一過性の有形記憶媒体を対象としていることを理解されたい。磁気ディスク及び光ディスクは、本明細書で使用する場合、コンパクトディスク（compact disc、ＣＤ）、レーザーディスク、光ディスク、デジタル多用途ディスク（digital versatile disc、ＤＶＤ）、フロッピーディスク、及びブルーレイディスクを含み、磁気ディスクは一般に、データを磁気的に複製し、光ディスクは、データをレーザーによって光学的に複製する。上記の組み合わせもまた、コンピュータ可読媒体の範囲内に含まれなければならない。
【０１９１】
命令は、１つ以上のデジタル信号プロセッサ（digital signal processor、ＳＰ）、汎用マイクロプロセッサ、特定用途向け集積回路（application specific integrated circuit、（ＡＳＩＣ）、フィールドプログラマブル論理アレイ（field programmable logic array、ＦＰＧＡ）、又は他の同等な集積若しくはディスクリート論理回路などの、１つ以上のプロセッサによって実行されてよい。したがって、使用する場合「プロセッサ」という用語は、前述の構造のうちのいずれか、又は説明した技術の実装に適した任意の他の構造を指してよい。加えて、いくつかの態様では、説明した機能は、専用のハードウェア及び／又はソフトウェアモジュール内に設けられてよい。また、当該技術は、１つ以上の回路又は論理素子に完全に実装され得る。
【０１９２】
本開示の技術は、無線ハンドセット、集積回路（integrated circuit、ＩＣ）、又はＩＣのセット（例えば、チップセット）を含む、多様なデバイス又は装置に実装されてよい。開示された技術を実行するように構成されたデバイスの機能的な態様を強調するために、様々なコンポーネント、モジュール、又はユニットを本開示で説明したが、様々なハードウェアユニットによる具現化が必ずしも必要ではない。むしろ、上述したように、様々なユニットは、好適なソフトウェア及び／又はファームウェアと併せて、上述したような１つ以上のプロセッサを含む、ハードウェアユニット内で組み合わられるか、又は相互動作するハードウェアユニットの集合によって提供されてよい。
【０１９３】
実施形態によっては、本明細書で説明した方法のいずれかの特定の行為又は事象は、異なる順序で実行することができ、共に加えられるか、結合されるか、又は省略されてよい（例えば、説明した行為又は事象のすべてが方法の実践のために必要なわけではない）ということを認識されたい。更に、特定の実施形態では、行為又は事象は、順次ではなく、例えば、マルチスレッド処理、割込処理、又は複数のプロセッサにより、同時に実行されてよい。
【０１９４】
いくつかの例では、コンピュータ可読記憶媒体は、非一時的記憶媒体を含む。用語「非一時的」は、いくつかの例では、記憶媒体が搬送波又は伝搬信号で具現化されていないことを示す。特定の例では、非一時的記憶媒体は、経時的に変化し得るデータを格納する（例えば、ＲＡＭ又はキャッシュに）。
【０１９５】
様々な例を説明してきた。これら及びその他の例は、以下の特許請求の範囲に含まれる。
【図１Ａ】
2019516152.tif 000004
【図１Ｂ】
2019516152.tif 000005
【図２】
2019516152.tif 000006
【図３Ａ】
2019516152.tif 000007
【図３Ｂ】
2019516152.tif 000008
【図４】
2019516152.tif 000009
【図５Ａ】
2019516152.tif 000010
【図５Ｂ】
2019516152.tif 000011
【図６】
2019516152.tif 000012
【図７】
2019516152.tif 000013
【図８Ａ】
2019516152.tif 000014
【図８Ｂ】
2019516152.tif 000015
【図９Ａ】
2019516152.tif 000016
【図９Ｂ】
2019516152.tif 000017
【図１０】
2019516152.tif 000018
【図１１Ａ】
2019516152.tif 000019
【図１１Ｂ】
2019516152.tif 000020
【図１２】
2019516152.tif 000021
【図１３Ａ】
2019516152.tif 000022
【図１３Ｂ】
2019516152.tif 000023
【図１４】
2019516152.tif 000024
【図１５Ａ】
2019516152.tif 000025
【図１５Ｂ】
2019516152.tif 000026
【図１６】
2019516152.tif 000027
【図１７Ａ】
2019516152.tif 000028
【図１７Ｂ】
2019516152.tif 000029
【図１８】
2019516152.tif 000030
【図１９Ａ】
2019516152.tif 000031
【図１９Ｂ】
2019516152.tif 000032
【図２０Ａ】
2019516152.tif 000033
【図２０Ｂ】
2019516152.tif 000034
【図２１】
2019516152.tif 000035
【図２２】
2019516152.tif 000036
【図２３】
2019516152.tif 000037
【図２４】
2019516152.tif 000038
【図２５】
2019516152.tif 000039
【図２６】
2019516152.tif 000040
【図２７】
2019516152.tif 000041
【図２８】
2019516152.tif 000042
【図２９】
2019516152.tif 000043
【図３０】
2019516152.tif 000044
【図３１】
2019516152.tif 000045
【図３２】
2019516152.tif 000046
【国際調査報告】
2019516152.tif 000047
2019516152.tif 000048
2019516152.tif 000049